(57)【要約】【課題】受皿に貯留された遊技球を簡易な機構で散らして落下させることができる遊技機を提供すること。【解決手段】操作部４１が遊技者に操作されることにより、操作部４１に係合されるピニオン３４，３５を介して開閉部材３３が受皿３０の底部３１を円運動する。底部３１に形成された球抜き孔３１ｂが開閉部材３３の初期位置とは異なる複数位置で開口３３ａと連通されると、受皿３０内の遊技球は、開口３３ａを通過して球抜き孔３１ｂの複数位置から落下する。その結果、受皿３０に貯留された遊技球を複数位置に散らして落下させることができる。開閉部材３３は、操作部４１に係合されるピニオン３４，３５を介するので、操作部４１の操作により開閉部材３３を円運動させることができ球抜き機構を簡易にできる。【選択図】図５
2020006230.tif 000002
【特許請求の範囲】
【請求項１】
遊技球が落下する球抜き孔が底部に形成された受皿が前面に配設された遊技機において、
遊技者に操作される操作部と、
その操作部に係合される部材を介して又は前記操作部に直結され前記受皿の底部に円運動または直線運動可能に配設されると共に前記球抜き孔の上方に位置し前記球抜き孔と連通する開口が形成された開閉部材とを備え、
前記底部は、前記開閉部材の円運動または直線運動の初期位置で前記開口を閉鎖する閉鎖部を備え、
前記球抜き孔は、前記開閉部材の円運動または直線運動の初期位置とは異なる複数位置で前記開口と連通することを特徴とする遊技機。
【請求項２】
前記開閉部材は、前記開閉部材の移動方向の後方に向かって前記開口の縁端から上昇傾斜する上昇傾斜部を備えていることを特徴とする請求項１記載の遊技機。
【請求項３】
前記開閉部材は、前後方向または左右方向に往復動可能に構成されるものであり、
前記開口は、遊技者からの距離を異ならせて前記開閉部材の複数箇所に形成されており、遊技者に近い位置に形成された開口の面積は、遊技者から離れた位置に形成された開口の面積より大きく設定されていることを特徴とする請求項１又は２に記載の遊技機。
【請求項４】
前記球抜き孔の下方に配設されると共に落下する前記遊技球が衝突する誘導部材を備え、
その誘導部材は、前方または側方に向かって下降傾斜する下降傾斜部を備えていることを特徴とする請求項１から３のいずれかに記載の遊技機。
【発明の詳細な説明】
【技術分野】
【０００１】
本発明は、パチンコ機等に代表される遊技機に関するものである。
【背景技術】
【０００２】
遊技球を使用して遊技を行う遊技機の代表例としてパチンコ機がある。このパチンコ機の前面には、払い出された遊技球を貯留するための受皿が設けられている。受皿の底面には開閉可能な球抜き孔が形成されているので、遊技球で受皿が満杯になった場合には、受皿の下方に遊技球の収容箱を載置して、球抜き孔を開放することで受皿に貯留された遊技球を収容箱に移すことができる。
【０００３】
しかし、球抜き孔から収容箱に落下した遊技球は球抜き孔の下方部分に高く積もることになるので、この状態を放置すると、高く積もった部分から遊技球が収容箱の外に溢れ出てしまう。それを防ぐために、遊技者は手で遊技球を平らに均さなければならず面倒であった。そこで、モータにより球抜き孔を移動させて落下する遊技球を散らし、遊技球が一箇所に高く積もらないようにする技術がある（特許文献１）。
【先行技術文献】
【特許文献】
【０００４】
【特許文献１】特開平１０−１７９８７４号公報
【発明の概要】
【発明が解決しようとする課題】
【０００５】
しかしながら、上記のようなパチンコ機では、球抜き孔を移動させるためのモータを設ける必要があり、機構が複雑化するという問題点があった。
【０００６】
本発明は、上記例示した問題点等を解決するためになされたものであり、受皿に貯留された遊技球を簡易な機構で散らして落下させることができる遊技機を提供することを目的としている。
【課題を解決するための手段】
【０００７】
この目的を達成するために請求項１記載の遊技機は、遊技球が落下する球抜き孔が底部に形成された受皿が前面に配設されたものにおいて、遊技者に操作される操作部と、その操作部に係合される部材を介して又は前記操作部に直結され前記受皿の底部に円運動または直線運動可能に配設されると共に前記球抜き孔の上方に位置し前記球抜き孔と連通する開口が形成された開閉部材とを備え、前記底部は、前記開閉部材の円運動または直線運動の初期位置で前記開口を閉鎖する閉鎖部を備え、前記球抜き孔は、前記開閉部材の円運動または直線運動の初期位置とは異なる複数位置で前記開口と連通する。
【０００８】
請求項２記載の遊技機は、請求項１記載の遊技機において、前記開閉部材は、前記開閉部材の移動方向の後方に向かって前記開口の縁端から上昇傾斜する上昇傾斜部を備えている。
【０００９】
請求項３記載の遊技機は、請求項１又は２に記載の遊技機において、前記開閉部材は、前後方向または左右方向に往復動可能に構成されるものであり、前記開口は、遊技者からの距離を異ならせて前記開閉部材の複数箇所に形成されており、遊技者に近い位置に形成された開口の面積は、遊技者から離れた位置に形成された開口の面積より大きく設定されている。
【００１０】
請求項４記載の遊技機は、請求項１から３のいずれかに記載の遊技機において、前記球抜き孔の下方に配設されると共に落下する前記遊技球が衝突する誘導部材を備え、その誘導部材は、前方または側方に向かって下降傾斜する下降傾斜部を備えている。
【発明の効果】
【００１１】
本発明によれば、受皿に貯留された遊技球を簡易な機構で散らして落下させることができる。
【図面の簡単な説明】
【００１２】
【図１】一実施の形態におけるパチンコ機の正面図である。
【図２】（ａ）は第１実施の形態における受皿の平面図であり、（ｂ）は図２（ａ）の矢印ＩＩｂ−ＩＩｂ線における受皿の断面図であり、（ｃ）は軸部の要部断面図である。
【図３】（ａ）は閉じ位置にある第１開閉部材および第２開閉部材の模式平面図であり、（ｂ）は開き位置にある第１開閉部材および第２開閉部材の模式平面図であり、（ｃ）は開き位置にある第１開閉部材および第２開閉部材の模式平面図であり、（ｄ）は閉じ位置にある第１開閉部材および第２開閉部材の模式平面図であり、（ｅ）は閉じ位置にある第１開閉部材および第２開閉部材の模式平面図であり、（ｆ）は開き位置にある第１開閉部材および第２開閉部材の模式平面図であり、（ｇ）は開き位置にある第１開閉部材および第２開閉部材の模式平面図であり、（ｈ）は閉じ位置にある第１開閉部材および第２開閉部材の模式平面図である。
【図４】（ａ）は図２（ａ）の矢印ＩＶ−ＩＶ線における受皿の断面図であり、（ｂ）は従来の受皿の断面図である。
【図５】（ａ）は第２実施の形態における受皿の平面図であり、（ｂ）は図５（ａ）の矢印Ｖｂ−Ｖｂ線における受皿の断面図である。
【図６】（ａ）は第３実施の形態における受皿の平面図であり、（ｂ）は図６（ａ）の矢印ＶＩｂ−ＶＩｂ線における受皿の断面図である。
【図７】（ａ）は第４実施の形態における受皿の平面図であり、（ｂ）は図７（ａ）の矢印ＶＩＩｂ−ＶＩＩｂ線における受皿の断面図であり、（ｃ）は図７（ａ）の矢印ＶＩＩｃ−ＶＩＩｃ線における受皿６０の断面図である。
【図８】（ａ）は第５実施の形態における受皿の平面図であり、（ｂ）は図８（ａ）の矢印ＶＩＩＩｂ−ＶＩＩＩｂ線における受皿の断面図である。
【図９】（ａ）は第６実施の形態における受皿の平面図であり、（ｂ）は図９（ａ）の矢印ＩＸｂ−ＩＸｂ線における受皿の断面図である。
【図１０】（ａ）は第７実施の形態における受皿の平面図であり、（ｂ）は図１０（ａ）の矢印Ｘｂ−Ｘｂ線における受皿の断面図である。
【図１１】（ａ）は第８実施の形態における受皿の平面図であり、（ｂ）は図１１（ａ）の矢印ＸＩｂ−ＸＩｂ線における受皿の断面図であり、（ｃ）は図１１（ａ）の矢印ＸＩｃ−ＸＩｃ線における受皿の断面図である。
【図１２】（ａ）は第９実施の形態における受皿の平面図であり、（ｂ）は図１２（ａ）の矢印ＸＩＩｂ−ＸＩＩｂ線における受皿の断面図である。
【図１３】（ａ）は第１０実施の形態における受皿の平面図であり、（ｂ）は図１３（ａ）の矢印ＸＩＩＩｂ−ＸＩＩＩｂ線における受皿の断面図であり、（ｃ）は図１３（ａ）の矢印ＸＩＩＩｃ−ＸＩＩＩｃ線における受皿の断面図である。
【図１４】（ａ）は第１１実施の形態における受皿の平面図であり、（ｂ）は図１４（ａ）の矢印ＸＩＶｂ方向から見た受皿の正面図である。
【図１５】（ａ）は第１２実施の形態における受皿の平面図であり、（ｂ）は図１５（ａ）の矢印ＸＶｂ−ＸＶｂ線における受皿の断面図である。
【発明を実施するための形態】
【００１３】
以下、遊技機の一種であるパチンコ遊技機（以下、「パチンコ機」という）の一実施の形態を、図面に基づいて説明する。図１は一実施の形態におけるパチンコ機１の正面図である。なお、図１では便宜上パチンコ機１の遊技領域内の構成を省略している。
【００１４】
パチンコ機１は、当該パチンコ機１の外殻を形成する外枠２と、この外枠２に対して前方に回動可能に取り付けられた遊技機主部３とを有する。外枠２は木製の板材を四辺に連結し構成されるものであって矩形枠状をなしている。パチンコ機１は、外枠２を島設備に取り付け固定することにより、遊技ホールに設置される。
【００１５】
遊技機主部３は、ベース体としての内枠４と、その内枠４の前方に配置される前扉枠５とを備えている。遊技機主部３のうち内枠４が外枠２に対して回動可能に支持されている。詳細には、パチンコ機１の正面視で左側を回動基端側、右側を回動先端側として内枠４が前方へ回動可能とされている。
【００１６】
前扉枠５は、内枠４における前面側のほぼ全域を覆うようにして設けられている。前扉枠５には、遊技盤に形成された遊技領域のほぼ全域を前方から視認することができるようにした窓部６が形成されておりガラス７が嵌め込まれている。
【００１７】
前扉枠５は、下方に手前側へ突出するようにして遊技球発射ハンドル８が設けられている。遊技球発射ハンドル８が操作されることにより、遊技領域（ガラス７の背後）に遊技球が発射される。遊技領域に発射された遊技球が入賞口（図示せず）に入賞すると、所定個数の遊技球が賞球として払い出される。
【００１８】
パチンコ機１の前面には、払い出された賞球を受けるための上皿９及び下皿１０（受皿）が設けられている。上皿９及び下皿１０は上下に並設されており、上皿９が遊技球で満杯になると、それ以上の遊技球は連絡通路（図示せず）を通って流入口１１から下皿１０に流入する。下皿１０の前面には、水平方向（図１左右方向）に横長のスライド孔１２が形成されており、そのスライド孔１２から、第１開閉部材１７及び第２開閉部材１８（図２参照）を駆動するための操作部１３が露呈されている。操作部１３は、スライド孔１２に沿って左右にスライド可能に構成されており、操作部１３が操作されることにより第１開閉部材１７及び第２開閉部材１８が駆動され、下皿１０から遊技球を落下させることができる。パチンコ機１では、下皿１０が満杯になったときや遊技を終了するときには、下皿１０の下方に収容箱（図示せず）を載置した後に操作部１３を操作して、下皿１０に貯留された遊技球を収容箱に移すことができる。
【００１９】
次に図２を参照して、下皿１０（受皿１０）について説明する。図２（ａ）は第１実施の形態における受皿１０の平面図であり、図２（ｂ）は図２（ａ）の矢印ＩＩｂ−ＩＩｂ線における受皿１０の断面図である。
【００２０】
図２（ａ）に示すように受皿１０は、前扉枠５の前面に突設される底部１４と、その底部１４の周囲（前扉枠５の前面を除く）に立設される側壁部１５とを備えている。受皿１０の背面に形成された流入口１１には、後方に向けて突出する流入筒１１ａが接続されており、受皿１０は流入筒１１ａを通って流入口１１から流入する遊技球を貯留できる。受皿１０の底部１４の略中央には底部１４を貫通する円形の開口部１４ａが形成されている。開口部１４ａの中心に軸部１６が鉛直方向に配設されており、軸部１６は、開口部１４ａの内側に重装された円板状の第１開閉部材１７及び第２開閉部材１８（図２（ｂ）参照）の中心に嵌挿されている。
【００２１】
第１開閉部材１７は、開口部１４ａの内径よりわずかに小さい直径を有する円板状に形成される部材であり、開口部１４ａに軸部１６を中心にして円運動（回転）可能に配設されている。第１開閉部材１７は、回転中心（軸部１６）からずれた位置に略円形状の第１開口１７ａが厚さ方向に貫通形成されている。第１開口１７ａは、遊技球を抜き出すための開口であり、遊技球の外径より大きい内径を有している。これにより第１開口１７ａが開放されることにより、第１開口１７ａから遊技球を抜き出すことができ、第１開口１７ａが閉鎖されることにより、第１開口１７ａからの遊技球の落下が阻止され受皿１０への遊技球の貯留が可能となる。
【００２２】
第１開閉部材１７は、第１開口１７ａの縁端から上昇傾斜する上昇傾斜部１７ｂを備えている。上昇傾斜部１７ｂは、軸部１６を中心に回転する第１開閉部材１７の抵抗（受皿１０に貯留された遊技球の中を回転することによる抵抗）を低減するための部位であり、第１開口１７ａの移動方向（図２（ａ）上下方向）に向かって第１開口１７ａの縁端から上昇傾斜している。
【００２３】
図２（ｂ）に示すように、軸部１６は、前扉枠５の前面で且つ底部１４の下方に突設される突設部５ａに下端部が回動可能に支持されている。また、第１開閉部材１７の上面１７ｃは、底部１４の上面１４ｂと同一面に設定されているので、底部１４を転動して第１開口１７ａから流下する遊技球の移動（底部１４から第１開閉部材１７への移動）が妨げられることが防止される。
【００２４】
第１開閉部材１７の下方に第２開閉部材１８が配設されている。第２開閉部材１８は、開口部１４ａの内径よりわずかに小さい直径を有する円板状に形成される部材であり、開口部１４ａに軸部１６を中心にして第１開閉部材１７とは別個に円運動（回転）可能に配設されている。第２開閉部材１８は、回転中心（軸部１６）からずれた位置に略円形状の第２開口１８ａが厚さ方向に貫通形成されており、第２開口１８ａは、軸部１６を中心に第１開口１７ａから１８０°ずれた位置（点対称位置）に配置されている。第２開口１８ａは、遊技球を抜き出すための開口であり、遊技球の外径より大きい内径を有している。これにより第１開口１７ａ及び第２開口１８ａの位置が合致してそれらが連通することにより、第１開口１７ａ及び第２開口１８ａから遊技球を抜き出すことができ、第１開口１７ａと第２開口１８ａとの位置がずれ、第１開口１７ａと第２開口１８ａとが閉鎖されることにより、底部１４からの遊技球の落下が阻止され受皿１０への遊技球の貯留が可能となる。
【００２５】
第１ピニオン１９及び第２ピニオン２０は、後述する第３ピニオン２１と係合する部材であり、第２開閉部材１８の下方に位置する軸部１６の上下に並設されている。第１ピニオン１９及び第２ピニオン２０の各々の内側に第１の一方向クラッチ１９ａ及び第２の一方向クラッチ２０ａの外輪がそれぞれ一体に形成されている。第１の一方向クラッチ１９ａ及び第２の一方向クラッチ２０ａは、外輪から入力される一方向の回転を内輪に伝達する一方、外輪から入力される他方向の回転の内輪への伝達を遮断する部材であり、各々の一方向クラッチ１９ａ，２０ａの内輪に軸部１６が嵌挿されている。
【００２６】
ここで、図２（ｃ）を参照して、軸部１６について詳しく説明する。図２（ｃ）は軸部１６の先端側の要部断面図である。図２（ｃ）に示すように、軸部１６は、突設部５ａに支持された第１軸部１６ａと、その第１軸部１６ａが挿通される第２軸部１６ｂとを備えて構成されている。第２軸部１６ｂは、環状に形成される部材であり、第１軸部１６ａに段差状に形成された段差部１６ａ１に載置され、段差部１６ａ１により外径が小さく形成された先端部１６ａ２が挿通されている。これにより第１軸部１６ａは第２軸部１６ｂと相対回転可能に構成されている。第１開閉部材１７は第１軸部１６ａの先端部１６ａ２が嵌挿され、第１ピニオン１９（第１の一方向クラッチ１９ａ）は段差部１６ａ１より下側の第１軸部１６ａが嵌挿されている。第２開閉部材１８及び第２ピニオン２０（第２の一方向クラッチ２０ａ）は第２軸部１６ｂが嵌挿されている。以上のように構成されているので、第１開閉部材１７及び第２開閉部材１８は、軸部１６を中心にして別個に回転することが可能である。
【００２７】
第１の一方向クラッチ１９ａ及び第２の一方向クラッチ２０ａは、外輪から内輪へ伝達される回転が反対方向となるように逆向きに配置されている。本実施の形態では、平面視して（図２（ａ）参照）時計回りの第１ピニオン１９及び第２ピニオン２０の回動は、第２の一方向クラッチ２０ａにより軸部１６（第２軸部１６ｂ）に伝達され第２開閉部材１８が時計回りに回動するように構成されている。また、平面視して反時計回りの第１ピニオン１９及び第２ピニオン２０の回動は、第１の一方向クラッチ１９ａにより軸部１６（第１軸部１６ａ）に伝達され第１開閉部材１７が反時計回りに回動するように構成されている。
【００２８】
なお、第１の一方向クラッチ１９ａ及び第２の一方向クラッチ２０ａは、第１開閉部材１７及び第２開閉部材１８から入力される回転、即ち軸部１６から入力される回転を規制する爪付きラッチ（図示せず）が内蔵されている。これにより、受皿１０内に貯留された遊技球を遊技者が掴む等の動作によって第１開閉部材１７及び第２開閉部材１８が意図せずに回転してしまうことを防止できる。
【００２９】
図２（ａ）に戻って説明する。第３ピニオン２１は、第１ピニオン１９及び第２ピニオン２０と係合する部材であり、軸部１６の上下に並設された第１ピニオン１９及び第２ピニオン２０と係合可能な軸方向厚さに設定されている。ラック２２は、第３ピニオン２１と係合する水平方向に配置された部材であり、スライド孔１２に貫設された連結部２３を介して操作部１３と連結されている。これによりスライド孔１２に沿って操作部１３を左右にスライドさせることにより、ラック２２を左右に往復動（直線運動）させることができる。なお、第１〜第３ピニオン１９，２０，２１、ラック２２は、歯数が、操作部１３の１回の往動および復動により第１開閉部材１７及び第２開閉部材１８が軸部１６を中心に１８０°回転できるように設定されている。
【００３０】
ラック２２は、一端部に係止部２４が突設されると共に、付勢手段２５（コイルばね）が連結されている。付勢手段２５の一端は受皿１０に固定された被係止部２６に固着されているので、ラック２２は一方向（図２（ａ）右側）に付勢される。本実施の形態ではこの状態が初期状態であり、平面視して第１開口１７ａ及び第２開口１８ａが軸部１６を挟んで反対方向に位置し、遊技球が受皿１０に貯留される。
【００３１】
また、付勢手段２５の付勢力に抗して遊技者が操作部１３を指で摘んで操作（図２（ａ）左側にスライド）し、被係止部２６に係止部２４を係止することで、遊技者が操作部１３から指を離しても、ラック２２の右方向への移動が阻止される（その状態が維持される）。遊技者が操作部１３を操作して（外力を加えて）係止部２４を被係止部２６から離脱させると、付勢手段２５の付勢力によりラック２２は右方向に移動する。
【００３２】
受皿１０は以上のように構成されているので、操作部１３を操作してラック２２を左方向（図２（ａ）左側）にスライドさせると、第３ピニオン２１は平面視して時計回りに回動し、第１ピニオン１９及び第２ピニオン２０は反時計回りに回動する。その回動は第１の一方向クラッチ１９ａにより軸部１６（第１軸部１６ａ）に伝達され、第１開閉部材１７が反時計回りに回動する。一方、操作部１３を操作してラック２２を右方向にスライドさせると、第３ピニオン２１は平面視して反時計回りに回動し、第１ピニオン１９及び第２ピニオン２０は時計回りに回動する。その回動は第２の一方向クラッチ２０ａにより軸部１６（第２軸部１６ｂ）に伝達され、第２開閉部材１８が反時計回りに回動する。
【００３３】
次に図３を参照して、第１開閉部材１７及び第２開閉部材１８の動作について説明する。図３（ａ）は閉じ位置（第１開口１７ａが第２開閉部材１８により閉鎖される位置）にある第１開閉部材１７及び第２開閉部材１８の模式平面図であり、図３（ｂ）は開き位置（第１開口１７ａと第２開口１８ａとが連通する位置）にある第１開閉部材１７及び第２開閉部材１８の模式平面図であり、図３（ｃ）は開き位置にある第１開閉部材１７及び第２開閉部材１８の模式平面図であり、図３（ｄ）は閉じ位置にある第１開閉部材１７及び第２開閉部材１８の模式平面図であり、図３（ｅ）は閉じ位置にある第１開閉部材１７及び第２開閉部材１８の模式平面図であり、図３（ｆ）は開き位置にある第１開閉部材１７及び第２開閉部材１８の模式平面図であり、図３（ｇ）は開き位置にある第１開閉部材１７及び第２開閉部材１８の模式平面図であり、図３（ｈ）は閉じ位置にある第１開閉部材１７及び第２開閉部材１８の模式平面図である。なお、図３では、操作部１３（図２（ａ）参照）の移動方向を矢印Ｓで示し、第１開閉部材１７及び第２開閉部材１８の回転方向を矢印Ｒで示している。
【００３４】
まず、図３（ａ）に示す第１開閉部材１７及び第２開閉部材１８の初期位置では、第１開口１７ａは軸部１６の右側に位置し、第２開口１８ａは軸部１６の左側に位置している。その結果、第１開口１７ａ及び第２開口１８ａは平面視して１８０°ずれた位置にあり、第１開口１７ａは第２開閉部材１８の閉鎖部１８ｂ（第２開口１８ａ以外の部位）により閉鎖されている。これにより、第１開口１７ａからの遊技球の落下は阻止され、受皿１０に遊技球が貯留される。
【００３５】
次に、操作部１３を矢印Ｓ方向に移動させると、操作部１３と直結されたラック２２（図２（ａ）参照）と係合する第１〜第３ピニオン１９，２０，２１及び第１の一方向クラッチ１９ａにより第１開閉部材１７は矢印Ｒ方向に回転する。第１開閉部材１７が軸部１６を中心にして１８０°回転すると、図３（ｂ）に示すように、第１開口１７ａ及び第２開口１８ａが軸部１６の左側で連通する。これにより、受皿１０に貯留された遊技球は、軸部１６の左側から落下する。また、この状態では被係止部２６（図２（ａ）参照）に係止部２４が係止されるので、被係止部２６から係止部２４を離脱させるまで、遊技球の落下が持続する。
【００３６】
このように、被係止部２６に係止部２４が係止される位置で遊技球を落下させることができるように設定されているので、遊技球が落下される間、遊技者が操作部１３を押さえ続ける必要がなく、遊技者の負担を軽減することができる。
【００３７】
遊技者が操作部１３を操作して被係止部２６から係止部２４を離脱させると、付勢手段２５の付勢力によりラック２２及び操作部１３が矢印Ｓ方向に移動する（図３（ｃ）参照）。そうするとラック２２と係合する第１〜第３ピニオン１９，２０，２１及び第２の一方向クラッチ２０ａにより第２開閉部材１８は矢印Ｒ方向に回転する。第２開口１８ａの位置が変化し第１開口１７ａ及び第２開口１８ａの連通が解除されるので、第１開口１７ａは第２開閉部材１８の閉鎖部１８ｂ（第２開口１８ａ以外の部位）により閉鎖され、第１開口１７ａからの遊技球の落下は阻止される。ラック２２の移動により第２開閉部材１８が軸部１６を中心にして１８０°回転し、図３（ｄ）に示すように、第２開口１８ａが軸部１６の右側に移動する。
【００３８】
このように、遊技者が被係止部２６から係止部２４を離脱させるだけで、付勢手段２５によりラック２２が右方向に移動されるので、遊技者は操作部１３を摘んで右方向に移動させる必要がなく、遊技者の負担を軽減することができる。
【００３９】
次に、図３（ｅ）に示すように、操作部１３を矢印Ｓ方向に移動させると、操作部１３と直結されたラック２２と係合する第１〜第３ピニオン１９，２０，２１及び第１の一方向クラッチ１９ａにより第１開閉部材１７は矢印Ｒ方向に回転する。第１開閉部材１７が軸部１６を中心にして１８０°回転すると、図３（ｆ）に示すように、第１開口１７ａ及び第２開口１８ａが軸部１６の右側で連通する。これにより、受皿１０に貯留された遊技球は、軸部１６の右側から落下する。また、この状態では、被係止部２６（図２（ａ）参照）に係止部２４が係止されるので、係止部２４を離脱させるまで、遊技球の落下が持続する。
【００４０】
遊技者が操作部１３を操作して被係止部２６から係止部２４を離脱させると、付勢手段２５の付勢力によりラック２２及び操作部１３が矢印Ｓ方向に移動する（図３（ｇ）参照）。そうするとラック２２と係合する第１〜第３ピニオン１９，２０，２１及び第２の一方向クラッチ２０ａにより第２開閉部材１８は矢印Ｒ方向に回転する。第２開口１８ａの位置が変化し第１開口１７ａ及び第２開口１８ａの連通が解除されるので、第１開口１７ａは第２開閉部材１８の閉鎖部１８ｂ（第２開口１８ａ以外の部位）により閉鎖され、第１開口１７ａからの遊技球の落下は阻止される。ラック２２の移動により第２開閉部材１８が軸部１６を中心にして１８０°回転し、図３（ｈ）に示すように、第２開口１８ａが軸部１６の右側に移動する。これにより第１開閉部材１７及び第２開閉部材１８の初期位置に戻る（図３（ａ）参照）。
【００４１】
以上のように構成される受皿１０によれば、操作部１３が遊技者に操作されることにより、操作部１３に連係して第１開閉部材１７及び第２開閉部材１８が受皿１０の底部１４を円運動する。第１開閉部材１７の円運動の初期位置では（図３（ａ）参照）、第１開閉部材１７に形成された第１開口１７ａは、第２開閉部材１８に形成された閉鎖部１８ｂにより閉鎖される。これにより第１開閉部材１７の初期位置では、閉鎖部１８ｂにより遊技球の第１開口１７ａからの落下が阻止されるので、受皿１０内に遊技球が貯留された状態が維持される。
【００４２】
一方、第１開閉部材１７に対する第２開閉部材１８の相対移動により、第１開閉部材１７の第１開口１７ａが第２開閉部材１８の第２開口１８ａにより複数位置で開放される（図３（ｂ）、図３（ｆ）参照）。これにより受皿１０内の遊技球は、第１開口１７ａ及び第２開口１８ａを通過して複数位置から落下する。その結果、受皿１０に貯留された遊技球を複数位置に散らして落下させることができるので、簡易な機構で、受皿１０の下方に載置した収容箱（図示せず）の一箇所に遊技球が高く積もらないようにできる。
【００４３】
また、上述したように操作部１３が往復動（直線運動）可能に構成され、第１開閉部材１７は、操作部１３が一方向に移動される操作力を伝達すると共に他方向に移動される操作力を遮断する第１の一方向クラッチ１９ａを介して操作部１３に連係されている。一方、第２開閉部材１８は、操作部１３が一方向に移動される操作力を遮断すると共に他方向に移動される操作力を伝達する第２の一方向クラッチ２０ａを介して操作部１３に連係されている。
【００４４】
これにより、往復動可能に構成される操作部１３が一方向（図２（ａ）左方向）に移動される操作力は、第１の一方向クラッチ１９ａにより第１開閉部材１７に伝達される一方、第２の一方向クラッチ２０ａにより第２開閉部材１８への伝達が遮断される。また、操作部１３が他方向（図２（ａ）右方向）に移動される操作力は、第１の一方向クラッチ１９ａにより第１開閉部材１７への伝達が遮断される一方、第２の一方向クラッチ２０ａにより第２開閉部材１８に伝達される。以上のように、簡易な操作部１３の往復動により第１開閉部材１７及び第２開閉部材１８を交互に移動させ、遊技球を複数位置から落下させることができる。
【００４５】
また、第１開口１７ａ及び第２開口１８ａは回転中心（軸部１６）に対して１８０°ずれた点対称位置に形成されているので、第１開口１７ａ及び第２開口１８ａが連通することによる遊技球の落下位置を、最大に離間させることができる。これにより底部１４の下方に収容箱（図示せず）を載置して遊技球を受皿１０から抜き出すときに、遊技球の落下位置の水平距離を大きくすることができる。その結果、収容箱に収容される遊技球を分散させて均すことができる。
【００４６】
次に図４を参照して、受皿１０に貯留された遊技球Ｂと第１開閉部材１７との関係について説明する。図４（ａ）は図２（ａ）の矢印ＩＶ−ＩＶ線における受皿１０の断面図であり、図４（ｂ）は従来の受皿の断面図である。なお、図４（ａ）では、第１開閉部材１７の移動方向を矢印で図示している。
【００４７】
図４（ｂ）を説明する前に、まず、一般的なパチンコ機１の動作について、図１を参照しながら説明する。パチンコ機１は、上皿９に貯留した遊技球を球送り機構（図示せず）により一球ずつ発射位置に自動的に供給し、遊技者による遊技球発射ハンドル８の回動操作によって、発射位置にある遊技球が発射装置により打圧され遊技領域に打ち出される。なお、上皿９が遊技球で満杯になると、遊技球は自動的に流出口１１から受皿１０（下皿）に流出され貯留される。受皿１０も満杯となり遊技球が溢れそうになると、満杯状態が改善されるまで発射装置の遊技球遊技球発射作動を停止させ、新たな入賞が生じて受皿１０に更なる遊技球（賞球）が払い出されるのを防止する。即ち、受皿１０が満杯になると遊技者は遊技球を発射できなくなる。
【００４８】
ここで、受皿１０が満杯となるのは、大抵、大量の遊技球が払い出される大当たり遊技中である。大当たり遊技は、所定時間内に遊技球を大入賞口に入賞させて賞球を獲得するものがほとんどであり、中には所定時間内に遊技球を大入賞口の特定領域に規定数の入賞がないと大当たり遊技が途中終了してしまうものもある。従って、大当たり遊技中に受皿１０が満杯となり遊技球を発射できなくなると、大当たり遊技で獲得可能な利益を十分に享受できなくなる。そこで、遊技者は受皿１０が満杯となる前に、球抜き孔Ｈ（図４（ｂ）参照）を開閉する開閉部材Ｐをスライドさせ球抜き孔Ｈを開放して、遊技球Ｂを球抜き孔Ｈから抜き出して収容箱（図示せず）に移し替える必要がある。
【００４９】
しかし、大当たり遊技中は、遊技者は興奮状態にありがちなため、受皿１０が満杯となるまで気づかずに、発射装置が停止されてから慌てて球抜き作業を行い、遊技球Ｂを排出することが多々ある。ところが、遊技球Ｂが満杯となった状態で球抜き孔Ｈを開放しても遊技球Ｂが排出されず、発射停止が長引いて遊技者の損失が大きくなることがある。
【００５０】
図４（ｂ）に示すように、球抜き孔Ｈから遊技球Ｂが排出されない原因は、貯留された遊技球Ｂがドーム状になって均衡する「ブリッジ配列」（図４（ｂ）の矢印Ａで示す部分）が球抜き孔Ｈの上方に形成されて球抜き孔Ｈの上方の遊技球Ｂが重力に抗するためである。このような場合には、遊技者が手ずから遊技球Ｂをかき混ぜれば、遊技球Ｂの配列が崩れてブリッジ配列Ａが解消され、球抜き孔Ｈから遊技球Ｂが排出されるようになる。しかし、大当たり遊技中の時間ロスは避けられず、遊技者に損失を与え遊技の興趣を損ねていた。
【００５１】
これに対し、図４（ａ）に示す受皿１０によれば、第１開閉部材１７は、上面１７ｃが底部１４に露呈されており受皿１０に貯留される遊技球Ｂに接触しているので、第１開口１７ａと第２開口１８ａとを連通させるために第１開閉部材１７が円運動されることにより、受皿１０に貯留された遊技球Ｂのうち第１開閉部材１７に接触するもの（特に第１開口１７ａ付近の遊技球Ｂ）が転動される。これにより、遊技球Ｂの配列を崩しブリッジ配列Ａを解消できる。その結果、連通させた第１開口１７ａ及び第２開口１８ａから遊技球Ｂを落下させることができる。即ち、遊技者が球抜き作業を行うために操作部１３（図２（ａ）参照）を操作することにより、受皿１０に貯留された遊技球Ｂが第１開口１７ａの上方で均衡するブリッジ配列Ａを崩すことができると共に、第１開口１７ａと第２開口１８ａとを複数位置で連通させ、遊技球Ｂを分散させて落下させることができる。
【００５２】
従って、遊技者が手ずから受皿１０内の遊技球Ｂをかき混ぜるようなことをしなくても、操作部１３を操作することにより、遊技球Ｂの配列が崩れてブリッジ配列Ａが解消され、遊技球Ｂが排出される。その結果、大当たり遊技中の時間ロスが生じることはなく、遊技の興趣を損ねることを防止できる。
【００５３】
また、上面１７ｃが遊技球Ｂに接触する第１開閉部材１７は、第１開閉部材１７の移動方向の後方（図４（ａ）反矢印方向）に向かって第１開口１７ａの縁端１７ａ１から上昇傾斜する上昇傾斜部１７ｂを備えているので、操作部１３を操作すると、受皿１０に貯留された遊技球Ｂの下側を擦るように上昇傾斜部１７ｂを移動させ、第１開閉部材１７を円運動させるときの抵抗を小さくできる。その結果、第１開閉部材１７を円運動させるときの操作部１３の操作力を低く抑えることができる。
【００５４】
次に図５を参照して、第２実施の形態について説明する。第１実施の形態では、受皿１０の底部１４に重装された第１開閉部材１７及び第２開閉部材１８を備え、第１開閉部材１７及び第２開閉部材１８が相対回転することにより第１開口１７ａを異なる位置で開閉し遊技球を排出する場合について説明した。これに対し第２実施の形態では、受皿３０の底部３１に移動可能に配設された開閉部材３３を備え、底部３１に形成された球抜き孔３１ｂを開閉部材３３で開閉する場合について説明する。なお、以下の各実施の形態においては、第１実施の形態で説明したパチンコ機１に配設された受皿１０に代えて、各受皿が配設されるものとして説明する。また、第１実施の形態と同一の部分については、同一の符号を付して以下の説明を省略する。図５（ａ）は第２実施の形態における受皿３０の平面図であり、図５（ｂ）は図５（ａ）の矢印Ｖｂ−Ｖｂ線における受皿３０の断面図である。
【００５５】
図５（ａ）に示すように受皿３０は、前扉枠５の前面に突設される底部３１と、その底部３１の周囲（前扉枠５の前面を除く）に立設される側壁部３２とを備えている。受皿３０の背面に形成された流入口１１には、後方に向けて突出する流入筒１１ａが接続されており、受皿３０は流入筒１１ａを通って流入口１１から流入する遊技球を貯留できる。受皿３０の底部３１の略中央には平面視して円形状の凹部３１ａが形成されている。
【００５６】
凹部３１ａは、後述する開閉部材３３が収装される部位であり、凹部３１ａの深さ（底部３１の上面３１ｃと凹部３１ａの底面との距離）は開閉部材３３の厚さより少し大きめに形成されている（図５（ｂ）参照）。これにより凹部３１ａに収装された開閉部材３３の上面３３ｄと、底部３１の上面３１ｃとを同一面に位置させることができる。凹部３１ａに収装された開閉部材３３の上面３３ｄが底部３１の上面３１ｃより高い位置にあると、受皿３０に貯留された遊技球の円滑な移動（底部３１から開閉部材３３への移動）が妨げられるからである。
【００５７】
凹部３１ａは、底部３１を貫通する球抜き孔３１ｂが２箇所に形成されている。球抜き孔３１ｂは遊技球を抜き出すための孔であり、遊技球の外径より大きい内径を有する円形状に形成されている。２つの球抜き孔３１ｂは、平面視して凹部３１ａの中心を挟んで対称状に配置されている。これにより、凹部３１ａに対して２つの球抜き孔３１ｂ間の距離を最大にできる。その結果、２つの球抜き孔３１ｂから落下する遊技球の落下点間の水平距離を大きくすることができ、遊技球を広く散らして球抜き孔３１ｂから落下させることができる。
【００５８】
開閉部材３３は、凹部３１ａの内径よりわずかに小さい直径を有する円板状に形成される部材であり、凹部３１ａに軸部３４を中心にして円運動（回転）可能に配設されている。開閉部材３３は、回転中心（軸部３４）からずれた位置に略半円形状の開口３３ａが厚さ方向に貫通形成（外周から切欠き形成）されている。開口３３ａは、遊技球を抜き出すための部位であり、遊技球の外径より大きい内径を有している。これにより球抜き孔３１ｂと開口３３ａとが連通し球抜き孔３１ｂが開放されることにより、球抜き孔３１ｂから遊技球を抜き出すことができ、球抜き孔３１ｂの上方に開口３３ａ以外の部位（閉鎖部３３ｂ）が位置して球抜き孔３１ｂが閉鎖されることにより、球抜き孔３１ｂからの遊技球の落下が阻止され受皿３０への遊技球の貯留が可能となる。
【００５９】
開閉部材３３は、開口３３ａの縁端から上昇傾斜する上昇傾斜部３３ｃを備えている。上昇傾斜部３３ｃは、軸部３４を中心に回転する開閉部材３３の抵抗（受皿３０に貯留された遊技球の中を回転することによる抵抗）を低減するための部位であり、開口３３ａの移動方向（図５（ａ）左右方向）に向かって開口３３ａの縁端から上昇傾斜している。
【００６０】
図５（ｂ）に示すように、凹部３１ａの中心に軸部３４が鉛直方向に貫設されており、軸部３４は、前扉枠５の前面で且つ底部３１の下方に突設される突設部５ａに下端部が回動可能に支持されている。第１ピニオン３５は、後述する第２ピニオン３６と係合する部材であり、底部３１と突設部５ａとの間の軸部３４に配設されている。第１ピニオン３５は軸部３４が中心に嵌挿されており、軸部３４と一体に回転可能に構成されている。
【００６１】
図５（ａ）に戻って説明する。第２ピニオン３６は、第１ピニオン３５と係合する部材であり、底部３１の下方に軸支されている。ラック３７は、第２ピニオン３６と係合する水平方向に配置された部材であり、下皿３０の前面の水平方向（図５（ａ）左右方向）に形成されたスライド孔３２ａに貫設された連結部４０を介して操作部４１と連結されている。これによりスライド孔３２ａに沿って操作部４１を左右にスライドさせることにより、ラック３７を左右に往復動（直線運動）させることができる。なお、第１、第２ピニオン３５，３６、ラック３７は、歯数が、操作部４１の１回の往動および復動により開閉部材３３が軸部３４を中心に９０°回動できるように設定されている。
【００６２】
ラック３７は、両端部に係止部３７が突設されると共に、各端部に付勢手段３８（コイルばね）が連結されている。付勢手段３８の一端は受皿３０に固定された被係止部３９に固着されているので、ラック３７は付勢手段３８ａ，３８ｂにより被係止部３９ａ，３９ｂの中間位置（初期位置）で均衡状態となる。
【００６３】
受皿３０は以上のように構成されているので、操作部４１を操作してラック３７を左方向（図５（ａ）左側）にスライドさせると、第２ピニオン３６は平面視して時計回りに回動し、第１ピニオン３５は反時計回りに回動する。その回動により開閉部材３３が反時計回りに回動する。開閉部材３３が反時計回りに９０°回動すると、開口３３ａと球抜き孔３１ｂとが軸部３４の左側で連通する。これにより、開口３３ａ及び球抜き孔３１ｂを通過して遊技球が軸部３４の左側に落下する。このときは被係止部３９ａに係止部３７ａが係止され、付勢手段３８の付勢力によるラック３７の移動が阻止されるので、遊技球が落下される間、遊技者が操作部４１を押さえ続ける必要がなく、遊技者の負担を軽減することができる。
【００６４】
次に、操作部４１を操作して、被係止部３９ａから係止部３７ａを離脱させつつラック３７を右方向（図５（ａ）右側）にスライドさせると、第２ピニオン３６は平面視して反時計回りに回動し、第１ピニオン３５は時計回りに回動する。その回動により開閉部材３３が時計回りに回動する。開閉部材３３の回動により開口３３ａと球抜き孔３１ｂとの連通が解除されると、球抜き孔３１ｂからの遊技球の落下が停止する。
【００６５】
さらに操作部４１が右方向にスライドされると、開口３３ａと球抜き孔３１ｂとが軸部３４の右側で連通する。これにより、開口３３ａ及び球抜き孔３１ｂを通過して遊技球が軸部３４の右側に落下する。このときは被係止部３９ｂに係止部３７ｂが係止され、付勢手段３８の付勢力によるラック３７の移動が阻止されるので、遊技球が落下される間、遊技者が操作部４１を押さえ続ける必要がなく、遊技者の負担を軽減することができる。
【００６６】
球抜き孔３１ｂからの遊技球の落下を停止するには、操作部４１を操作して、被係止部３９ｂから係止部３７ｂを離脱させる。そうすると付勢手段３８の付勢力によりラック３７は左方向に移動され、その結果、開閉部材３３の回動により開口３３ａと球抜き孔３１ｂとの連通が解除される。ラック３７は付勢手段３８により被係止部３９ａ，３９ｂの中間位置（初期位置）で均衡状態となるので、遊技者により操作部４１が操作されない限り、球抜き孔３１ｂは開閉部材３３の閉鎖部３３ｂ（開口３３ａ以外の部位）で閉鎖される。これにより遊技球は受皿３０に貯留される。
【００６７】
なお、上面３３ｄが遊技球に接触する開閉部材３３は、開閉部材３３（開口３３ａ）の移動方向の後方（図５（ａ）左右方向）に向かって開口３３ａの縁端から上昇傾斜する上昇傾斜部３３ｃを備えている。これにより操作部４１を操作すると、受皿３０に貯留された遊技球の下側を擦るように上昇傾斜部３３ｃを移動させることができ、開閉部材３３を円運動させるときの抵抗を小さくできる。その結果、開閉部材３３を円運動させるときの操作部４１の操作力を低く抑えることができる。
【００６８】
また、受皿３０の開閉部材３３は、上面３３ｄが底部３１に露呈されており（図５（ｂ）参照）、受皿３０に貯留される遊技球に接触するので、開口３３ａと球抜き孔３１ｂとを連通させるために開閉部材３３が円運動されることにより、受皿３０に貯留された遊技球のうち開閉部材３３に接触するもの（特に開口３３ａ付近の遊技球）が転動される。これにより、貯留された遊技球の配列を崩しブリッジ配列を解消できる。その結果、連通させた開口３３ａ及び球抜き孔３１ｂから遊技球を落下させることができる。即ち、遊技者が球抜き作業を行うために操作部４１（図５（ａ）参照）を操作することにより、受皿３０に貯留された遊技球が開口３３ａの上方で均衡するブリッジ配列を崩すことができると共に、開口３３ａと球抜き孔３１ｂとを複数位置（本実施の形態では２箇所）で連通させ、遊技球を分散させて落下させることができる。
【００６９】
次に図６を参照して、第３実施の形態について説明する。第２実施の形態では、底部３１（凹部３１ａ）に円形の球抜き孔３１ｂが２箇所に形成される場合について説明した。これに対し第３実施の形態では、球抜き孔５１ｃが底部５１（凹部５１ａ）の略中央の一箇所に形成される場合について説明する。なお、第１実施の形態および第２実施の形態と同一の部分には、同一の符号を付して以下の説明を省略する。図６（ａ）は第３実施の形態における受皿５０の平面図であり、図６（ｂ）は図６（ａ）の矢印ＶＩｂ−ＶＩｂ線における受皿５０の断面図である。
【００７０】
図６（ａ）に示すように受皿５０は、前扉枠５の前面に突設される底部５１と、その底部５１の周囲（前扉枠５の前面を除く）に立設される側壁部５２とを備えている。受皿５０の背面に形成された流入口１１には、後方に向けて突出する流入筒１１ａが接続されており、受皿５０は流入筒１１ａを通って流入口１１から流入する遊技球を貯留できる。受皿５０の底部５１の略中央には平面視して円形状の凹部５１ａが形成されている。
【００７１】
凹部５１ａは、開閉部材３３が収装される部位であり、凹部５１ａの周縁の一部（図６（ａ）上側）から凹部５１ａの中心（軸部３４）に向かって平面視して略半円状に突出される突縁部５１ｂと、その突縁部５１ｂ以外の部位であって底部５１の厚さ方向に貫通形成された球抜き孔５１ｃとを備えている。
【００７２】
突縁部５１ｂは、開閉部材３３の開口３３ａと重なり合う場合に開口３３ａを閉鎖するための部位であり、受皿５０の奥側（前扉枠５側）の凹部５１ａの周縁から凹部５１ａの中心に向かって突設されており、突縁部５１ｂの大きさは開口３３ａの大きさよりわずかに大きめに形成されている。球抜き孔５１ｃは遊技球を抜き出すための孔であり、凹部５１ａの突縁部５１ｂを除く部位に形成されている。球抜き孔５１ｃは、開閉部材３３の閉鎖部３３ｂ（開口３３ａ以外の部位）と重なり合うことで閉鎖される。また、軸部３４を中心に開閉部材３３が回動されて開口３３ａと球抜き孔５１ｃとが連通して、その連通部分が遊技球の通過可能な大きさになると、遊技球を落下させることができる。
【００７３】
セクターギヤ５３（扇型ギヤ）はラック３７と係合する部材であり、図６（ｂ）に示すように、底部５１と突設部５ａとの間の軸部３４に配設されている。セクターギヤ５３は軸部３４が回動中心に嵌挿されており、軸部３４と一体に回動可能に構成されている。これにより、スライド孔３２ａ（図６（ａ）参照）に沿って操作部４１を左右にスライドさせることにより、ラック３７を左右に往復動（直線運動）させ、ラック３７に係合するセクターギヤ５３により軸部３４を回動させることができる。なお、セクターギヤ５３、ラック３７は、歯数が、操作部４１の１回の往動および復動により開閉部材３３が軸部３４を中心にそれぞれ９０°回動できるように設定されている。
【００７４】
また、セクターギヤ５３は扇型に形成されているので、セクターギヤ５３を球抜き孔５１ｃの内側に配置した場合であっても、セクターギヤ５３が球抜き孔５１ｃからの球抜き作業の障害となることを防止できる。
【００７５】
受皿５０は以上のように構成されているので、図６（ａ）に示す初期位置において、操作部４１を操作してラック３７を左方向（図６（ａ）左側）にスライドさせると、セクターギヤ５３は平面視して時計回りに回動する。その回動により開閉部材３３が時計回りに回動する。開閉部材３３が時計回りに回動し、開口３３ａと球抜き孔５１ｃとが連通する連通部分が遊技球の通過可能な大きさになると、遊技球が球抜き孔５１ｃの右側から落下する。遊技球の落下位置は、開閉部材３３が回動して開口３３ａの位置が時計回りに変化するのに伴い変化する。ラック３７が水平移動され被係止部３９ａに係止部３７ａが係止されると、付勢手段３８の付勢力によるラック３７の移動が阻止されるので、遊技球が落下される間、遊技者が操作部４１を押さえ続ける必要がなく、遊技者の負担を軽減することができる。
【００７６】
次に、操作部４１を操作して、被係止部３９ａから係止部３７ａを離脱させつつラック３７を右方向（図６（ａ）右側）にスライドさせると、セクターギヤ５３は平面視して反時計回りに回動する。その回動により開閉部材３３が反時計回りに回動する。開閉部材３３の回動により開口３３ａが突縁部５１ｂに到達して、開口３３ａと球抜き孔３１ｂとの連通部分が、遊技球が通過できない程度の大きさになると、球抜き孔３１ｂからの遊技球の落下が停止する。
【００７７】
さらに操作部４１が右方向にスライドされると、開閉部材３３が反時計回りに回動し、開口３３ａが突縁部５１ｂを通過する。開口３３ａと球抜き孔５１ｃとが連通する連通部分が遊技球の通過可能な大きさになると、遊技球が球抜き孔５１ｃの左側から落下する。遊技球の落下位置は、開閉部材３３が回動して開口３３ａの位置が反時計回りに変化するのに伴い変化する。ラック３７が水平方向に移動され被係止部３９ｂに係止部３７ｂが係止されると、付勢手段３８の付勢力によるラック３７の移動が阻止されるので、遊技球が落下される間、遊技者が操作部４１を押さえ続ける必要がなく、遊技者の負担を軽減することができる。
【００７８】
球抜き孔３１ｂからの遊技球の落下を停止するには、操作部４１を操作して、被係止部３９ｂから係止部３７ｂを離脱させる。そうすると付勢手段３８の付勢力によりラック３７は左方向に移動され、その結果、開閉部材３３の回動により開口３３ａと突縁部５１ｂとが重なり合い、開口３３ａと球抜き孔５１ｃとの連通が解除される。ラック３７は付勢手段３８により被係止部３９ａ，３９ｂの中間位置（初期位置）で均衡状態となるので、遊技者により操作部４１が操作されない限り、球抜き孔５１ｃは開閉部材３３の閉鎖部３３ｂ（開口３３ａ以外の部位）で閉鎖される。これにより遊技球は受皿３０に貯留される。
【００７９】
また、受皿３０の開閉部材３３は、上面３３ｄが底部３１に露呈されており（図６（ｂ）参照）、受皿３０に貯留される遊技球に接触するので、開口３３ａと球抜き孔５１ｃとを連通させるために開閉部材３３が円運動されることにより、受皿５０に貯留された遊技球のうち開閉部材３３に接触するもの（特に開口３３ａ付近の遊技球）が転動される。これにより、貯留された遊技球の配列を崩しブリッジ配列を解消できる。その結果、連通させた開口３３ａ及び球抜き孔５１ｃから遊技球を落下させることができる。即ち、遊技者が球抜き作業を行うために操作部４１（図６（ａ）参照）を操作することにより、受皿５０に貯留された遊技球が開口３３ａの上方で均衡するブリッジ配列を崩すことができると共に、開口３３ａと球抜き孔５１ｃとを複数位置（本実施の形態では突縁部３１ｂとセクターギヤ５３との間の広範囲）で連通させ、遊技球を球抜き孔５１ｃの左右に分散させて落下させることができる。
【００８０】
次に図７を参照して、第４実施の形態について説明する。第１実施の形態から第３実施の形態では、第１開閉部材１７や開閉部材３３が円運動される場合について説明した。これに対し第４実施の形態では、受皿６０の底部６１に配設された開閉部材６３が直線運動可能に構成される場合について説明する。なお、第１実施の形態と同一の部分については、同一の符号を付して以下の説明を省略する。図７（ａ）は第４実施の形態における受皿６０の平面図であり、図７（ｂ）は図７（ａ）の矢印ＶＩＩｂ−ＶＩＩｂ線における受皿６０の断面図であり、図７（ｃ）は図７（ａ）の矢印ＶＩＩｃ−ＶＩＩｃ線における受皿６０の断面図である。
【００８１】
図７（ａ）に示すように受皿６０は、前扉枠５の前面に突設される底部６１と、その底部６１の周囲（前扉枠５の前面を除く）に立設される側壁部６２とを備えている。受皿６０の底部６１の前後方向（図７（ａ）上下方向）の略中央には平面視して矩形状の横長の凹部６１ａが形成されている。
【００８２】
凹部６１ａは、開閉部材６３が収装される部位であり、凹部６１ａの深さ（底部６１の上面６１ｃと凹部６１ａの底面との距離）は開閉部材６３の厚さより少し大きめに形成されている（図７（ｂ）参照）。これにより凹部６１ａに収装された開閉部材６３の上面６３ｄと、底部６１の上面６１ｃとを同一面に位置させることができる。凹部６１ａに収装された開閉部材６３の上面６３ｄが底部６１の上面６１ｃより高い位置にあると、受皿６０に貯留された遊技球の円滑な移動（底部６１から開閉部材６３への移動）が妨げられるからである。
【００８３】
凹部６１ａは、底部６１を貫通する球抜き孔６１ｂが間隔をあけて左右の２箇所に形成されている。球抜き孔６１ｂは遊技球を抜き出すための孔であり、遊技球の外径より大きい内径を有する円形状に形成されている。２つの球抜き孔６１ｂは、平面視して凹部６１ａの左右方向（図７（ａ）左右方向）の中心を挟んで対称状に配置されている。これにより、２つの球抜き孔６１ｂから落下される遊技球を、受皿の左右に散らすことができる。
【００８４】
開閉部材６３は、凹部６１ａの幅（図７（ａ）上下方向）よりわずかに小さい幅を有すると共に、左右の球抜き孔６１ｂを閉鎖可能な長さに設定された横長の矩形状の部材であり、凹部６１ａに直線（往復）運動可能に配設されている。開閉部材６３は、長手方向（図７（ａ）左右方向）の略中央に円形状の開口６３ａが厚さ方向に貫通形成されている。開口６３ａは、遊技球を抜き出すための部位であり、遊技球の外径より大きい内径を有している。これにより球抜き孔６１ｂと開口６３ａとが連通し球抜き孔６１ｂが開放されることにより、球抜き孔６１ｂから遊技球を抜き出すことができ、球抜き孔６１ｂの上方に開口６３ａ以外の部位（開閉部材６１の閉鎖部）が位置して球抜き孔６１ｂが閉鎖されることにより、球抜き孔６１ｂからの遊技球の落下が阻止され受皿６０への遊技球の貯留が可能となる。
【００８５】
図７（ｂ）に示すように、開閉部材６３は、開口６３ａの縁端から上昇傾斜する上昇傾斜部６３ｂを備えている。上昇傾斜部６３ｂは、開閉部材６３の直線運動時の抵抗（受皿６０に貯留された遊技球の中を移動することによる抵抗）を低減するための部位であり、開口６３ａの移動方向（図７（ａ）左右方向）に向かって開口６３ａの縁端から上昇傾斜している。
【００８６】
また、開閉部材６３は、長手方向の両端部にも縁端から上昇傾斜する上昇傾斜部６３ｃが形成されている。上昇傾斜部６３ｃは、開閉部材６３の直線運動時の抵抗（受皿６０に貯留された遊技球の中を移動することによる抵抗）を低減するための部位であり、開閉部材６３の移動方向（図７（ａ）左右方向）に向かって縁端から上昇傾斜している。
【００８７】
なお、図７（ｃ）に示すように、凹部６１ａは、幅方向（図７（ｃ）左右方向）において、内壁６１ａ１が上端に向かうにつれて内側（開閉部材６３側）に向かってテーパー状に迫り出しているので、開閉部材６３が凹部６１ａから離脱することが防止される。
【００８８】
図７（ａ）に戻って説明する。開閉部材６３は、前方に延設された連結部６４を介して、遊技者により操作される操作部６５に直結されている。連結部６４は、下皿６０の前面の水平方向（図７（ａ）左右方向）に形成されたスライド孔６２ａに貫設される部材であり、その連結部６４に連結された操作部６５がスライド孔６２ａから露呈している。これによりスライド孔６２ａに沿って操作部６５を左右にスライドさせることにより、連結部６５を介して開閉部材６３を左右に往復動（直線運動）させることができる。
【００８９】
連結部６４は、左右に付勢手段６６（コイルばね）が連結されている。付勢手段６６の一端は受皿６０に固定された被係止部６７に固着されているので、連結部６４は付勢手段６６により被係止部６７の中間位置（初期位置）で均衡状態となる。このときは図７（ｂ）に示すように、開閉部材６３に形成された開口６３ａは底部６１で閉鎖され、底部６１に形成された球抜き孔６１ｂは開閉部材６３で閉鎖される。これにより受皿６０に遊技球が貯留される。
【００９０】
一方、操作部６５を操作して連結部６４を左右方向（図７（ａ）左右方向）にスライドさせると、操作部６５に直結された開閉部材６３は左右に往復動（直線運動）される。その結果、開口６３ａと球抜き孔６１ｂとが連通すると、開口６３ａ及び球抜き孔６１ｂを通過して遊技球が底部６１の左右から落下する。開閉部材６３が左または右にスライドされ開口６３ａと球抜き孔６１ｂとが連通するときは、連結部６４に突設された係止部（図示せず）が被係止部６７に係止され、付勢手段６６の付勢力による連結部６４の移動が阻止される。これにより、遊技球が落下される間、遊技者が操作部６５を押さえ続ける必要がなく、遊技者の負担を軽減することができる。
【００９１】
球抜き孔６１ｂからの遊技球の落下を停止するには、操作部６５を操作して、被係止部６７から係止部（図示せず）を離脱させる。そうすると付勢手段６６の付勢力により連結部６４及び開閉部材６３は初期位置（均衡状態）に移動され（図７（ａ）参照）、その結果、開口６３ａと球抜き孔６１ｂとの連通が解除される。受皿６０は、以上のような簡易な機構で、遊技球を左右に振り分けて収容箱（図示せず）に排出することが可能となる。
【００９２】
なお、上面６３ｄが底部６１に露呈し遊技球に接触する開閉部材６３は、開閉部材６３（開口６３ａ）の移動方向の後方（図７（ａ）左右方向）に向かって開口６３ａの縁端から上昇傾斜する上昇傾斜部６３ｂを備えている。これにより操作部６５を操作すると、受皿６０に貯留された遊技球の下側を擦るように上昇傾斜部６３ｂを移動させることができ、開閉部材６３を直線運動させるときの抵抗を小さくできる。その結果、開閉部材６３を直線運動させるときの操作部６５の操作力を低く抑えることができる。
【００９３】
また、開閉部材６３は、開閉部材６３（開口６３ａ）の移動方向の後方（図７（ａ）左右方向）に向かって長手方向両端部の縁端から上昇傾斜する上昇傾斜部６３ｃを備えている。これにより操作部６５を操作すると、受皿６０に貯留された遊技球の下側を擦るように上昇傾斜部６３ｃを移動させることができ、開閉部材６３を直線運動させるときの抵抗を小さくできる。その結果、開閉部材６３を直線運動させるときの操作部６５の操作力をさらに低く抑えることができる。
【００９４】
また、開閉部材６３は、上面６３ｄが底部６１に露呈されており（図７（ｂ）参照）、受皿６０に貯留される遊技球に接触するので、開口６３ａと球抜き孔６１ｂとを連通させるために開閉部材６３が直線運動されることにより、受皿６０に貯留された遊技球のうち開閉部材６３に接触するもの（特に開口６３ａ付近の遊技球）が転動される。これにより、貯留された遊技球の配列を崩しブリッジ配列を解消できる。その結果、連通させた開口６３ａ及び球抜き孔６１ｂから遊技球を落下させることができる。即ち、遊技者が球抜き作業を行うために操作部６５（図７（ａ）参照）を操作することにより、受皿６０に貯留された遊技球が開口６３ａの上方で均衡するブリッジ配列を崩すことができると共に、開口６３ａと球抜き孔６１ｂとを複数位置（本実施の形態では２箇所）で連通させ、遊技球を分散させて落下させることができる。
【００９５】
次に図８を参照して、第５実施の形態について説明する。第４実施の形態では開閉部材６３が直線運動される場合について説明した。第５実施の形態では、第４実施の形態と比較して小さな操作力で開閉部材６３を直線運動できる受皿７０について説明する。なお、第４実施の形態と同一の部分については、同一の符号を付して以下の説明を省略する。図８（ａ）は第５実施の形態における受皿７０の平面図であり、図８（ｂ）は図８（ａ）の矢印ＶＩＩＩｂ−ＶＩＩＩｂ線における受皿７０の断面図である。
【００９６】
図８（ａ）及び図８（ｂ）に示すように、受皿７０は底部６１に形成された凹部６１ａの左右方向両端部の上方に覆設された薄板状のカバー部７１を備えている。カバー部７１は、開閉部材６３と凹部６１ａとの間に遊技球が侵入することを防止するための部材であり、凹部６１ａが形成された底部６１の前後に跨って配置されている。これにより、開閉部材６３の直線運動時の抵抗（受皿７０に貯留された遊技球の中を移動することによる抵抗）を低減することができ、遊技者による操作部６５の操作力を小さくできる。また、凹部６１ａの左右方向両端部の上方にカバー部７１が覆設されることにより、第４実施の形態で説明した上昇傾斜部６３ｃ（図７（ａ）及び図７（ｂ）参照）を不要にできる。
【００９７】
なお、カバー部７１は、内側端部７１ａが初期位置（均衡状態）にある開閉部材６３の両端部の上方に位置する（カバー部７１と開閉部材６３とが一部重なり合う）ので、ゴミや埃等を凹部６１ａ内に侵入し難くできる。これにより、侵入したゴミや埃等により開閉部材６３がスムーズに直線運動できなくなることを防止できる。
【００９８】
付勢手段７２は、開閉部材６３を初期位置（均衡状態）に定置させるための手段であり、板ばねにより形成されている。付勢手段７２は、開閉部材６３の移動方向端部に一端が連結され他端が凹部６１ａの長手方向内側端部に固定されている。カバー部７１で覆われた凹部６１ａ内の空間に付勢手段７２が配設されているので、空間を有効活用することができ、開閉部材６３の移動機構を小型化できる。
【００９９】
次に図９を参照して、第６実施の形態について説明する。第４実施の形態および第５実施の形態では、複数の球抜き孔６１ｂが左右方向の同一直線上に位置する場合について説明した。これに対し第６実施の形態では、球抜き孔８１ａ，８１ｂと前扉枠５の前面との水平距離を異ならせた場合について説明する。なお、第１実施の形態と同一の部分については、同一の符号を付して以下の説明を省略する。図９（ａ）は第６実施の形態における受皿８０の平面図であり、図９（ｂ）は図９（ａ）の矢印ＩＸｂ−ＩＸｂ線における受皿８０の断面図である。
【０１００】
図９（ａ）に示すように受皿８０は、前扉枠５の前面に突設される底部８１（図９（ｂ）参照）と、その底部８１の周囲（前扉枠５の前面を除く）に立設される側壁部８２とを備えている。受皿８０の底部８１には、遊技者側（手前側）及び前扉枠５側（奥側）に球抜き孔８１ａ，８１ｂが厚さ方向に貫通形成されている。遊技者側（手前側）の球抜き孔８１ａは、前扉枠５側（奥側）の球抜き孔８１ｂに比べて開口面積が大きくなるように設定されている。また、球抜き孔８１ａ，８１ｂは底部８１の左右方向の中心に対して左右両側に位置するように形成されている。
【０１０１】
開閉部材８３は、底部８１の幅（図９（ａ）上下方向）よりわずかに大きい幅を有すると共に、左右の球抜き孔８１ａ，８１ｂを閉鎖可能な長さに設定された横長の矩形状の部材であり、底部８１の上に配設される。開閉部材８３は、幅方向端部８３ｅが、側壁部８２の内面および前扉枠５の前面にそれぞれ形成された案内溝（図示せず）に遊嵌されている。これにより、案内溝に沿って底部８１の上を直線（往復）運動することができる。
【０１０２】
開閉部材８３は、長手方向（図９（ａ）左右方向）の略中央に円形状の開口８３ａ，８３ｃが厚さ方向に貫通形成されている。開口８３ａ，８３ｃは、遊技球を抜き出すための部位であり、遊技球の外径より大きい内径を有している。また、遊技者側（手前側）の開口８３ａは、前扉枠５側（奥側）の開口８３ｃに比べて開口面積が大きくなるように設定されている。球抜き孔８１ａ，８１ｂと開口８３ａ，８３ｃとが交互に連通し球抜き孔８１ａ，８１ｂが開放されることにより、球抜き孔８１ａ，８１ｂから遊技球を抜き出すことができる。また、球抜き孔８１ａ，８１ｂの上方に開口８３ａ，８３ｃ以外の部位（開閉部材８３の閉鎖部）が位置して球抜き孔８１ａ，８１ｂが閉鎖されることにより、球抜き孔８１ａ，８１ｂからの遊技球の落下が阻止され受皿８０への遊技球の貯留が可能となる。
【０１０３】
また、遊技者側（手前側）の開口８３ａ及び球抜き孔８１ａは、前扉枠５側（奥側）の開口８３ｃ及び球抜き孔８１ｂに比べて開口面積が大きくなるように設定されているので、２つの球抜き孔８１ａ，８１ｂが開放される時間が同一であれば、遊技者側（手前側）の開口８３ａ及び球抜き孔８１ａからの遊技球の抜出量を多くすることができる。一般に、受皿８０（底部８１）の奥行きに対して遊技球の収容箱の奥行き（幅）は大きく設定されているので、受皿８０の下方に収容箱を載置すると、受皿８０から収容箱が遊技者側（手前側）に突出する。受皿８０によれば、遊技者側（手前側）の開口８３ａ及び球抜き孔８１ａからの遊技球の抜出量を多くすることができるので、収容箱の奥行き（幅）を利用して遊技球を均すことができる。
【０１０４】
図９（ｂ）に示すように、開閉部材８３は、開口８３ａ，８３ｃの縁端から上昇傾斜する上昇傾斜部８３ｂ，８３ｄを備えている。上昇傾斜部８３ｂ，８３ｄは、開閉部材８３の直線運動時の抵抗（受皿８０に貯留された遊技球の中を移動することによる抵抗）を低減するための部位であり、開口８３ａ，８３ｃの移動方向（図９（ａ）左右方向）に向かって開口８３ａ，８３ｃの縁端から上昇傾斜している。
【０１０５】
図９（ａ）に戻って説明する。開閉部材８３は、前方に延設された連結部８４を介して、遊技者により操作される操作部８５に直結されている。連結部８４は、パチンコ機１（図１参照）の前面に形成されるスライド孔（図示せず）に貫設される部材であり、その連結部８４に連結された操作部８５がスライド孔から露呈している。これによりスライド孔に沿って操作部８４を左右にスライドさせることにより、連結部８４を介して開閉部材８３を左右に往復動（直線運動）させることができる。
【０１０６】
受皿８０は、開閉部材８３の直線運動を妨げない位置であって底部８１の左右方向端部に覆設された薄板状のカバー部８６を備えている。カバー部８６は、開閉部材６３の左右方向端面８３ｆと側壁部８２との間に遊技球が侵入することを防止するための部材であり、底部８１の前後の前扉枠５と側壁部８２との間に跨って配置されている。これにより、開閉部材８３の左右方向端面８３ｆと側壁部８２との間に遊技球が侵入して開閉部材８３が移動不能になることを防止することができる。
【０１０７】
付勢手段８７は、開閉部材８３を初期位置（均衡状態）（図９（ａ）参照）に定置させるための手段であり、板ばねにより形成されている。付勢手段８７は、開閉部材７３の左右方向端面８３ｆに一端が連結され他端が側壁部８２に固定されている。カバー部８６と底部８１との間に付勢手段８７が配設されているので、空間を有効活用することができ、開閉部材８３の移動機構を小型化できる。
【０１０８】
次に図１０を参照して、第７実施の形態について説明する。第１実施の形態から第６実施の形態では、底部１４，３１，５１，６１，８１に複数若しくは大径の球抜き孔３１ｂ，５１ｃ，６１ｂ，８１ａ，８１ｂ（開口１７ａ，１８ａ）が形成され、その複数の球抜き孔（開口）を交互に開閉したり開口の位置を変えたりすることにより遊技球を分散して落下させる場合について説明した。これに対し第７実施の形態では、球抜き孔９１ａが複数の閉鎖部材９３，９４で閉鎖され、その複数の閉鎖部材９３，９４を交互に移動させることにより球抜き孔９１ａを部分的に開閉する場合について説明する。なお、第１実施の形態と同一の部分については、同一の符号を付して以下の説明を省略する。図１０（ａ）は第７実施の形態における受皿９０の平面図であり、図１０（ｂ）は図１０（ａ）の矢印Ｘｂ−Ｘｂ線における受皿９０の断面図である。
【０１０９】
図１０（ａ）に示すように受皿９０は、前扉枠５の前面に突設される底部９１と、その底部９１の周囲（前扉枠５の前面を除く）に立設される側壁部９２とを備えている。受皿９０の底部９１の略中央には、前後方向（図１０（ａ）上下方向）の内径に比べて左右方向の内径が大きな平面視して長円状の球抜き孔９１ａが貫通形成されている。球抜き孔９１ａは周縁がテーパー状に縮径し下降傾斜する縮径部９１ｂを備えている。縮径部９１ｂにより、球抜き孔９１ａからの遊技球の抜き出しをスムーズに行うことができる。
【０１１０】
閉鎖部材９３，９４は、球抜き孔９１ａを開閉するための部材であり、球抜き孔９１ａを閉鎖するときに互いに突き合わされる２つの部材により構成されている。閉鎖部材９３，９４は、それぞれが平面視して矩形の板状に形成されており、球抜き孔９１ａの短径（図１０（ａ）上下方向）より大きい幅に形成されると共に、２つを互いに突き合わせたときに球抜き孔９１ａの長径（図１０（ａ）左右方向）より大きい長さになるように大きさが設定されている。閉鎖部材９３，９４は、底部９１の下面（球抜き孔９１ａの下方）に密着して配設されており、閉鎖部材９３，９４を互いに突き合わせた初期位置では（図１０（ａ）参照）、球抜き孔９１ａが閉鎖される（閉鎖状態）。閉鎖部材９３，９４は、付勢手段９５により、初期位置を維持し球抜き孔９１ａを閉鎖する向きに付勢されている。
【０１１１】
図１０（ｂ）に示すように、閉鎖部材９３，９４は、底部９１の下方にレール９６が水平に配設されており、そのレール９６に閉鎖部材９３，９４の前後方向端部が案内されることにより底部９１の下方を左右に直線（往復）運動できるように構成されている。なお、レール９６の左右方向の中心には、閉鎖部材９３，９４の移動を規制するストッパ（図示せず）が配設されている。ストッパは、各閉鎖部材９３，９４が、付勢手段９５の付勢力によって初期位置を越えて移動しないようにするための部材である。
【０１１２】
これにより、閉鎖部材９３，９４は底部９１に対する傾斜角度を略一定に維持した状態でスライドされる。その結果、水平方向に配置された軸を中心に閉鎖部材が回動される場合と比較して、収容箱が載置される閉鎖部材９３，９４の下方空間を小さくできる。
【０１１３】
また、水平方向に配置された軸を中心に閉鎖部材が回動される場合は、収容箱に遊技球が高く積もってしまうと、遊技球に妨げられて閉鎖部材を開閉できなくなるおそれがある。これに対し、底部９１に対する傾斜角度を略一定に維持した状態で閉鎖部材９３，９４がスライドされる構成とすることで、収容箱に収容された遊技球の量（盛り上がって収容箱に積まれた遊技球の高さ）に関わらず、閉鎖部材９３，９４を開閉し球抜き孔９１ａから遊技球を落下できる。
【０１１４】
ここで、受皿９０の前面には、遊技者が操作することにより閉鎖部材９３，９４を左右に移動させることのできる操作部９７（図１０（ａ）参照）が、左右にスライド可能に配設されている。操作部９７から棒状の連結部９８が前扉枠５方向に延設されており、その連結部９８の前扉枠５側の端部もレール９６に案内されている。これにより、操作部９７及び連結部９８を安定して左右にスライドさせることが可能である。
【０１１５】
閉鎖部材９３，９４は、突合せ部９３ａ，９４ａ寄りの下面から下方に向けて前後方向（図１０（ｂ）紙面垂直方向）に亘って突条状に形成された突起９３ｂ，９４ｂが突設されている。閉鎖部材９３，９４が突き合わされた状態で、左右の突起９３ｂ，９４ｂの間に連結部９８が位置するように構成されている。これにより、操作部９７が左方向にスライドされると、連結部９８が突起９３ｂを押動し閉鎖部材９３が左方向に移動される。その結果、球抜き孔９１ａの左半分が開放された状態となる。一方、突起９４ｂは連結部９８に押動されないので、閉鎖部材９４は付勢手段９５により付勢されるもののストッパ（図示せず）により初期位置が維持される。これにより受皿９０に貯留された遊技球は、球抜き孔９１ａの左半分から落下する（第１開放状態）。
【０１１６】
一方、操作部９７が右方向にスライドされると、連結部９８が突起９４ｂを押動し閉鎖部材９４が右方向に移動される。その結果、球抜き孔９１ａの右半分が開放された状態となる。一方、突起９３ｂは連結部９８に押動されないので、閉鎖部材９３は付勢手段９５により付勢されるもののストッパ（図示せず）により初期位置が維持される。これにより受皿９０に貯留された遊技球は、球抜き孔９１ａの右半分から落下する（第２開放状態）。
【０１１７】
以上のように操作部９７を左右にスライドさせることにより各閉鎖部材９３，９４を押動し、球抜き孔９１ａの異なる部分を開放させ、遊技球を異なるところに落下させることができる。このような簡易な機構で受皿９０の下方に載置した収容箱の一箇所に遊技球が高く積もらないようにできる。
【０１１８】
また、底部９１（球抜き孔９１ａ）の下方には、前扉枠５の前面から手前側（遊技者側）に向かって板状の誘導部材９９が突設されている。誘導部材９９は、球抜き孔９１ａから落下した遊技球を分散するように誘導するための部材であり、平面視して球抜き孔９１ａと重なり合うように配置されている。誘導部材９９は、上面９９ａが遊技者側に下降傾斜するように形成されている。これにより、球抜き孔９１ａから落下した遊技球は誘導部材９９の上面９９ａに衝突し、上面９９ａの傾斜に沿って遊技者側に誘導される。その結果、遊技球の抜き出し作業のときには、球抜き孔９１ａの下方に載置された収容箱（図示せず）の手前側にも広範囲に遊技球を散布することができる。これにより収容箱の一箇所（特に収容箱の奥側）に遊技球が高く積もることが防止される。
【０１１９】
次に図１１を参照して、第８実施の形態について説明する。第７実施の形態では、球抜き孔９１ａが底部９１の略中央に形成される場合について説明した。これに対し第８実施の形態では、球抜き孔１０１ａが底部１０１の遊技者寄り（側壁部１０２近傍）に形成される場合について説明する。なお、第１実施の形態と同一の部分については、同一の符号を付して以下の説明を省略する。図１１（ａ）は第８実施の形態における受皿１００の平面図であり、図１１（ｂ）は図１１（ａ）の矢印ＸＩｂ−ＸＩｂ線における受皿１００の断面図であり、図１１（ｃ）は図１１（ａ）の矢印ＸＩｃ−ＸＩｃ線における受皿１００の断面図である。
【０１２０】
図１１（ａ）に示すように受皿１００は、前扉枠５の前面に突設される底部１０１と、その底部１０１の周囲（前扉枠５の前面を除く）に立設される側壁部１０２とを備えている。受皿１００の底部１０１の遊技者寄り（側壁部近傍）であって左右方向の略中心には、前後方向（図１１（ａ）上下方向）の内径に比べて左右方向の内径が大きな平面視して長円状の球抜き孔１０１ａが貫通形成されている。球抜き孔１０１ａは周縁がテーパー状に縮径し下降傾斜する縮径部１０１ｂを備えている。縮径部１０１ｂにより、球抜き孔１０１ａからの遊技球の抜き出しをスムーズに行うことができる。
【０１２１】
図１１（ｂ）に示すように、底部１０１は、左右の側壁部１０２から左右方向の中心に向かって上面が下降傾斜して形成されている。これにより球抜き孔１０１ａへの遊技球の流下をスムーズに行うことができる。また、底部１０１を転動する遊技球の移動速度を傾斜によって大きくすることができ、球抜き孔１０１ａが開放された場合には、球抜き孔１０ａから放り出される遊技球の初速の水平方向（左右方向）成分を大きくすることができる。
【０１２２】
図１１（ｃ）に示すように、底部１０１は、前扉枠５から遊技者側（図１１（ｃ）左側）に向かって上面が下降傾斜して形成されている。これにより球抜き孔１０１ａへの遊技球の流下をスムーズに行うことができる。また、底部１０１を転動する遊技球の移動速度を傾斜によって大きくすることができ、球抜き孔１０１ａが開放された場合には、球抜き孔１０１ａから放り出される遊技球の初速の水平方向（前後方向）成分を大きくすることができる。
【０１２３】
図１１（ａ）に戻って説明する。閉鎖部材１０３，１０４は、球抜き孔１０１ａを開閉するための部材であり、球抜き孔１０１ａを閉鎖するときに互いに突き合わされる２つの部材により構成されている。閉鎖部材１０３，１０４は、それぞれが平面視して矩形の板状に形成されており、球抜き孔１０１ａの短径（図１１（ａ）上下方向）より大きい幅に形成されると共に、２つを互いに突き合わせたときに球抜き孔１０１ａの長径（図１１（ａ）左右方向）より大きい長さになるように大きさが設定されている。閉鎖部材１０３，１０４は、底部１０１の下面（球抜き孔１０１ａの下方）に密着して配設されており、閉鎖部材１０３，１０４を互いに突き合わせた初期位置では（図１１（ａ）参照）、球抜き孔１０１ａが閉鎖される（閉鎖状態）。閉鎖部材１０３，１０４は、付勢手段１０５により、初期位置を維持し球抜き孔１０１ａを閉鎖する向きに付勢されている。
【０１２４】
図１１（ｂ）に示すように、閉鎖部材１０３，１０４は、底部１０１の傾斜に合わせて中央から外側に向かって漸次厚くなるように形成されている。これにより各閉鎖部材１０３，１０４は、底部１０１と同様に、左右の外側から中央に向かって上面が下降傾斜する。また、閉鎖部材１０３，１０４は、底部１０１の下方にレール１０６が水平に配設されており、そのレール１０６に閉鎖部材１０３，１０４の前後方向端部が案内されることにより底部１０１の下方を左右に直線（往復）運動できるように構成されている。なお、レール１０６の左右方向の中心には、閉鎖部材１０３，１０４の移動を規制するストッパ（図示せず）が配設されている。ストッパは、各閉鎖部材１０３，１０４が、付勢手段１０５の付勢力によって初期位置を越えて移動しないようにするための部材である。
【０１２５】
受皿１００の前面には、遊技者が操作することにより閉鎖部材１０３，１０４を左右に移動させることのできる操作部１０７（図１１（ａ）参照）が、左右にスライド可能に配設されている。操作部１０７から棒状の連結部１０８が前扉枠５方向に延設されており、その連結部１０８の前扉枠５側の端部もレール１０６に案内されている。これにより、操作部１０７及び連結部１０８を安定して左右にスライドさせることが可能である。
【０１２６】
閉鎖部材１０３，１０４は、突合せ部１０３ａ，１０４ａ寄りの下面から下方に向けて前後方向（図１１（ｂ）紙面垂直方向）に亘って突条状に形成された突起１０３ｂ，１０４ｂが突設されている。閉鎖部材１０３，１０４が突き合わされた状態で、左右の突起１０３ｂ，１０４ｂの間に連結部１０８が位置するように構成されている。これにより、操作部１０７が左方向にスライドされると、連結部１０８が突起１０３ｂを押動し閉鎖部材１０３が左方向に移動される。その結果、球抜き孔１０１ａの左半分が開放された状態となる。一方、突起１０４ｂは連結部１０８に押動されないので、閉鎖部材１０４は付勢手段１０５により付勢されるもののストッパ（図示せず）により初期位置が維持される。これにより受皿１００に貯留された遊技球は、球抜き孔１０１ａの左半分から落下する（第１開放状態）。
【０１２７】
この第１開放状態では閉鎖部材１０３が移動する結果、図１１（ｂ）に示すように、底部１０１（図１１（ｂ）右側）及び閉鎖部材１０４から球抜き孔１０１ａに流下する遊技球の量を、底部１０１（図１１（ｂ）左側）から球抜き孔１０１ａに流下する遊技球の量より多くできる。また、底部１０１（図１１（ｂ）右側）及び閉鎖部材１０４は球抜き孔１０１ａに向かって下降傾斜しているので、底部１０１（図１１（ｂ）右側）及び閉鎖部材１０４を移動して球抜き孔１０１ａに到達する遊技球の速度（水平方向成分）を、底部１０１（図１１（ｂ）左側）を移動して球抜き孔１０１ａに到達する遊技球の速度（水平方向成分）より大きくできる。
【０１２８】
即ち、閉鎖部材１０４を通って球抜き孔１０１ａから落下する遊技球（遊技球群）のエネルギーを、閉鎖部材１０４を通らずに球抜き孔１０１ａから落下する遊技球（遊技球群）のエネルギーより大きくできる。これにより、球抜き孔１０１ａから図１１（ｂ）左側に落下する遊技球の落下点の水平距離（落下点と球抜き孔１０１ａとの水平距離）を大きくできる（遊技球の軌跡を変えることができる）。その結果、遊技球が落下して到達できる範囲を広くし、収容箱に遊技球が一箇所に高く積もることを防止できる。
【０１２９】
一方、操作部１０７が右方向にスライドされると、連結部１０８が突起１０４ｂを押動し閉鎖部材１０４が右方向に移動される。その結果、球抜き孔１０１ａの右半分が開放された状態となる。一方、突起１０３ｂは連結部１０８に押動されないので、閉鎖部材１０３は付勢手段１０５により付勢されるもののストッパ（図示せず）により初期位置が維持される。これにより受皿１００に貯留された遊技球は、球抜き孔１０１ａの右半分から落下する（第２開放状態）。
【０１３０】
この第２開放状態では閉鎖部材１０４が移動する結果、図１１（ｂ）に示すように、底部１０１（図１１（ｂ）左側）及び閉鎖部材１０３から球抜き孔１０１ａに流下する遊技球の量を、底部１０１（図１１（ｂ）右側）から球抜き孔１０１ａに流下する遊技球の量より多くできる。また、底部１０１（図１１（ｂ）左側）及び閉鎖部材１０３は球抜き孔１０１ａに向かって下降傾斜しているので、底部１０１（図１１（ｂ）左側）及び閉鎖部材１０３を移動して球抜き孔１０１ａに到達する遊技球の速度（水平方向成分）を、底部１０１（図１１（ｂ）右側）を移動して球抜き孔１０１ａに到達する遊技球の速度（水平方向成分）より大きくできる。
【０１３１】
即ち、閉鎖部材１０３を通って球抜き孔１０１ａから落下する遊技球（遊技球群）のエネルギーを、閉鎖部材１０３を通らずに球抜き孔１０１ａから落下する遊技球（遊技球群）のエネルギーより大きくできる。これにより、球抜き孔１０１ａから図１１（ｂ）右側に落下する遊技球の落下点の水平距離（落下点と球抜き孔１０１ａとの水平距離）を大きくできる。その結果、遊技球が落下して到達できる範囲を広くし、収容箱に遊技球が一箇所に高く積もることを防止できる。
【０１３２】
また、第１開放状態および第２開放状態では、図１１（ｃ）に示すように球抜き孔１０１ａが側壁部（移動規制手段）１０２に近接されているので、底部１０１（図１１（ｃ）右側）から閉鎖部材１０３，１０４を通って球抜き孔１０１ａに流下する遊技球の量を、底部１０１（図１１（ｂ）左側）から球抜き孔１０１ａに流下する遊技球の量より多くできる。また、底部１０１及び閉鎖部材１０３，１０４は球抜き孔１０１ａに向かって側壁部１０２側（遊技者側）に下降傾斜しているので、底部１０１及び閉鎖部材１０３，１０４を移動して球抜き孔１０１ａに到達する遊技球の速度（前後方向成分）を大きくできる。
【０１３３】
即ち、底部１０１及び閉鎖部材１０３，１０４を通って球抜き孔１０１ａから落下する遊技球（遊技球群）のエネルギーを大きくできる。これにより、球抜き孔１０１ａから図１１（ｃ）左側（遊技者側）に落下する遊技球の落下点の水平距離（落下点と球抜き孔１０１ａとの水平距離）を大きくできる（遊技球の軌跡を変えることができる）。その結果、収容箱の手前側に遊技球を誘導しつつ遊技球が落下して到達できる範囲を広くし、収容箱に遊技球が一箇所に高く積もることを防止できる。
【０１３４】
次に図１２を参照して、第９実施の形態について説明する。第８実施の形態では、球抜き孔１０１ａが底部１０１の遊技者寄り（側壁部１０２近傍）に形成される場合（側壁部１０２を利用して遊技球の移動を規制する場合）について説明した。これに対し第９実施の形態では、底部１０１に突条１１２を立設して遊技球の移動を規制する場合について説明する。なお、第８実施の形態と同一の部分については、同一の符号を付して以下の説明を省略する。図１２（ａ）は第９実施の形態における受皿１１０の平面図であり、図１２（ｂ）は図１２（ａ）の矢印ＸＩＩｂ−ＸＩＩｂ線における受皿１１０の断面図である。
【０１３５】
図１２（ａ）に示すように受皿１１０は、底部１０１の略中央に前後方向（図１２（ａ）上下方向）の内径に比べて左右方向の内径が大きな平面視して長円状の球抜き孔１１１ａが貫通形成されている。球抜き孔１１１ａは周縁がテーパー状に縮径し下降傾斜する縮径部１１１ｂを備えている。縮径部１１１ｂにより、球抜き孔１１１ａからの遊技球の抜き出しをスムーズに行うことができる。
【０１３６】
底部１０１には、側壁部１０２（遊技者側、図１２（ａ）下側）と球抜き孔１１１ａとの間に平面視して略円弧状に形成された突条１１２が立設されている。突条１１２は、遊技球の移動を規制するための部材（移動規制手段）であり、突条１１２により、突条１１２の背部である球抜き孔１１１ａの前部１１１ａ１から遊技球を流下し難くできる。さらに、突条１１２により、突条１１２と側壁部１０２との間にある遊技球を突条１１２に沿って底部１０１の左右に誘導することができる。突条１１２は、図１２（ｂ）に示すように、遊技球の転動（移動）を妨げることができると共に、突条１１２と側壁部１０２との間に遊技球が詰まらない程度の高さに設定されている。
【０１３７】
これにより、突条１１２と側壁部１０２との間にある遊技球は、突条１１２に沿って球抜き孔１１１ａを迂回して底部１０１の左右方向に移動される。底部１０１の左右方向に移動した遊技球は、閉鎖部材１０３，１０４の開閉に伴い、球抜き孔１１１ａの左右に大きく放出され落下する。
【０１３８】
また、遊技球は、球抜き孔１１１ａの前部１１１ａ１からは突条１１２により流下し難くなるので、突条１１２に沿って迂回する。突条１１２を迂回して球抜き孔１１１ａに流下した遊技球は、底部１０１の前扉枠５から側壁部１０２への下降傾斜（手前側への下降傾斜）によって、球抜き孔１１１ａの手前側に大きく放出される。その結果、遊技球を収容箱の手前側に落下させることができ、遊技球が落下して到達できる範囲を広くし、収容箱に遊技球が一箇所に高く積もることを防止できる。
【０１３９】
次に図１３を参照して、第１０実施の形態について説明する。第７実施の形態から第９実施の形態では、球抜き孔９１ａ，１０１ａ，１１１ａが複数の閉鎖部材９３，９４，１０３，１０４によって左右に分割して開閉される場合について説明した。これに対し第１０実施の形態では、球抜き孔１２１ａが複数の閉鎖部材１２３，１２４により前後に分割して開閉される場合について説明する。なお、第１実施の形態と同一の部分については、同一の符号を付して以下の説明を省略する。図１３（ａ）は第１０実施の形態における受皿１２０の平面図であり、図１３（ｂ）は図１３（ａ）の矢印ＸＩＩＩｂ−ＸＩＩＩｂ線における受皿１２０の断面図であり、図１３（ｃ）は図１３（ａ）の矢印ＸＩＩＩｃ−ＸＩＩＩｃ線における受皿１２０の断面図である。
【０１４０】
図１３（ａ）に示すように受皿１２０は、前扉枠５の前面に突設される底部１２１と、その底部１２１の周囲（前扉枠５の前面を除く）に立設される側壁部１２２とを備えている。受皿１２０の底部１２１の略中央には前後方向（図１３（ａ）上下方向）の内径に比べて左右方向の内径が小さな平面視して長円状の球抜き孔１２１ａが貫通形成されている。
【０１４１】
図１３（ｂ）に示すように、底部１２１は、左右の側壁部１２２から左右方向の中心に向かって上面がわずかに下降傾斜乃至は略水平に形成されている。球抜き孔１２１ａへ向かって底部１２１を下降傾斜させることにより球抜き孔１２１ａへの遊技球の流下をスムーズに行うことができる。また、図１３（ｃ）に示すように、底部１２１は、前扉枠５から底部１２１の略中心に向かって上面が下降傾斜する傾斜領域１２１ｂと、底部１２１の略中心から手前側に向かって略水平に形成される水平領域１２１ｃとを備えている。これにより底部１２１の傾斜領域１２１ｂからの球抜き孔１２１ａへの遊技球の流下をスムーズに行うことができる。
【０１４２】
図１３（ａ）に戻って説明する。閉鎖部材１２３，１２４は、球抜き孔１２１ａを開閉するための部材であり、前扉枠５の前面に沿って平行方向に移動可能に形成される２つの部材により構成されている。閉鎖部材１２３，１２４は、それぞれが平面視して矩形の板状に形成されており、平面視して球抜き孔１２１ａの短径（図１３（ａ）左右方向）より大きい幅に形成されると共に、２つを密接させて並べたときに球抜き孔１２１ａの長径（図１３（ａ）上下方向）より大きい長さになるように大きさが設定されている。閉鎖部材１２３，１２４は、底部１２１の下面（球抜き孔１２１ａの下方）に密着して配設されており、閉鎖部材１２３，１２４を密接させて並べた初期位置では（図１３（ａ）参照）、球抜き孔１２１ａが閉鎖される（閉鎖状態）。
【０１４３】
閉鎖部材１２３，１２４は、付勢手段１２５により、底部１２１の中心に向かって初期位置を維持するように付勢されている。閉鎖部材１２３，１２４はガイド部１２６により位置が規制されている。ガイド部１２６は、閉鎖部材１２３，１２４を左右方向に移動できるように案内し、閉鎖部材１２３，１２４により球抜き孔１２１ａを開閉できるようにすると共に、球抜き孔１２１ａを超えて付勢手段１２５の反対側に移動できないように閉鎖部材１２３，１２４の位置を規制するための部材である。
【０１４４】
図１３（ｃ）に示すように、閉鎖部材１２３，１２４は、底部１２１の傾斜に沿って配置されている。これにより底部１２１の傾斜領域１２１ｂに配設された閉鎖部材１２３は、底部１２１と同様に前方（図１３（ｃ）左側）に向かって上面が下降傾斜する。
【０１４５】
図１３（ａ）に示すように、受皿１２０の前面には、遊技者が操作することにより閉鎖部材１２３，１２４を左右に移動させることのできる操作部１２７が、左右にスライド可能に配設されている。操作部１２７から棒状の連結部１２８が前扉枠５方向に延設されている。連結部１２８は、閉鎖部材１２３，１２４の下面に沿うように後部側（傾斜領域１２１ｂ側）が上向きに屈曲形成されている。連結部１２８の前扉枠５側の後端部は、前扉枠５の前面に形成されたガイド部（図示せず）に移動可能に支持されている。これにより、操作部１２７及び連結部１２８を安定して左右にスライドさせることが可能である。
【０１４６】
閉鎖部材１２３，１２４は、底部１２１の中心側の下面から下方に向けて前後方向（図１３（ａ）上下方向）に亘って突条状に形成された突起１２３ａ，１２４ａが突設されている。閉鎖部材１２３ａ，１２４ａを並べた状態で、左右の突起１２３ａ，１２４ａの間に連結部１２８が位置するように構成されている。これにより、操作部１２７が左方向にスライドされると、連結部１２８が突起１２３ａを押動し閉鎖部材１２３がガイド部１２６に沿って左方向に移動される。その結果、球抜き孔１２１ａの傾斜領域１２１ｂ側が開放された状態となる。一方、突起１２４ａは連結部１２８に押動されないので、閉鎖部材１２４は付勢手段１２５により付勢されるもののガイド部１２６により初期位置が維持される。これにより受皿１２０に貯留された遊技球は、球抜き孔１２１ａの奥側（傾斜領域１２１ｂ）から落下する（第１開放状態）。
【０１４７】
この第１開放状態では、底部１２１の水平領域１２１ｃ側から球抜き孔１２１ａに流下する遊技球の量を、底部１２１の傾斜領域１２１ｂ側から球抜き孔１２１ａに流下する遊技球の量より多くできる。これにより、球抜き孔１２１ａから落下する遊技球の落下点を、主に傾斜領域１２１ｂに位置する球抜き孔１２１ａの下方にすることができる。
【０１４８】
一方、操作部１２７が右方向にスライドされると、連結部１２８が突起１２４ａを押動し閉鎖部材１２４がガイド部１２６に沿って右方向に移動される。その結果、球抜き孔１２１ａの水平領域１２１ｃ側が開放された状態となる。一方、突起１２３ａは連結部１２８に押動されないので、閉鎖部材１２３は付勢手段１２５により付勢されるもののガイド部１２６により初期位置が維持される。これにより受皿１２０に貯留された遊技球は、球抜き孔１１１ａの手前側（水平領域１２１ｃ）から落下する（第２開放状態）。
【０１４９】
この第２開放状態では、底部１２１の傾斜領域１２１ｂ側から球抜き孔１２１ａに流下する遊技球の量を、底部１２１の水平領域１２１ｃ側から球抜き孔１２１ａに流下する遊技球の量より多くできる。さらに、底部１２１の傾斜領域１２１ｂ側から球抜き孔１２１ａに流下する遊技球は、傾斜領域１２１ｂ側の上面が下降傾斜する閉鎖部材１２３に沿って流下するので、球抜き孔１２１ａから放出される遊技球の速度（前後方向の水平速度成分）を大きくできる。これにより、球抜き孔１２１ａから落下する遊技球の落下点を、水平領域１２１ｃに位置する球抜き孔１２１ａの下方より手前側にすることができる（球抜き孔１２１ａと遊技球の落下点との水平距離を大きくできる）。その結果、収容箱の手前側に遊技球を誘導しつつ遊技球が落下して到達できる範囲を広くし、遊技球が収容箱の一箇所に高く積もることを防止できる。
【０１５０】
次に図１４を参照して、第１１実施の形態について説明する。第１実施の形態から第１０実施の形態では、受皿１０，３０，５０，６０，７０，８０，９０，１００，１１０，１２０の底部１４，３１，５１，６１，７１，８１，９１，１０１，１１１，１２１の傾斜が予め設定されている場合について説明した。これに対し第１１実施の形態では、受皿の底部の傾斜を遊技者が変更できる場合について説明する。なお、第１実施の形態と同一の部分については、同一の符号を付して以下の説明を省略する。図１４（ａ）は第１１実施の形態における受皿１３０の平面図であり、図１４（ｂ）は図１４（ａ）の矢印ＸＩＶｂ方向から見た受皿１３０の正面図である。
【０１５１】
図１４（ａ）に示すように受皿１３０は、前扉枠５の前面に突設される底部１３１と、その底部１３１の周囲に立設される側壁部１３２とを備えている。受皿１３０の背面（側壁部１３２）に形成された流入口１１には、後方に向けて流入筒１１ａが接続されており、受皿１３０は流入筒１１ａを通って流入口１１から流入する遊技球を貯留できる。流入口１１と流入筒１１ａとの間にはフレキシブルチューブ（図示せず）が接続されている。
【０１５２】
受皿１３０の底部１３１の略中央には平面視して略円形状の球抜き孔１３１ａが厚さ方向に貫通形成されている。球抜き孔１３１ａは、下方に向かって拡径形成されている（図１４（ｂ）参照）。閉鎖部材１３３は球抜き孔１３１ａを開閉するための部材であり、板状に形成され球抜き孔１３１ａの下方に配設されている。連結部１３４は、閉鎖部材１３３から前方に向かって延設される部位であり、遊技者が操作するための操作部１３５が先端に固定されている。
【０１５３】
図１４（ｂ）に示すように、受皿１３０の前面には左右方向に横長のスライド孔１３２ａが形成されている。スライド孔１３２ａは連結部１３４が貫設される部位であり、操作部１３５はスライド孔１３２ａに露呈されている。これにより、遊技者は操作部１３５を摘んでスライド孔１３２ａに沿って操作部１３５を移動させることにより、閉鎖部材１３３を水平移動させて球抜き孔１３１ａを開閉できる。なお、閉鎖部材１３３は付勢手段１３６（板ばね等）により球抜き孔１３１ａを閉鎖する方向に付勢されている。
【０１５４】
受皿１３０は、底部１３１の複数箇所（本実施の形態では５箇所）から下方に向けて支脚１３７及び補助脚１３８が突設されている。支脚１３７及び補助脚１３８は受皿１３０を支持するための部位であり、前扉枠５の前面から前方に向かって突設される主支持部１３９及び補助支持部１４０によって支持される。支脚１３７は、底部１３１の略中心から突設される脚であり、主支持部１３９によって揺動可能に支持される。補助脚１３８は、底部１３１の周部（本実施の形態では４つの角部近傍）から突設される脚であり、補助支持部１４０に当接することによって支持される。
【０１５５】
ここで、主支持部１３９は、補助支持部１４０よりも高い位置に配置され、それら補助支持部１４０は同一の高さに配置されている。そのため、左右（又は前後）の補助脚部１３８を左右（又は前後）の補助支持部１４０に交互に当接させることにより、主支持部１３７を中心にして受皿１３０を左右（又は前後）に揺動させ、その結果、底部１３１の左右（又は前後）の傾きを変化させることができる。
【０１５６】
遊技者は、操作部１３５を摘んでスライドさせて球抜き孔１３１ａを開放した後、受皿１３０を揺動させて底部１３１の左右（又は前後）の傾きを変えることにより、球抜き孔１３１ａから抜き出される遊技球の排出方向（放出方向）を、底部１３１を傾ける向きに応じて変えることができる。これにより、球抜き孔１３１ａから遊技球を広範囲に散らして落下させることができ、遊技球が収容箱（図示せず）の一箇所に高く積もることを防止できる。さらに、球抜き孔１３１ａの内面が下方に向かって拡径形成（拡開）されているので、遊技球の排出（放出）が球抜き孔１３１ａの内周に遮られることを抑制して、遊技球を広範囲に撒き散らすことができる。なお、受皿１３０の前面には、正面視して右側に摘み部１４１が突設されているので、操作部１３５だけでなく摘み部１４１も掴んで受皿１３０を揺動させることが可能である。
【０１５７】
次に図１５を参照して、第１２実施の形態について説明する。第８実施の形態では、球抜き孔１０１ａを開閉する閉鎖部材１０３，１０４及び底面１０１に傾斜が設けられ、その傾斜によって球抜き孔１０１ａから抜き出される遊技球の放出距離（球抜き孔１０１ａと落下点との水平距離）を大きくする場合について説明した。第１２実施の形態では、さらに底部１０１における遊技球の移動を規制する移動規制手段が配置される場合について説明する。なお、第８実施の形態と同一の部分については、同一の符号を付して以下の説明を省略する。図１５（ａ）は第１２実施の形態における受皿１５０の平面図であり、図１５（ｂ）は図１５（ａ）の矢印ＸＶｂ−ＸＶｂ線における受皿１５０の断面図である。
【０１５８】
図１５（ａ）に示すように受皿１５０は、球抜き孔１０１ａの両側（図１５（ａ）左右方向）に、受皿１５０に貯留された遊技球を吸着する電磁石１５１，１５２（移動規制手段）が配置されている。電磁石１５１，１５２は閉鎖部材１０３，１０４の移動、即ち球抜き孔１０１ａの開閉に基づいて磁力を発生するように構成されている。各閉鎖部材１０３，１０４の移動可能な範囲から少しはずれた位置に、各閉鎖部材１０３，１０４の移動を検出する閉鎖部材検出センサ１５３，１５４が配置されている。閉鎖部材検出センサ１５３，１５４は、例えば磁気センサのような近接センサであり、その検出信号を制御装置（図示せず）に出力し、制御装置は電磁石１５１，１５２を駆動制御する。閉鎖部材検出センサ１５３の出力に基づいて電磁石１５１が駆動制御され、閉鎖部材検出センサ１５４の出力に基づいて電磁石１５２が駆動制御される。
【０１５９】
図１５（ｂ）に示すように、電磁石１５１，１５２は底部１０１の下方であって、水平方向にスライドされる閉鎖部材１０３，１０４の軌道（レール１０６）の上方に配置されている。これにより電磁石１５１，１５２が閉鎖部材１０３，１０４の移動の妨げになることが防止される。
【０１６０】
以上のように構成された受皿１５０は、閉鎖部材１０３を閉鎖部材検出センサ１５３側に移動させて球抜き孔１０１ａの一部（平面視して左側）を開放すると、制御装置は、閉鎖部材検出センサ１５３からの検出信号を受けて電磁石１５１を磁化する。そうすると、底部１０１（図１５（ａ）左側）から球抜き孔１０１ａに流下する遊技球の移動が規制される。その結果、底部１０１（図１５（ａ）右側）及び閉鎖部材１０４から球抜き孔１０１ａに移動し流下する遊技球が支配的となるため、底部１０１及び閉鎖部材１０４を移動して球抜き孔１０１ａから落下する遊技球の速度（水平方向成分）を大きくできる。これにより、球抜き孔１０１ａから図１５（ａ）左側に落下する遊技球の落下点の水平距離（落下点と球抜き孔１０１ａとの水平距離）を大きくでき（遊技球の軌跡を変えることができ）、遊技球が落下して到達できる範囲を広くし、収容箱に遊技球が一箇所に高く積もることを防止できる。
【０１６１】
また、閉鎖部材１０４を閉鎖部材検出センサ１５４側に移動させて球抜き孔１０１ａの一部（平面視して右側）を開放すると、制御装置は、閉鎖部材検出センサ１５４からの検出信号を受けて電磁石１５２を磁化する。一方、閉鎖部材１０３は付勢手段１０５により閉鎖部材検出センサ１５３から離れる方向に移動されるので、制御装置は、閉鎖部材検出センサ１５３からの検出信号を受けて電磁石１５１の吸着力を失わせる。これにより、底部１０１（図１５（ａ）右側）から球抜き孔１０１ａに流下する遊技球の移動が規制される一方、底部１０１（図１５（ａ）左側）及び閉鎖部材１０３から球抜き孔１０１ａに流下する遊技球をスムーズに移動させる。
【０１６２】
その結果、底部１０１（図１５（ａ）左側）及び閉鎖部材１０３から球抜き孔１０１ａに移動し流下する遊技球が支配的となるため、底部１０１及び閉鎖部材１０３を移動して球抜き孔１０１ａから落下する遊技球の速度（水平方向成分）を大きくできる。これにより、球抜き孔１０１ａから図１５（ａ）右側に落下する遊技球の落下点の水平距離（落下点と球抜き孔１０１ａとの水平距離）を大きくでき（遊技球の軌跡を変えることができ）、遊技球が落下して到達できる範囲を広くし、収容箱に遊技球が一箇所に高く積もることを防止できる。
【０１６３】
以上、実施形態に基づき本発明を説明したが、本発明は上記実施形態に何ら限定されるものではなく、本発明の趣旨を逸脱しない範囲内で種々の変形改良が可能であることは容易に推察できるものである。また、上記実施形態で挙げた数値や形状は一例であり、他の数値や形状を採用することは当然可能である。例えば、球抜き孔や開口の数、球抜き孔や開口の形状、底部の傾斜の角度等は適宜設定することが可能である。
【０１６４】
上記各実施の形態では、上皿９及び下皿１０が上下に並設されるパチンコ機１（遊技機）について説明したが（図１参照）、必ずしもこれに限られるものではなく、上皿と下皿とが一体に形成されたパチンコ機（上皿が省略されたパチンコ機）に適用することは当然可能である。
【０１６５】
第１実施の形態では、第１開閉部材１７及び第２開閉部材１８が相対的に円運動をする機構について説明したが、必ずしもこれに限られるものではなく、第１開閉部材および第２開閉部材が相対的に直線運動する機構にすることは当然可能である。この場合は、第１開閉部材および第２開閉部材を平面視して矩形の板状に形成し、それぞれにラックを配置する。そして、第３ピニオン２１を除去し、軸部１６、第１ピニオン１９及び第２ピニオン２０を第３ピニオン２１の位置に配設する。次いで、第３ピニオン２１の位置に配設した第１ピニオン１９及び第２ピニオン２０とラック２２及び第１開閉部材および第２開閉部材のラックとを係合する。これにより、操作部１３を操作することによって第１開閉部材および第２開閉部材を直線運動させ第１開口１７ａ及び第２開口１８ａの連通および連通解除を切り替えることができる。
【０１６６】
第１実施の形態では、第１開閉部材１７及び第２開閉部材１８に第１開口１７ａ及び第２開口１８ａが一つずつ形成される場合について説明したが、必ずしもこれに限られるものではなく、第１開口１７ａ及び第２開口１８ａを複数設けることは当然可能である。
【０１６７】
第１実施の形態では、第１開閉部材１７の上面１７ｃが底部１４に完全に露呈される場合について説明したが、必ずしもこれに限られるものではなく、第１開口１７ａが位置する範囲を除いて、第１開閉部材１７の一部を覆うカバーを設けることは当然可能である。第１開閉部材１７の一部をカバーで覆うことで、第１開閉部材１７に傷等を付き難くできる。
【０１６８】
第１実施の形態では、第１開口１７ａ及び第２開口１８ａが受皿１０の左右で連通する（左右に遊技球を振り分ける）場合について説明したが、必ずしもこれに限られるものではなく、第１開口１７ａ及び第２開口１８ａが受皿１０の前後で連通する（前後に遊技球を振り分ける）ように設定することは当然可能である。
【０１６９】
第７実施の形態では（図１０参照）、前方に向けて上面９９ａが下降傾斜する誘導部材９９を設けることで遊技球を前方に誘導する場合について説明したが、必ずしもこれに限られるものではなく、誘導部材９９の上面９９ａを中心から左方または右方に下降傾斜するように設けることは当然可能である。誘導部材９９の上面９９ａの向きを左方または右方に設定することにより、遊技球を左右に広く散らすことが可能となる。
【０１７０】
また、第７実施の形態で説明した誘導部材９９を反発係数の大きな部材で形成したり、誘導部材の上面９９ａに反発係数の大きな部材を固定したりすることにより、誘導部材に衝突した遊技球が、受皿９０の下に載置した収容箱に入らずに大きく跳ね返ってしまうことを防止できる。
【０１７１】
第４実施の形態から第６実施の形態では説明を省略したが、球抜き孔６１ｂ，８１ａ，８１ｂの下方に、第７実施の形態で説明した誘導部材９９を設けることは当然可能である。これにより、球抜き孔６１ｂ，８１ａ，８１ｂの下方からさらに遊技球を広く散らすことが可能となる。
【０１７２】
第１１実施の形態では（図１４参照）、受皿１３０の底部１３１から突設された支脚１３７及び補助脚１３８の長さと、主支持部１３９及び補助支持部１４０の高さとを利用して受皿１３０を揺動可能にする場合について説明したが、必ずしもこれに限られるものではなく、他の手段により受皿１３０を揺動可能にすることは当然可能である。他の手段としては、例えば、コイルばねのような可撓性を有する部材により前扉枠５に対して受皿１３０を支持するものが挙げられる。この場合、可撓性を有する部材を曲げ変形させることによって、受皿１３０を揺動させることが可能となる。
【０１７３】
第１２実施の形態では（図１５参照）、移動規制手段として電磁石１５１，１５２を配置する場合について説明したが、必ずしもこれに限られるものではなく、閉鎖部材１０３，１０４の開閉に連動する他の移動規制手段を設けることは当然可能である。他の移動規制手段としては、閉鎖部材１０３，１０４の開閉に連動して球抜き孔１０１ａの周りの一部に底部１０１から突出するように設けられた突起や突条等を挙げることができる。球抜き孔１０１ａの周りの一部に底部１０１から突起や突条等が突出することによって、遊技球のスムーズな移動を妨げることができる。これにより、第１２実施の形態と同様の効果を実現できる。
【０１７４】
なお、上記の各実施形態は、それぞれ、他の実施形態が有する構成の一部または複数部分を、その実施形態に追加し或いはその実施形態の構成の一部または複数部分と交換等することにより、その実施形態を変形して構成するようにしても良い。
【０１７５】
以下に、本発明の遊技機に加えて、上記実施形態に含まれる各種発明の概念を示す。
【０１７６】
遊技球が落下する球抜き孔が底部に形成された受皿が前面に配設された遊技機において、遊技者に操作される操作部と、その操作部に係合される部材を介して又は前記操作部に直結され前記受皿の底部に円運動または直線運動可能に配設されると共に前記球抜き孔の上方に位置し前記球抜き孔と連通する開口が形成された開閉部材とを備え、前記底部は、前記開閉部材の円運動または直線運動の初期位置で前記開口を閉鎖する閉鎖部を備え、前記球抜き孔は、前記開閉部材の円運動または直線運動の初期位置とは異なる複数位置で前記開口と連通することを特徴とする遊技機１。
【０１７７】
遊技機１によれば、操作部が遊技者に操作されることにより、操作部に直結または係合される開閉部材が受皿の底部を円運動または直線運動する。開閉部材の円運動または直線運動の初期位置では、開閉部材に形成された開口は、底部に形成された閉鎖部により閉鎖される。これにより開閉部材の初期位置では、閉鎖部により遊技球の開口からの落下が阻止されるので、受皿内に遊技球が貯留された状態が維持される。
【０１７８】
一方、開閉部材が円運動または直線運動されると、底部に形成された球抜き孔が、開閉部材の初期位置とは異なる複数位置で開口と連通される。これにより受皿内の遊技球は、開口を通過して球抜き孔の複数位置から落下する。その結果、受皿に貯留された遊技球を複数位置に散らして落下させることができるので、受皿の下方に載置した収容箱の一箇所に遊技球が高く積もらないようにできる。開閉部材は、操作部に係合される部材を介して又は操作部に直結されているので、操作部の操作により開閉部材が円運動または直線運動される機構を簡易にできる効果がある。
【０１７９】
また、受皿の底部に配設された開閉部材は球抜き孔の上方に位置するので、開閉部材の上面が受皿に貯留された遊技球と接触する。その結果、開閉部材が円運動または直線運動されることにより、受皿の底部付近に位置し開閉部材に接触する遊技球（特に開口付近の遊技球）が転動される。これにより、受皿に貯留された遊技球がドーム状になって開口の上方で均衡し（所謂「ブリッジ配列」が形成され）、重力に抗して落下できない状態になっても、遊技球の配列を崩しブリッジ配列を解消できる。その結果、遊技球を球抜き孔から落下させることができる効果がある。
【０１８０】
以上のように遊技機１によれば、遊技者が操作部を操作することにより、簡易な機構で、受皿に貯留された遊技球が開口の上方で均衡する配列を崩し、球抜き孔から遊技球を散らして落下させることができる効果がある。
【０１８１】
遊技機１において、前記開閉部材は、前記開閉部材の移動方向の後方に向かって前記開口の縁端から上昇傾斜する上昇傾斜部を備えていることを特徴とする遊技機２。
【０１８２】
遊技機２によれば、遊技機１の奏する効果に加え、上昇傾斜部は開閉部材の移動方向の後方に向かって開口の縁端から上昇傾斜しているので、操作部を操作すると、受皿に貯留された遊技球の下側を擦るように上昇傾斜部を移動させ、開閉部材を円運動または直線運動させることができる。その結果、開閉部材を円運動または直線運動させるときの操作部の操作力を低く抑えることができる効果がある。
【０１８３】
遊技機１又は２において、前記開閉部材は、前後方向または左右方向に往復動可能に構成されるものであり、前記開口は、遊技者からの距離を異ならせて前記開閉部材の複数箇所に形成されており、遊技者に近い位置に形成された開口の面積は、遊技者から離れた位置に形成された開口の面積より大きく設定されていることを特徴とする遊技機３。
【０１８４】
遊技機３によれば、遊技機１又は２の奏する効果に加え、前後方向または左右方向に往復動可能に構成される開閉部材に複数の開口が形成されているので、開閉部材が往復動した場合の各開口と遊技者との相対距離を変えないようにできる。遊技者に近い位置に形成された開口の面積は、遊技者から離れた位置に形成された開口の面積より大きく設定されているので、遊技者に近い位置に形成された開口から遊技球を落下させることができる。これにより、受皿の下方に載置された収容箱の手前側に多くの遊技球を落下させることができ、受皿の下方に載置した収容箱の奥側に遊技球が高く積もらないようにできる効果がある。
【０１８５】
遊技機１から３のいずれかにおいて、前記球抜き孔の下方に配設されると共に落下する前記遊技球が衝突する誘導部材を備え、その誘導部材は、前方または側方に向かって下降傾斜する下降傾斜部を備えていることを特徴とする遊技機４。
【０１８６】
遊技球４によれば、遊技球１から３のいずれかの奏する効果に加え、球抜き孔から落下する遊技球を、誘導部材の下降傾斜部により前方または側方に向かって分散させることができる。その結果、受皿の下方に載置した収容箱に、より均等に遊技球を収容できる効果がある。
【０１８７】
遊技球が貯留される受皿が前面に配設された遊技機において、遊技者に操作される操作部と、その操作部に連係して前記受皿の底部に円運動または直線運動可能に配設される第１開閉部材と、その第１開閉部材の下方に配設されると共に、前記操作部または前記第１開閉部材に連係して円運動または直線運動可能に配設される第２開閉部材とを備え、前記第１開閉部材は、前記遊技球が落下して通過する第１開口を備え、前記第２開閉部材は、前記第１開閉部材の円運動または直線運動の初期位置で前記第１開口を閉鎖する閉鎖部と、前記第１開閉部材に対する相対移動により前記第１開口を複数位置で開放する第２開口とを備えていることを特徴とする遊技機５。
【０１８８】
遊技機５によれば、操作部が遊技者に操作されることにより、操作部に連係して第１開閉部材および第２開閉部材が受皿の底部を円運動または直線運動する。第１開閉部材の円運動または直線運動の初期位置では、第１開閉部材に形成された第１開口は、第２開閉部材に形成された閉鎖部により閉鎖される。これにより第１開閉部材の初期位置では、閉鎖部により遊技球の第１開口からの落下が阻止されるので、受皿内に遊技球が貯留された状態が維持される。
【０１８９】
一方、第１開閉部材に対する第２開閉部材の相対移動により、第１開閉部材の第１開口が第２開閉部材の第２開口により複数位置で開放される。これにより受皿内の遊技球は、第１開口および第２開口を通過して複数位置から落下する。その結果、受皿に貯留された遊技球を複数位置に散らして落下させることができるので、簡易な機構で、受皿の下方に載置した収容箱の一箇所に遊技球が高く積もらないようにできる効果がある。
【０１９０】
遊技機５において、前記操作部は往復動可能に構成され、前記第１開閉部材は、前記操作部が一方向に移動される操作力を伝達すると共に他方向に移動される操作力を遮断する第１の一方向クラッチを介して前記操作部に連係されており、前記第２開閉部材は、前記操作部が一方向に移動される操作力を遮断すると共に他方向に移動される操作力を伝達する第２の一方向クラッチを介して前記操作部に連係されていることを特徴とする遊技機６。
【０１９１】
遊技機６によれば、遊技機５の奏する効果に加え、往復動可能に構成される操作部が一方向に移動される操作力は、第１の一方向クラッチにより第１開閉部材に伝達される一方、第２の一方向クラッチにより第２開閉部材への伝達が遮断される。また、操作部が他方向に移動される操作力は、第１の一方向クラッチにより第１開閉部材への伝達が遮断される一方、第２の一方向クラッチにより第２開閉部材に伝達される。以上のように、簡易な操作部の往復動により第１開閉部材および第２開閉部材を交互に移動させ、遊技球を複数位置から落下させることができる効果がある。
【０１９２】
遊技機５又は６において、前記第１開閉部材は、上面が、前記受皿に貯留される遊技球に接触していることを特徴とする遊技機７。
【０１９３】
遊技機７によれば、遊技機５又は６の奏する効果に加え、第１開閉部材の上面が受皿に貯留された遊技球と接触しているので、第１開閉部材が円運動または直線運動されることにより、受皿の底部付近に位置し第１開閉部材に接触する遊技球（特に第１開口付近の遊技球）が転動される。これにより、受皿に貯留された遊技球がドーム状になって第１開口の上方で均衡し（所謂「ブリッジ配列」が形成され）、重力に抗して落下できない状態になっても、遊技球の配列を崩しブリッジ配列を解消できる。その結果、連通させた第１開口および第２開口から遊技球を落下させることができる。即ち、遊技者が操作部を操作することにより、受皿に貯留された遊技球が第１開口の上方で均衡する配列を崩し、遊技球を散らして落下させることができる効果がある。
【０１９４】
遊技機７において、前記遊技球に接触する前記第１開閉部材は、前記第１開閉部材の移動方向の後方に向かって前記第１開口の縁端から上昇傾斜する上昇傾斜部を備えていることを特徴とする遊技機８。
【０１９５】
遊技機８によれば、遊技機７の奏する効果に加え、上昇傾斜部は第１開閉部材の移動方向の後方に向かって第１開口の縁端から上昇傾斜しているので、操作部を操作すると、受皿に貯留された遊技球の下側を擦るように上昇傾斜部を移動させ、第１開閉部材を円運動または直線運動させることができる。その結果、第１開閉部材を円運動または直線運動させるときの操作部の操作力を低く抑えることができる効果がある。
【０１９６】
遊技球が落下する球抜き孔が底部に形成された受皿が前面に配設された遊技機において、遊技者に操作される操作部と、その操作部に連係して前記球抜き孔を開閉する複数の閉鎖部材と、その閉鎖部材により前記球抜き孔の閉鎖の状態を切り換える切換手段とを備え、その切換手段により前記球抜き孔の閉鎖の状態は、前記閉鎖部材により前記遊技球を落下不能に前記球抜き孔が閉鎖される閉鎖状態と、その閉鎖状態に対し前記遊技球を落下可能に前記球抜き孔の一部が開放される第１開放状態と、その第１開放状態により開放される前記球抜き孔の一部とは異なる部分が前記遊技球を落下可能に開放される第２開放状態とに少なくとも切り換えられることを特徴とする遊技機９。
【０１９７】
遊技機９によれば、遊技者に操作部が操作されることにより、複数の閉鎖部材により球抜き孔が開閉され、切換手段により、閉鎖部材による球抜き孔の閉鎖の状態が切り換えられる。球抜き孔の閉鎖の状態が、閉鎖部材により遊技球を落下不能に球抜き孔が閉鎖される閉鎖状態にあるときは、球抜き孔からの遊技球の落下が阻止され、受皿に遊技球が貯留された状態が維持される。また、閉鎖状態に対し遊技球を落下可能に球抜き孔の一部が開放される第１開放状態にあるときは、受皿内に貯留された遊技球は、開放された球抜き孔の一部から落下する。
【０１９８】
一方、第１開放状態により開放される球抜き孔の一部とは異なる部分が開放される第２開放状態にあるときは、受皿内に貯留された遊技球は、第１開放状態とは異なる部分から落下する。その結果、切換手段により第１開放状態と第２開放状態とを切り換えることによって、球抜き孔の異なる部分から遊技球を落下させることができる。受皿に貯留された遊技球を球抜き孔の異なる部分から落下させることで、簡易な機構で、受皿の下方に載置した収容箱の一箇所に遊技球が高く積もらないようにできる効果がある。
【０１９９】
遊技機９において、前記閉鎖部材は、上面が、前記球抜き孔の開放された一部に向かって前記球抜き孔の縁部から下降傾斜していることを特徴とする遊技機１０。
【０２００】
遊技機１０によれば、遊技機９の奏する効果に加え、閉鎖部材により球抜き孔の一部が開放されると、閉鎖部材の上面に沿って遊技球が流下する。閉鎖部材は、球抜き孔の縁部から球抜き孔の開放された一部に向かって上面が下降傾斜しているので、閉鎖部材の下降傾斜する方向に遊技球が放り出される。これにより、遊技球の落下点と球抜き孔との水平距離を大きくできるので、受皿の下方に載置した収容箱の広範囲に遊技球を散らすことができる効果がある。
【０２０１】
遊技機９又は１０において、前記底部は、上面が、前記球抜き孔の縁部に向かって下降傾斜していることを特徴とする遊技機１１。
【０２０２】
遊技機１１によれば、遊技機９又は１０の奏する効果に加え、閉鎖部材により球抜き孔の一部が開放されると、底部の上面に沿って遊技球が流下する。底部は、球抜き孔の縁部に向かって上面が下降傾斜しているので、底部の上面が水平に形成されている場合と比較して、球抜き孔を通過する遊技球の速度を大きくできる。これにより、遊技球の落下点と球抜き孔との水平距離を大きくできるので、受皿の下方に載置した収容箱の広範囲に遊技球を散らすことができる効果がある。
【０２０３】
遊技機１１において、前記底部は、前記球抜き孔に至るまで奥から手前に向かって下降傾斜していることを特徴とする遊技機１２。
【０２０４】
遊技機１２によれば、遊技機１１の奏する効果に加え、球抜き孔に至るまで奥から手前に向かって下降傾斜する底部により、球抜き孔から手前に遊技球が放り出されるようにできる。これにより、受皿の下方に載置された収容箱の手前側に多くの遊技球を落下させることができ、受皿の下方に載置した収容箱の奥側に遊技球が高く積もらないようにできる効果がある。
【０２０５】
遊技機９から１２のいずれかにおいて、前記閉鎖部材は、前記底部に対する傾斜角度を略一定に維持した状態でスライドされ前記球抜き孔を開閉することを特徴とする遊技機１３。
【０２０６】
遊技機１３によれば、遊技機９から１２のいずれかの奏する効果に加え、閉鎖部材は底部に対する傾斜角度を略一定に維持した状態でスライドされるので、水平方向に配置された軸を中心に閉鎖部材が回動される場合と比較して、収容箱が載置される閉鎖部材の下方空間を小さくできる効果がある。
【０２０７】
また、水平方向に配置された軸を中心に閉鎖部材が回動される場合は、収容箱に遊技球が高く積もってしまうと、遊技球に妨げられて閉鎖部材を開閉できなくなるおそれがある。これに対し、底部に対する傾斜角度を略一定に維持した状態で閉鎖部材がスライドされる構成とすることで、収容箱に収容された遊技球の量（盛り上がって収容箱に積まれた遊技球の高さ）に関わらず、閉鎖部材を開閉し球抜き孔から遊技球を落下できる効果がある。
【０２０８】
遊技機９から１３のいずれかにおいて、前記閉鎖部材または前記底部は、前記遊技球の所定方向への移動を規制し所定方向から前記球抜き孔へ流下される前記遊技球の移動を規制する移動規制手段を備えていることを特徴とする遊技機１４。
【０２０９】
遊技機１４によれば、遊技機９から１３のいずれかの奏する効果に加え、移動規制手段により遊技球の所定方向への移動が規制され、所定方向から球抜き孔へ流下される遊技球の量が調整される。これにより、所定方向から球抜き孔へ流下される遊技球の量と、その他の方向から球抜き孔へ流下される遊技球の量とを異ならせることができる。その結果、切換手段により第１開放状態と第２開放状態とを切り換えることによって、球抜き孔の異なる部分から放り出される遊技球の軌跡の差異を大きくすることができる。これにより、第１開放状態と第２開放状態とを切り換えることにより、遊技球の落下点の差異を大きくすることができる。その結果、受皿の下方に載置した収容箱の広範囲に遊技球を散らすことができる効果がある。
【０２１０】
遊技球が落下する球抜き孔が底部に形成された受皿が前面に配設された遊技機において、遊技者に操作される操作部と、その操作部に連係して前記球抜き孔を開閉する閉鎖部材と、前記受皿の底部の水平面に対する傾斜角度が変化するように前記受皿を揺動可能に支持する支持部とを備えていることを特徴とする遊技機１５。
【０２１１】
遊技機１５によれば、遊技者に操作される操作部に閉鎖部材が連係して球抜き孔が開閉される。球抜き孔が開放された状態で受皿が揺動されることにより、支持部により揺動可能に支持された受皿の底部の水平面に対する傾斜角度が変化する。これにより、球抜き孔から放り出される遊技球の方向を変化させ、受皿の下方に載置した収容箱の広範囲に遊技球を散らすことができる効果がある。
【０２１２】
遊技機１５において、前記球抜き孔は、前記受皿の底部から下方に向かうにつれて内面が拡開されていることを特徴とする遊技機１６。
【０２１３】
遊技機１６によれば、遊技機１５の奏する効果に加え、球抜き孔の内面が下方に向かうにつれて拡開されているので、遊技球の排出（放出）が球抜き孔の内周に遮られることを抑制して、拡開した球抜き孔から遊技球を広範囲に撒き散らすことができる効果がある。
【０２１４】
遊技球が落下する球抜き孔が底部に形成された受皿が前面に配設された遊技機において、遊技者に操作される操作部と、その操作部に連係して前記球抜き孔を開閉する閉鎖部材と、前記底部に形成され前記操作部の動作に連動して前記遊技球の所定方向の移動を規制し所定方向から前記球抜き孔に流下される前記遊技球の移動を規制する移動規制手段とを備えていることを特徴とする遊技機１７。
【０２１５】
遊技機１７によれば、操作部の動作に連動する移動規制手段により遊技球の所定方向への移動が規制され、所定方向から球抜き孔へ流下される遊技球の量が調整される。これにより、操作部の動作に連動して、所定方向から球抜き孔へ流下される遊技球の量と、その他の方向から球抜き孔へ流下される遊技球の量とを異ならせることができる。その結果、受皿の下方に載置した収容箱に落下する遊技球の落下点を、所定方向から球抜き孔へ流下する場合と、その他の方向から球抜き孔へ流下する場合とで操作部の動作に連動して異ならせることができる。これにより、収容箱の広範囲に遊技球を散らすことができる。
【０２１６】
遊技機１７において、前記底部は、前記球抜き孔に向かって下降傾斜する傾斜領域を備え、前記移動規制手段は、その傾斜領域に形成されていることを特徴とする遊技機１８。
【０２１７】
遊技機１８によれば、球抜き孔に向かって下降傾斜する底部の傾斜領域により、遊技球は球抜き孔に向かって転がっていく。移動規制手段が傾斜領域に形成されることにより、球抜き孔に向かって転がる遊技球の速度を、操作部の動作に連動して異ならせることができる。移動規制手段の有無に連動して球抜き孔に流下する遊技球の速度を異ならせることで、球抜き孔から収容箱に落下する遊技球の落下点と球抜き孔との水平距離を異ならせることができる。これにより遊技機１７の奏する効果に加え、遊技球が収容箱に落下して到達できる範囲を広くし、遊技球が収容箱の一箇所に高く積もることを防止できる効果がある。
【符号の説明】
【０２１８】
１                                      パチンコ機（遊技機）
３０，５０，６０，７０，８０            受皿
３１，６１，８１                        底部
３１ｂ，５１ｃ，６１ｂ，８１ａ，８１ｂ  球抜き孔
３３，６３，８３                        開閉部材
３３ａ，６３ａ，８３ａ，８３ｃ          開口
３３ｂ                                  閉鎖部
３３ｃ，６３ｂ，８３ｂ，８３ｄ          上昇傾斜部
４１，６５，８５                        操作部
９９                                    誘導部材
９９ａ                                  上面（下降傾斜部）
【図１】
2020006230.tif 000003
【図２】
2020006230.tif 000004
【図３】
2020006230.tif 000005
【図４】
2020006230.tif 000006
【図５】
2020006230.tif 000007
【図６】
2020006230.tif 000008
【図７】
2020006230.tif 000009
【図８】
2020006230.tif 000010
【図９】
2020006230.tif 000011
【図１０】
2020006230.tif 000012
【図１１】
2020006230.tif 000013
【図１２】
2020006230.tif 000014
【図１３】
2020006230.tif 000015
【図１４】
2020006230.tif 000016
【図１５】
2020006230.tif 000017
【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
遊技球が落下する球抜き孔が底部に形成された受皿が前面に配設された遊技機において、
遊技者に操作される操作部と、
その操作部に係合される部材を介して又は前記操作部に直結され前記受皿の底部に円運動可能に配設されると共に前記球抜き孔の上方に位置し前記球抜き孔と連通する開口が形成された開閉部材とを備え、
前記開閉部材は、円板状に形成され、その円板状の中心を軸にして円運動可能に配設され、
前記底部は、前記開閉部材の円運動の初期位置で前記開口を閉鎖する閉鎖部を備え、
前記球抜き孔は、前記開閉部材の中心を挟んで対称に２箇所に形成され、前記開閉部材の円運動の初期位置とは異なる２位置で前記開口と連通することを特徴とする遊技機。
【手続補正２】
【補正対象書類名】明細書
【補正対象項目名】全文
【補正方法】変更
【補正の内容】
【発明の詳細な説明】
【技術分野】
【０００１】
本発明は、パチンコ機等に代表される遊技機に関するものである。
【背景技術】
【０００２】
遊技球を使用して遊技を行う遊技機の代表例としてパチンコ機がある。このパチンコ機の前面には、払い出された遊技球を貯留するための受皿が設けられている。受皿の底面には開閉可能な球抜き孔が形成されているので、遊技球で受皿が満杯になった場合には、受皿の下方に遊技球の収容箱を載置して、球抜き孔を開放することで受皿に貯留された遊技球を収容箱に移すことができる。
【０００３】
しかし、球抜き孔から収容箱に落下した遊技球は球抜き孔の下方部分に高く積もることになるので、この状態を放置すると、高く積もった部分から遊技球が収容箱の外に溢れ出てしまう。それを防ぐために、遊技者は手で遊技球を平らに均さなければならず面倒であった。そこで、モータにより球抜き孔を移動させて落下する遊技球を散らし、遊技球が一箇所に高く積もらないようにする技術がある（特許文献１）。
【先行技術文献】
【特許文献】
【０００４】
【特許文献１】特開平１０−１７９８７４号公報
【発明の概要】
【発明が解決しようとする課題】
【０００５】
しかしながら、上記のようなパチンコ機では、球抜き孔を移動させるためのモータを設ける必要があり、機構が複雑化するという問題点があった。
【０００６】
本発明は、上記例示した問題点等を解決するためになされたものであり、受皿に貯留された遊技球を簡易な機構で散らして落下させることができる遊技機を提供することを目的としている。
【課題を解決するための手段】
【０００７】
この目的を達成するために請求項１記載の遊技機は、遊技球が落下する球抜き孔が底部に形成された受皿が前面に配設された遊技機において、遊技者に操作される操作部と、その操作部に係合される部材を介して又は前記操作部に直結され前記受皿の底部に円運動可能に配設されると共に前記球抜き孔の上方に位置し前記球抜き孔と連通する開口が形成された開閉部材とを備え、前記開閉部材は、円板状に形成され、その円板状の中心にして円運動可能に配設され、前記底部は、前記開閉部材の円運動の初期位置で前記開口を閉鎖する閉鎖部を備え、前記球抜き孔は、前記開閉部材の中心を挟んで対称に２箇所に形成され、前記開閉部材の円運動の初期位置とは異なる２位置で前記開口と連通する。
【０００８】
【０００９】
【００１０】
【発明の効果】
【００１１】
本発明によれば、受皿に貯留された遊技球を簡易な機構で散らして落下させることができる。
【図面の簡単な説明】
【００１２】
【図１】一実施の形態におけるパチンコ機の正面図である。
【図２】（ａ）は第１実施の形態における受皿の平面図であり、（ｂ）は図２（ａ）の矢印ＩＩｂ−ＩＩｂ線における受皿の断面図であり、（ｃ）は軸部の要部断面図である。
【図３】（ａ）は閉じ位置にある第１開閉部材および第２開閉部材の模式平面図であり、（ｂ）は開き位置にある第１開閉部材および第２開閉部材の模式平面図であり、（ｃ）は開き位置にある第１開閉部材および第２開閉部材の模式平面図であり、（ｄ）は閉じ位置にある第１開閉部材および第２開閉部材の模式平面図であり、（ｅ）は閉じ位置にある第１開閉部材および第２開閉部材の模式平面図であり、（ｆ）は開き位置にある第１開閉部材および第２開閉部材の模式平面図であり、（ｇ）は開き位置にある第１開閉部材および第２開閉部材の模式平面図であり、（ｈ）は閉じ位置にある第１開閉部材および第２開閉部材の模式平面図である。
【図４】（ａ）は図２（ａ）の矢印ＩＶ−ＩＶ線における受皿の断面図であり、（ｂ）は従来の受皿の断面図である。
【図５】（ａ）は第２実施の形態における受皿の平面図であり、（ｂ）は図５（ａ）の矢印Ｖｂ−Ｖｂ線における受皿の断面図である。
【図６】（ａ）は第３実施の形態における受皿の平面図であり、（ｂ）は図６（ａ）の矢印ＶＩｂ−ＶＩｂ線における受皿の断面図である。
【図７】（ａ）は第４実施の形態における受皿の平面図であり、（ｂ）は図７（ａ）の矢印ＶＩＩｂ−ＶＩＩｂ線における受皿の断面図であり、（ｃ）は図７（ａ）の矢印ＶＩＩｃ−ＶＩＩｃ線における受皿６０の断面図である。
【図８】（ａ）は第５実施の形態における受皿の平面図であり、（ｂ）は図８（ａ）の矢印ＶＩＩＩｂ−ＶＩＩＩｂ線における受皿の断面図である。
【図９】（ａ）は第６実施の形態における受皿の平面図であり、（ｂ）は図９（ａ）の矢印ＩＸｂ−ＩＸｂ線における受皿の断面図である。
【図１０】（ａ）は第７実施の形態における受皿の平面図であり、（ｂ）は図１０（ａ）の矢印Ｘｂ−Ｘｂ線における受皿の断面図である。
【図１１】（ａ）は第８実施の形態における受皿の平面図であり、（ｂ）は図１１（ａ）の矢印ＸＩｂ−ＸＩｂ線における受皿の断面図であり、（ｃ）は図１１（ａ）の矢印ＸＩｃ−ＸＩｃ線における受皿の断面図である。
【図１２】（ａ）は第９実施の形態における受皿の平面図であり、（ｂ）は図１２（ａ）の矢印ＸＩＩｂ−ＸＩＩｂ線における受皿の断面図である。
【図１３】（ａ）は第１０実施の形態における受皿の平面図であり、（ｂ）は図１３（ａ）の矢印ＸＩＩＩｂ−ＸＩＩＩｂ線における受皿の断面図であり、（ｃ）は図１３（ａ）の矢印ＸＩＩＩｃ−ＸＩＩＩｃ線における受皿の断面図である。
【図１４】（ａ）は第１１実施の形態における受皿の平面図であり、（ｂ）は図１４（ａ）の矢印ＸＩＶｂ方向から見た受皿の正面図である。
【図１５】（ａ）は第１２実施の形態における受皿の平面図であり、（ｂ）は図１５（ａ）の矢印ＸＶｂ−ＸＶｂ線における受皿の断面図である。
【発明を実施するための形態】
【００１３】
以下、遊技機の一種であるパチンコ遊技機（以下、「パチンコ機」という）の一実施の形態を、図面に基づいて説明する。図１は一実施の形態におけるパチンコ機１の正面図である。なお、図１では便宜上パチンコ機１の遊技領域内の構成を省略している。
【００１４】
パチンコ機１は、当該パチンコ機１の外殻を形成する外枠２と、この外枠２に対して前方に回動可能に取り付けられた遊技機主部３とを有する。外枠２は木製の板材を四辺に連結し構成されるものであって矩形枠状をなしている。パチンコ機１は、外枠２を島設備に取り付け固定することにより、遊技ホールに設置される。
【００１５】
遊技機主部３は、ベース体としての内枠４と、その内枠４の前方に配置される前扉枠５とを備えている。遊技機主部３のうち内枠４が外枠２に対して回動可能に支持されている。詳細には、パチンコ機１の正面視で左側を回動基端側、右側を回動先端側として内枠４が前方へ回動可能とされている。
【００１６】
前扉枠５は、内枠４における前面側のほぼ全域を覆うようにして設けられている。前扉枠５には、遊技盤に形成された遊技領域のほぼ全域を前方から視認することができるようにした窓部６が形成されておりガラス７が嵌め込まれている。
【００１７】
前扉枠５は、下方に手前側へ突出するようにして遊技球発射ハンドル８が設けられている。遊技球発射ハンドル８が操作されることにより、遊技領域（ガラス７の背後）に遊技球が発射される。遊技領域に発射された遊技球が入賞口（図示せず）に入賞すると、所定個数の遊技球が賞球として払い出される。
【００１８】
パチンコ機１の前面には、払い出された賞球を受けるための上皿９及び下皿１０（受皿）が設けられている。上皿９及び下皿１０は上下に並設されており、上皿９が遊技球で満杯になると、それ以上の遊技球は連絡通路（図示せず）を通って流入口１１から下皿１０に流入する。下皿１０の前面には、水平方向（図１左右方向）に横長のスライド孔１２が形成されており、そのスライド孔１２から、第１開閉部材１７及び第２開閉部材１８（図２参照）を駆動するための操作部１３が露呈されている。操作部１３は、スライド孔１２に沿って左右にスライド可能に構成されており、操作部１３が操作されることにより第１開閉部材１７及び第２開閉部材１８が駆動され、下皿１０から遊技球を落下させることができる。パチンコ機１では、下皿１０が満杯になったときや遊技を終了するときには、下皿１０の下方に収容箱（図示せず）を載置した後に操作部１３を操作して、下皿１０に貯留された遊技球を収容箱に移すことができる。
【００１９】
次に図２を参照して、下皿１０（受皿１０）について説明する。図２（ａ）は第１実施の形態における受皿１０の平面図であり、図２（ｂ）は図２（ａ）の矢印ＩＩｂ−ＩＩｂ線における受皿１０の断面図である。
【００２０】
図２（ａ）に示すように受皿１０は、前扉枠５の前面に突設される底部１４と、その底部１４の周囲（前扉枠５の前面を除く）に立設される側壁部１５とを備えている。受皿１０の背面に形成された流入口１１には、後方に向けて突出する流入筒１１ａが接続されており、受皿１０は流入筒１１ａを通って流入口１１から流入する遊技球を貯留できる。受皿１０の底部１４の略中央には底部１４を貫通する円形の開口部１４ａが形成されている。開口部１４ａの中心に軸部１６が鉛直方向に配設されており、軸部１６は、開口部１４ａの内側に重装された円板状の第１開閉部材１７及び第２開閉部材１８（図２（ｂ）参照）の中心に嵌挿されている。
【００２１】
第１開閉部材１７は、開口部１４ａの内径よりわずかに小さい直径を有する円板状に形成される部材であり、開口部１４ａに軸部１６を中心にして円運動（回転）可能に配設されている。第１開閉部材１７は、回転中心（軸部１６）からずれた位置に略円形状の第１開口１７ａが厚さ方向に貫通形成されている。第１開口１７ａは、遊技球を抜き出すための開口であり、遊技球の外径より大きい内径を有している。これにより第１開口１７ａが開放されることにより、第１開口１７ａから遊技球を抜き出すことができ、第１開口１７ａが閉鎖されることにより、第１開口１７ａからの遊技球の落下が阻止され受皿１０への遊技球の貯留が可能となる。
【００２２】
第１開閉部材１７は、第１開口１７ａの縁端から上昇傾斜する上昇傾斜部１７ｂを備えている。上昇傾斜部１７ｂは、軸部１６を中心に回転する第１開閉部材１７の抵抗（受皿１０に貯留された遊技球の中を回転することによる抵抗）を低減するための部位であり、第１開口１７ａの移動方向（図２（ａ）上下方向）に向かって第１開口１７ａの縁端から上昇傾斜している。
【００２３】
図２（ｂ）に示すように、軸部１６は、前扉枠５の前面で且つ底部１４の下方に突設される突設部５ａに下端部が回動可能に支持されている。また、第１開閉部材１７の上面１７ｃは、底部１４の上面１４ｂと同一面に設定されているので、底部１４を転動して第１開口１７ａから流下する遊技球の移動（底部１４から第１開閉部材１７への移動）が妨げられることが防止される。
【００２４】
第１開閉部材１７の下方に第２開閉部材１８が配設されている。第２開閉部材１８は、開口部１４ａの内径よりわずかに小さい直径を有する円板状に形成される部材であり、開口部１４ａに軸部１６を中心にして第１開閉部材１７とは別個に円運動（回転）可能に配設されている。第２開閉部材１８は、回転中心（軸部１６）からずれた位置に略円形状の第２開口１８ａが厚さ方向に貫通形成されており、第２開口１８ａは、軸部１６を中心に第１開口１７ａから１８０°ずれた位置（点対称位置）に配置されている。第２開口１８ａは、遊技球を抜き出すための開口であり、遊技球の外径より大きい内径を有している。これにより第１開口１７ａ及び第２開口１８ａの位置が合致してそれらが連通することにより、第１開口１７ａ及び第２開口１８ａから遊技球を抜き出すことができ、第１開口１７ａと第２開口１８ａとの位置がずれ、第１開口１７ａと第２開口１８ａとが閉鎖されることにより、底部１４からの遊技球の落下が阻止され受皿１０への遊技球の貯留が可能となる。
【００２５】
第１ピニオン１９及び第２ピニオン２０は、後述する第３ピニオン２１と係合する部材であり、第２開閉部材１８の下方に位置する軸部１６の上下に並設されている。第１ピニオン１９及び第２ピニオン２０の各々の内側に第１の一方向クラッチ１９ａ及び第２の一方向クラッチ２０ａの外輪がそれぞれ一体に形成されている。第１の一方向クラッチ１９ａ及び第２の一方向クラッチ２０ａは、外輪から入力される一方向の回転を内輪に伝達する一方、外輪から入力される他方向の回転の内輪への伝達を遮断する部材であり、各々の一方向クラッチ１９ａ，２０ａの内輪に軸部１６が嵌挿されている。
【００２６】
ここで、図２（ｃ）を参照して、軸部１６について詳しく説明する。図２（ｃ）は軸部１６の先端側の要部断面図である。図２（ｃ）に示すように、軸部１６は、突設部５ａに支持された第１軸部１６ａと、その第１軸部１６ａが挿通される第２軸部１６ｂとを備えて構成されている。第２軸部１６ｂは、環状に形成される部材であり、第１軸部１６ａに段差状に形成された段差部１６ａ１に載置され、段差部１６ａ１により外径が小さく形成された先端部１６ａ２が挿通されている。これにより第１軸部１６ａは第２軸部１６ｂと相対回転可能に構成されている。第１開閉部材１７は第１軸部１６ａの先端部１６ａ２が嵌挿され、第１ピニオン１９（第１の一方向クラッチ１９ａ）は段差部１６ａ１より下側の第１軸部１６ａが嵌挿されている。第２開閉部材１８及び第２ピニオン２０（第２の一方向クラッチ２０ａ）は第２軸部１６ｂが嵌挿されている。以上のように構成されているので、第１開閉部材１７及び第２開閉部材１８は、軸部１６を中心にして別個に回転することが可能である。
【００２７】
第１の一方向クラッチ１９ａ及び第２の一方向クラッチ２０ａは、外輪から内輪へ伝達される回転が反対方向となるように逆向きに配置されている。本実施の形態では、平面視して（図２（ａ）参照）時計回りの第１ピニオン１９及び第２ピニオン２０の回動は、第２の一方向クラッチ２０ａにより軸部１６（第２軸部１６ｂ）に伝達され第２開閉部材１８が時計回りに回動するように構成されている。また、平面視して反時計回りの第１ピニオン１９及び第２ピニオン２０の回動は、第１の一方向クラッチ１９ａにより軸部１６（第１軸部１６ａ）に伝達され第１開閉部材１７が反時計回りに回動するように構成されている。
【００２８】
なお、第１の一方向クラッチ１９ａ及び第２の一方向クラッチ２０ａは、第１開閉部材１７及び第２開閉部材１８から入力される回転、即ち軸部１６から入力される回転を規制する爪付きラッチ（図示せず）が内蔵されている。これにより、受皿１０内に貯留された遊技球を遊技者が掴む等の動作によって第１開閉部材１７及び第２開閉部材１８が意図せずに回転してしまうことを防止できる。
【００２９】
図２（ａ）に戻って説明する。第３ピニオン２１は、第１ピニオン１９及び第２ピニオン２０と係合する部材であり、軸部１６の上下に並設された第１ピニオン１９及び第２ピニオン２０と係合可能な軸方向厚さに設定されている。ラック２２は、第３ピニオン２１と係合する水平方向に配置された部材であり、スライド孔１２に貫設された連結部２３を介して操作部１３と連結されている。これによりスライド孔１２に沿って操作部１３を左右にスライドさせることにより、ラック２２を左右に往復動（直線運動）させることができる。なお、第１〜第３ピニオン１９，２０，２１、ラック２２は、歯数が、操作部１３の１回の往動および復動により第１開閉部材１７及び第２開閉部材１８が軸部１６を中心に１８０°回転できるように設定されている。
【００３０】
ラック２２は、一端部に係止部２４が突設されると共に、付勢手段２５（コイルばね）が連結されている。付勢手段２５の一端は受皿１０に固定された被係止部２６に固着されているので、ラック２２は一方向（図２（ａ）右側）に付勢される。本実施の形態ではこの状態が初期状態であり、平面視して第１開口１７ａ及び第２開口１８ａが軸部１６を挟んで反対方向に位置し、遊技球が受皿１０に貯留される。
【００３１】
また、付勢手段２５の付勢力に抗して遊技者が操作部１３を指で摘んで操作（図２（ａ）左側にスライド）し、被係止部２６に係止部２４を係止することで、遊技者が操作部１３から指を離しても、ラック２２の右方向への移動が阻止される（その状態が維持される）。遊技者が操作部１３を操作して（外力を加えて）係止部２４を被係止部２６から離脱させると、付勢手段２５の付勢力によりラック２２は右方向に移動する。
【００３２】
受皿１０は以上のように構成されているので、操作部１３を操作してラック２２を左方向（図２（ａ）左側）にスライドさせると、第３ピニオン２１は平面視して時計回りに回動し、第１ピニオン１９及び第２ピニオン２０は反時計回りに回動する。その回動は第１の一方向クラッチ１９ａにより軸部１６（第１軸部１６ａ）に伝達され、第１開閉部材１７が反時計回りに回動する。一方、操作部１３を操作してラック２２を右方向にスライドさせると、第３ピニオン２１は平面視して反時計回りに回動し、第１ピニオン１９及び第２ピニオン２０は時計回りに回動する。その回動は第２の一方向クラッチ２０ａにより軸部１６（第２軸部１６ｂ）に伝達され、第２開閉部材１８が反時計回りに回動する。
【００３３】
次に図３を参照して、第１開閉部材１７及び第２開閉部材１８の動作について説明する。図３（ａ）は閉じ位置（第１開口１７ａが第２開閉部材１８により閉鎖される位置）にある第１開閉部材１７及び第２開閉部材１８の模式平面図であり、図３（ｂ）は開き位置（第１開口１７ａと第２開口１８ａとが連通する位置）にある第１開閉部材１７及び第２開閉部材１８の模式平面図であり、図３（ｃ）は開き位置にある第１開閉部材１７及び第２開閉部材１８の模式平面図であり、図３（ｄ）は閉じ位置にある第１開閉部材１７及び第２開閉部材１８の模式平面図であり、図３（ｅ）は閉じ位置にある第１開閉部材１７及び第２開閉部材１８の模式平面図であり、図３（ｆ）は開き位置にある第１開閉部材１７及び第２開閉部材１８の模式平面図であり、図３（ｇ）は開き位置にある第１開閉部材１７及び第２開閉部材１８の模式平面図であり、図３（ｈ）は閉じ位置にある第１開閉部材１７及び第２開閉部材１８の模式平面図である。なお、図３では、操作部１３（図２（ａ）参照）の移動方向を矢印Ｓで示し、第１開閉部材１７及び第２開閉部材１８の回転方向を矢印Ｒで示している。
【００３４】
まず、図３（ａ）に示す第１開閉部材１７及び第２開閉部材１８の初期位置では、第１開口１７ａは軸部１６の右側に位置し、第２開口１８ａは軸部１６の左側に位置している。その結果、第１開口１７ａ及び第２開口１８ａは平面視して１８０°ずれた位置にあり、第１開口１７ａは第２開閉部材１８の閉鎖部１８ｂ（第２開口１８ａ以外の部位）により閉鎖されている。これにより、第１開口１７ａからの遊技球の落下は阻止され、受皿１０に遊技球が貯留される。
【００３５】
次に、操作部１３を矢印Ｓ方向に移動させると、操作部１３と直結されたラック２２（図２（ａ）参照）と係合する第１〜第３ピニオン１９，２０，２１及び第１の一方向クラッチ１９ａにより第１開閉部材１７は矢印Ｒ方向に回転する。第１開閉部材１７が軸部１６を中心にして１８０°回転すると、図３（ｂ）に示すように、第１開口１７ａ及び第２開口１８ａが軸部１６の左側で連通する。これにより、受皿１０に貯留された遊技球は、軸部１６の左側から落下する。また、この状態では被係止部２６（図２（ａ）参照）に係止部２４が係止されるので、被係止部２６から係止部２４を離脱させるまで、遊技球の落下が持続する。
【００３６】
このように、被係止部２６に係止部２４が係止される位置で遊技球を落下させることができるように設定されているので、遊技球が落下される間、遊技者が操作部１３を押さえ続ける必要がなく、遊技者の負担を軽減することができる。
【００３７】
遊技者が操作部１３を操作して被係止部２６から係止部２４を離脱させると、付勢手段２５の付勢力によりラック２２及び操作部１３が矢印Ｓ方向に移動する（図３（ｃ）参照）。そうするとラック２２と係合する第１〜第３ピニオン１９，２０，２１及び第２の一方向クラッチ２０ａにより第２開閉部材１８は矢印Ｒ方向に回転する。第２開口１８ａの位置が変化し第１開口１７ａ及び第２開口１８ａの連通が解除されるので、第１開口１７ａは第２開閉部材１８の閉鎖部１８ｂ（第２開口１８ａ以外の部位）により閉鎖され、第１開口１７ａからの遊技球の落下は阻止される。ラック２２の移動により第２開閉部材１８が軸部１６を中心にして１８０°回転し、図３（ｄ）に示すように、第２開口１８ａが軸部１６の右側に移動する。
【００３８】
このように、遊技者が被係止部２６から係止部２４を離脱させるだけで、付勢手段２５によりラック２２が右方向に移動されるので、遊技者は操作部１３を摘んで右方向に移動させる必要がなく、遊技者の負担を軽減することができる。
【００３９】
次に、図３（ｅ）に示すように、操作部１３を矢印Ｓ方向に移動させると、操作部１３と直結されたラック２２と係合する第１〜第３ピニオン１９，２０，２１及び第１の一方向クラッチ１９ａにより第１開閉部材１７は矢印Ｒ方向に回転する。第１開閉部材１７が軸部１６を中心にして１８０°回転すると、図３（ｆ）に示すように、第１開口１７ａ及び第２開口１８ａが軸部１６の右側で連通する。これにより、受皿１０に貯留された遊技球は、軸部１６の右側から落下する。また、この状態では、被係止部２６（図２（ａ）参照）に係止部２４が係止されるので、係止部２４を離脱させるまで、遊技球の落下が持続する。
【００４０】
遊技者が操作部１３を操作して被係止部２６から係止部２４を離脱させると、付勢手段２５の付勢力によりラック２２及び操作部１３が矢印Ｓ方向に移動する（図３（ｇ）参照）。そうするとラック２２と係合する第１〜第３ピニオン１９，２０，２１及び第２の一方向クラッチ２０ａにより第２開閉部材１８は矢印Ｒ方向に回転する。第２開口１８ａの位置が変化し第１開口１７ａ及び第２開口１８ａの連通が解除されるので、第１開口１７ａは第２開閉部材１８の閉鎖部１８ｂ（第２開口１８ａ以外の部位）により閉鎖され、第１開口１７ａからの遊技球の落下は阻止される。ラック２２の移動により第２開閉部材１８が軸部１６を中心にして１８０°回転し、図３（ｈ）に示すように、第２開口１８ａが軸部１６の右側に移動する。これにより第１開閉部材１７及び第２開閉部材１８の初期位置に戻る（図３（ａ）参照）。
【００４１】
以上のように構成される受皿１０によれば、操作部１３が遊技者に操作されることにより、操作部１３に連係して第１開閉部材１７及び第２開閉部材１８が受皿１０の底部１４を円運動する。第１開閉部材１７の円運動の初期位置では（図３（ａ）参照）、第１開閉部材１７に形成された第１開口１７ａは、第２開閉部材１８に形成された閉鎖部１８ｂにより閉鎖される。これにより第１開閉部材１７の初期位置では、閉鎖部１８ｂにより遊技球の第１開口１７ａからの落下が阻止されるので、受皿１０内に遊技球が貯留された状態が維持される。
【００４２】
一方、第１開閉部材１７に対する第２開閉部材１８の相対移動により、第１開閉部材１７の第１開口１７ａが第２開閉部材１８の第２開口１８ａにより複数位置で開放される（図３（ｂ）、図３（ｆ）参照）。これにより受皿１０内の遊技球は、第１開口１７ａ及び第２開口１８ａを通過して複数位置から落下する。その結果、受皿１０に貯留された遊技球を複数位置に散らして落下させることができるので、簡易な機構で、受皿１０の下方に載置した収容箱（図示せず）の一箇所に遊技球が高く積もらないようにできる。
【００４３】
また、上述したように操作部１３が往復動（直線運動）可能に構成され、第１開閉部材１７は、操作部１３が一方向に移動される操作力を伝達すると共に他方向に移動される操作力を遮断する第１の一方向クラッチ１９ａを介して操作部１３に連係されている。一方、第２開閉部材１８は、操作部１３が一方向に移動される操作力を遮断すると共に他方向に移動される操作力を伝達する第２の一方向クラッチ２０ａを介して操作部１３に連係されている。
【００４４】
これにより、往復動可能に構成される操作部１３が一方向（図２（ａ）左方向）に移動される操作力は、第１の一方向クラッチ１９ａにより第１開閉部材１７に伝達される一方、第２の一方向クラッチ２０ａにより第２開閉部材１８への伝達が遮断される。また、操作部１３が他方向（図２（ａ）右方向）に移動される操作力は、第１の一方向クラッチ１９ａにより第１開閉部材１７への伝達が遮断される一方、第２の一方向クラッチ２０ａにより第２開閉部材１８に伝達される。以上のように、簡易な操作部１３の往復動により第１開閉部材１７及び第２開閉部材１８を交互に移動させ、遊技球を複数位置から落下させることができる。
【００４５】
また、第１開口１７ａ及び第２開口１８ａは回転中心（軸部１６）に対して１８０°ずれた点対称位置に形成されているので、第１開口１７ａ及び第２開口１８ａが連通することによる遊技球の落下位置を、最大に離間させることができる。これにより底部１４の下方に収容箱（図示せず）を載置して遊技球を受皿１０から抜き出すときに、遊技球の落下位置の水平距離を大きくすることができる。その結果、収容箱に収容される遊技球を分散させて均すことができる。
【００４６】
次に図４を参照して、受皿１０に貯留された遊技球Ｂと第１開閉部材１７との関係について説明する。図４（ａ）は図２（ａ）の矢印ＩＶ−ＩＶ線における受皿１０の断面図であり、図４（ｂ）は従来の受皿の断面図である。なお、図４（ａ）では、第１開閉部材１７の移動方向を矢印で図示している。
【００４７】
図４（ｂ）を説明する前に、まず、一般的なパチンコ機１の動作について、図１を参照しながら説明する。パチンコ機１は、上皿９に貯留した遊技球を球送り機構（図示せず）により一球ずつ発射位置に自動的に供給し、遊技者による遊技球発射ハンドル８の回動操作によって、発射位置にある遊技球が発射装置により打圧され遊技領域に打ち出される。なお、上皿９が遊技球で満杯になると、遊技球は自動的に流出口１１から受皿１０（下皿）に流出され貯留される。受皿１０も満杯となり遊技球が溢れそうになると、満杯状態が改善されるまで発射装置の遊技球遊技球発射作動を停止させ、新たな入賞が生じて受皿１０に更なる遊技球（賞球）が払い出されるのを防止する。即ち、受皿１０が満杯になると遊技者は遊技球を発射できなくなる。
【００４８】
ここで、受皿１０が満杯となるのは、大抵、大量の遊技球が払い出される大当たり遊技中である。大当たり遊技は、所定時間内に遊技球を大入賞口に入賞させて賞球を獲得するものがほとんどであり、中には所定時間内に遊技球を大入賞口の特定領域に規定数の入賞がないと大当たり遊技が途中終了してしまうものもある。従って、大当たり遊技中に受皿１０が満杯となり遊技球を発射できなくなると、大当たり遊技で獲得可能な利益を十分に享受できなくなる。そこで、遊技者は受皿１０が満杯となる前に、球抜き孔Ｈ（図４（ｂ）参照）を開閉する開閉部材Ｐをスライドさせ球抜き孔Ｈを開放して、遊技球Ｂを球抜き孔Ｈから抜き出して収容箱（図示せず）に移し替える必要がある。
【００４９】
しかし、大当たり遊技中は、遊技者は興奮状態にありがちなため、受皿１０が満杯となるまで気づかずに、発射装置が停止されてから慌てて球抜き作業を行い、遊技球Ｂを排出することが多々ある。ところが、遊技球Ｂが満杯となった状態で球抜き孔Ｈを開放しても遊技球Ｂが排出されず、発射停止が長引いて遊技者の損失が大きくなることがある。
【００５０】
図４（ｂ）に示すように、球抜き孔Ｈから遊技球Ｂが排出されない原因は、貯留された遊技球Ｂがドーム状になって均衡する「ブリッジ配列」（図４（ｂ）の矢印Ａで示す部分）が球抜き孔Ｈの上方に形成されて球抜き孔Ｈの上方の遊技球Ｂが重力に抗するためである。このような場合には、遊技者が手ずから遊技球Ｂをかき混ぜれば、遊技球Ｂの配列が崩れてブリッジ配列Ａが解消され、球抜き孔Ｈから遊技球Ｂが排出されるようになる。しかし、大当たり遊技中の時間ロスは避けられず、遊技者に損失を与え遊技の興趣を損ねていた。
【００５１】
これに対し、図４（ａ）に示す受皿１０によれば、第１開閉部材１７は、上面１７ｃが底部１４に露呈されており受皿１０に貯留される遊技球Ｂに接触しているので、第１開口１７ａと第２開口１８ａとを連通させるために第１開閉部材１７が円運動されることにより、受皿１０に貯留された遊技球Ｂのうち第１開閉部材１７に接触するもの（特に第１開口１７ａ付近の遊技球Ｂ）が転動される。これにより、遊技球Ｂの配列を崩しブリッジ配列Ａを解消できる。その結果、連通させた第１開口１７ａ及び第２開口１８ａから遊技球Ｂを落下させることができる。即ち、遊技者が球抜き作業を行うために操作部１３（図２（ａ）参照）を操作することにより、受皿１０に貯留された遊技球Ｂが第１開口１７ａの上方で均衡するブリッジ配列Ａを崩すことができると共に、第１開口１７ａと第２開口１８ａとを複数位置で連通させ、遊技球Ｂを分散させて落下させることができる。
【００５２】
従って、遊技者が手ずから受皿１０内の遊技球Ｂをかき混ぜるようなことをしなくても、操作部１３を操作することにより、遊技球Ｂの配列が崩れてブリッジ配列Ａが解消され、遊技球Ｂが排出される。その結果、大当たり遊技中の時間ロスが生じることはなく、遊技の興趣を損ねることを防止できる。
【００５３】
また、上面１７ｃが遊技球Ｂに接触する第１開閉部材１７は、第１開閉部材１７の移動方向の後方（図４（ａ）反矢印方向）に向かって第１開口１７ａの縁端１７ａ１から上昇傾斜する上昇傾斜部１７ｂを備えているので、操作部１３を操作すると、受皿１０に貯留された遊技球Ｂの下側を擦るように上昇傾斜部１７ｂを移動させ、第１開閉部材１７を円運動させるときの抵抗を小さくできる。その結果、第１開閉部材１７を円運動させるときの操作部１３の操作力を低く抑えることができる。
【００５４】
次に図５を参照して、第２実施の形態について説明する。第１実施の形態では、受皿１０の底部１４に重装された第１開閉部材１７及び第２開閉部材１８を備え、第１開閉部材１７及び第２開閉部材１８が相対回転することにより第１開口１７ａを異なる位置で開閉し遊技球を排出する場合について説明した。これに対し第２実施の形態では、受皿３０の底部３１に移動可能に配設された開閉部材３３を備え、底部３１に形成された球抜き孔３１ｂを開閉部材３３で開閉する場合について説明する。なお、以下の各実施の形態においては、第１実施の形態で説明したパチンコ機１に配設された受皿１０に代えて、各受皿が配設されるものとして説明する。また、第１実施の形態と同一の部分については、同一の符号を付して以下の説明を省略する。図５（ａ）は第２実施の形態における受皿３０の平面図であり、図５（ｂ）は図５（ａ）の矢印Ｖｂ−Ｖｂ線における受皿３０の断面図である。
【００５５】
図５（ａ）に示すように受皿３０は、前扉枠５の前面に突設される底部３１と、その底部３１の周囲（前扉枠５の前面を除く）に立設される側壁部３２とを備えている。受皿３０の背面に形成された流入口１１には、後方に向けて突出する流入筒１１ａが接続されており、受皿３０は流入筒１１ａを通って流入口１１から流入する遊技球を貯留できる。受皿３０の底部３１の略中央には平面視して円形状の凹部３１ａが形成されている。
【００５６】
凹部３１ａは、後述する開閉部材３３が収装される部位であり、凹部３１ａの深さ（底部３１の上面３１ｃと凹部３１ａの底面との距離）は開閉部材３３の厚さより少し大きめに形成されている（図５（ｂ）参照）。これにより凹部３１ａに収装された開閉部材３３の上面３３ｄと、底部３１の上面３１ｃとを同一面に位置させることができる。凹部３１ａに収装された開閉部材３３の上面３３ｄが底部３１の上面３１ｃより高い位置にあると、受皿３０に貯留された遊技球の円滑な移動（底部３１から開閉部材３３への移動）が妨げられるからである。
【００５７】
凹部３１ａは、底部３１を貫通する球抜き孔３１ｂが２箇所に形成されている。球抜き孔３１ｂは遊技球を抜き出すための孔であり、遊技球の外径より大きい内径を有する円形状に形成されている。２つの球抜き孔３１ｂは、平面視して凹部３１ａの中心を挟んで対称状に配置されている。これにより、凹部３１ａに対して２つの球抜き孔３１ｂ間の距離を最大にできる。その結果、２つの球抜き孔３１ｂから落下する遊技球の落下点間の水平距離を大きくすることができ、遊技球を広く散らして球抜き孔３１ｂから落下させることができる。
【００５８】
開閉部材３３は、凹部３１ａの内径よりわずかに小さい直径を有する円板状に形成される部材であり、凹部３１ａに軸部３４を中心にして円運動（回転）可能に配設されている。開閉部材３３は、回転中心（軸部３４）からずれた位置に略半円形状の開口３３ａが厚さ方向に貫通形成（外周から切欠き形成）されている。開口３３ａは、遊技球を抜き出すための部位であり、遊技球の外径より大きい内径を有している。これにより球抜き孔３１ｂと開口３３ａとが連通し球抜き孔３１ｂが開放されることにより、球抜き孔３１ｂから遊技球を抜き出すことができ、球抜き孔３１ｂの上方に開口３３ａ以外の部位（閉鎖部３３ｂ）が位置して球抜き孔３１ｂが閉鎖されることにより、球抜き孔３１ｂからの遊技球の落下が阻止され受皿３０への遊技球の貯留が可能となる。
【００５９】
開閉部材３３は、開口３３ａの縁端から上昇傾斜する上昇傾斜部３３ｃを備えている。上昇傾斜部３３ｃは、軸部３４を中心に回転する開閉部材３３の抵抗（受皿３０に貯留された遊技球の中を回転することによる抵抗）を低減するための部位であり、開口３３ａの移動方向（図５（ａ）左右方向）に向かって開口３３ａの縁端から上昇傾斜している。
【００６０】
図５（ｂ）に示すように、凹部３１ａの中心に軸部３４が鉛直方向に貫設されており、軸部３４は、前扉枠５の前面で且つ底部３１の下方に突設される突設部５ａに下端部が回動可能に支持されている。第１ピニオン３５は、後述する第２ピニオン３６と係合する部材であり、底部３１と突設部５ａとの間の軸部３４に配設されている。第１ピニオン３５は軸部３４が中心に嵌挿されており、軸部３４と一体に回転可能に構成されている。
【００６１】
図５（ａ）に戻って説明する。第２ピニオン３６は、第１ピニオン３５と係合する部材であり、底部３１の下方に軸支されている。ラック３７は、第２ピニオン３６と係合する水平方向に配置された部材であり、下皿３０の前面の水平方向（図５（ａ）左右方向）に形成されたスライド孔３２ａに貫設された連結部４０を介して操作部４１と連結されている。これによりスライド孔３２ａに沿って操作部４１を左右にスライドさせることにより、ラック３７を左右に往復動（直線運動）させることができる。なお、第１、第２ピニオン３５，３６、ラック３７は、歯数が、操作部４１の１回の往動および復動により開閉部材３３が軸部３４を中心に９０°回動できるように設定されている。
【００６２】
ラック３７は、両端部に係止部３７が突設されると共に、各端部に付勢手段３８（コイルばね）が連結されている。付勢手段３８の一端は受皿３０に固定された被係止部３９に固着されているので、ラック３７は付勢手段３８ａ，３８ｂにより被係止部３９ａ，３９ｂの中間位置（初期位置）で均衡状態となる。
【００６３】
受皿３０は以上のように構成されているので、操作部４１を操作してラック３７を左方向（図５（ａ）左側）にスライドさせると、第２ピニオン３６は平面視して時計回りに回動し、第１ピニオン３５は反時計回りに回動する。その回動により開閉部材３３が反時計回りに回動する。開閉部材３３が反時計回りに９０°回動すると、開口３３ａと球抜き孔３１ｂとが軸部３４の左側で連通する。これにより、開口３３ａ及び球抜き孔３１ｂを通過して遊技球が軸部３４の左側に落下する。このときは被係止部３９ａに係止部３７ａが係止され、付勢手段３８の付勢力によるラック３７の移動が阻止されるので、遊技球が落下される間、遊技者が操作部４１を押さえ続ける必要がなく、遊技者の負担を軽減することができる。
【００６４】
次に、操作部４１を操作して、被係止部３９ａから係止部３７ａを離脱させつつラック３７を右方向（図５（ａ）右側）にスライドさせると、第２ピニオン３６は平面視して反時計回りに回動し、第１ピニオン３５は時計回りに回動する。その回動により開閉部材３３が時計回りに回動する。開閉部材３３の回動により開口３３ａと球抜き孔３１ｂとの連通が解除されると、球抜き孔３１ｂからの遊技球の落下が停止する。
【００６５】
さらに操作部４１が右方向にスライドされると、開口３３ａと球抜き孔３１ｂとが軸部３４の右側で連通する。これにより、開口３３ａ及び球抜き孔３１ｂを通過して遊技球が軸部３４の右側に落下する。このときは被係止部３９ｂに係止部３７ｂが係止され、付勢手段３８の付勢力によるラック３７の移動が阻止されるので、遊技球が落下される間、遊技者が操作部４１を押さえ続ける必要がなく、遊技者の負担を軽減することができる。
【００６６】
球抜き孔３１ｂからの遊技球の落下を停止するには、操作部４１を操作して、被係止部３９ｂから係止部３７ｂを離脱させる。そうすると付勢手段３８の付勢力によりラック３７は左方向に移動され、その結果、開閉部材３３の回動により開口３３ａと球抜き孔３１ｂとの連通が解除される。ラック３７は付勢手段３８により被係止部３９ａ，３９ｂの中間位置（初期位置）で均衡状態となるので、遊技者により操作部４１が操作されない限り、球抜き孔３１ｂは開閉部材３３の閉鎖部３３ｂ（開口３３ａ以外の部位）で閉鎖される。これにより遊技球は受皿３０に貯留される。
【００６７】
なお、上面３３ｄが遊技球に接触する開閉部材３３は、開閉部材３３（開口３３ａ）の移動方向の後方（図５（ａ）左右方向）に向かって開口３３ａの縁端から上昇傾斜する上昇傾斜部３３ｃを備えている。これにより操作部４１を操作すると、受皿３０に貯留された遊技球の下側を擦るように上昇傾斜部３３ｃを移動させることができ、開閉部材３３を円運動させるときの抵抗を小さくできる。その結果、開閉部材３３を円運動させるときの操作部４１の操作力を低く抑えることができる。
【００６８】
また、受皿３０の開閉部材３３は、上面３３ｄが底部３１に露呈されており（図５（ｂ）参照）、受皿３０に貯留される遊技球に接触するので、開口３３ａと球抜き孔３１ｂとを連通させるために開閉部材３３が円運動されることにより、受皿３０に貯留された遊技球のうち開閉部材３３に接触するもの（特に開口３３ａ付近の遊技球）が転動される。これにより、貯留された遊技球の配列を崩しブリッジ配列を解消できる。その結果、連通させた開口３３ａ及び球抜き孔３１ｂから遊技球を落下させることができる。即ち、遊技者が球抜き作業を行うために操作部４１（図５（ａ）参照）を操作することにより、受皿３０に貯留された遊技球が開口３３ａの上方で均衡するブリッジ配列を崩すことができると共に、開口３３ａと球抜き孔３１ｂとを複数位置（本実施の形態では２箇所）で連通させ、遊技球を分散させて落下させることができる。
【００６９】
次に図６を参照して、第３実施の形態について説明する。第２実施の形態では、底部３１（凹部３１ａ）に円形の球抜き孔３１ｂが２箇所に形成される場合について説明した。これに対し第３実施の形態では、球抜き孔５１ｃが底部５１（凹部５１ａ）の略中央の一箇所に形成される場合について説明する。なお、第１実施の形態および第２実施の形態と同一の部分には、同一の符号を付して以下の説明を省略する。図６（ａ）は第３実施の形態における受皿５０の平面図であり、図６（ｂ）は図６（ａ）の矢印ＶＩｂ−ＶＩｂ線における受皿５０の断面図である。
【００７０】
図６（ａ）に示すように受皿５０は、前扉枠５の前面に突設される底部５１と、その底部５１の周囲（前扉枠５の前面を除く）に立設される側壁部５２とを備えている。受皿５０の背面に形成された流入口１１には、後方に向けて突出する流入筒１１ａが接続されており、受皿５０は流入筒１１ａを通って流入口１１から流入する遊技球を貯留できる。受皿５０の底部５１の略中央には平面視して円形状の凹部５１ａが形成されている。
【００７１】
凹部５１ａは、開閉部材３３が収装される部位であり、凹部５１ａの周縁の一部（図６（ａ）上側）から凹部５１ａの中心（軸部３４）に向かって平面視して略半円状に突出される突縁部５１ｂと、その突縁部５１ｂ以外の部位であって底部５１の厚さ方向に貫通形成された球抜き孔５１ｃとを備えている。
【００７２】
突縁部５１ｂは、開閉部材３３の開口３３ａと重なり合う場合に開口３３ａを閉鎖するための部位であり、受皿５０の奥側（前扉枠５側）の凹部５１ａの周縁から凹部５１ａの中心に向かって突設されており、突縁部５１ｂの大きさは開口３３ａの大きさよりわずかに大きめに形成されている。球抜き孔５１ｃは遊技球を抜き出すための孔であり、凹部５１ａの突縁部５１ｂを除く部位に形成されている。球抜き孔５１ｃは、開閉部材３３の閉鎖部３３ｂ（開口３３ａ以外の部位）と重なり合うことで閉鎖される。また、軸部３４を中心に開閉部材３３が回動されて開口３３ａと球抜き孔５１ｃとが連通して、その連通部分が遊技球の通過可能な大きさになると、遊技球を落下させることができる。
【００７３】
セクターギヤ５３（扇型ギヤ）はラック３７と係合する部材であり、図６（ｂ）に示すように、底部５１と突設部５ａとの間の軸部３４に配設されている。セクターギヤ５３は軸部３４が回動中心に嵌挿されており、軸部３４と一体に回動可能に構成されている。これにより、スライド孔３２ａ（図６（ａ）参照）に沿って操作部４１を左右にスライドさせることにより、ラック３７を左右に往復動（直線運動）させ、ラック３７に係合するセクターギヤ５３により軸部３４を回動させることができる。なお、セクターギヤ５３、ラック３７は、歯数が、操作部４１の１回の往動および復動により開閉部材３３が軸部３４を中心にそれぞれ９０°回動できるように設定されている。
【００７４】
また、セクターギヤ５３は扇型に形成されているので、セクターギヤ５３を球抜き孔５１ｃの内側に配置した場合であっても、セクターギヤ５３が球抜き孔５１ｃからの球抜き作業の障害となることを防止できる。
【００７５】
受皿５０は以上のように構成されているので、図６（ａ）に示す初期位置において、操作部４１を操作してラック３７を左方向（図６（ａ）左側）にスライドさせると、セクターギヤ５３は平面視して時計回りに回動する。その回動により開閉部材３３が時計回りに回動する。開閉部材３３が時計回りに回動し、開口３３ａと球抜き孔５１ｃとが連通する連通部分が遊技球の通過可能な大きさになると、遊技球が球抜き孔５１ｃの右側から落下する。遊技球の落下位置は、開閉部材３３が回動して開口３３ａの位置が時計回りに変化するのに伴い変化する。ラック３７が水平移動され被係止部３９ａに係止部３７ａが係止されると、付勢手段３８の付勢力によるラック３７の移動が阻止されるので、遊技球が落下される間、遊技者が操作部４１を押さえ続ける必要がなく、遊技者の負担を軽減することができる。
【００７６】
次に、操作部４１を操作して、被係止部３９ａから係止部３７ａを離脱させつつラック３７を右方向（図６（ａ）右側）にスライドさせると、セクターギヤ５３は平面視して反時計回りに回動する。その回動により開閉部材３３が反時計回りに回動する。開閉部材３３の回動により開口３３ａが突縁部５１ｂに到達して、開口３３ａと球抜き孔３１ｂとの連通部分が、遊技球が通過できない程度の大きさになると、球抜き孔３１ｂからの遊技球の落下が停止する。
【００７７】
さらに操作部４１が右方向にスライドされると、開閉部材３３が反時計回りに回動し、開口３３ａが突縁部５１ｂを通過する。開口３３ａと球抜き孔５１ｃとが連通する連通部分が遊技球の通過可能な大きさになると、遊技球が球抜き孔５１ｃの左側から落下する。遊技球の落下位置は、開閉部材３３が回動して開口３３ａの位置が反時計回りに変化するのに伴い変化する。ラック３７が水平方向に移動され被係止部３９ｂに係止部３７ｂが係止されると、付勢手段３８の付勢力によるラック３７の移動が阻止されるので、遊技球が落下される間、遊技者が操作部４１を押さえ続ける必要がなく、遊技者の負担を軽減することができる。
【００７８】
球抜き孔３１ｂからの遊技球の落下を停止するには、操作部４１を操作して、被係止部３９ｂから係止部３７ｂを離脱させる。そうすると付勢手段３８の付勢力によりラック３７は左方向に移動され、その結果、開閉部材３３の回動により開口３３ａと突縁部５１ｂとが重なり合い、開口３３ａと球抜き孔５１ｃとの連通が解除される。ラック３７は付勢手段３８により被係止部３９ａ，３９ｂの中間位置（初期位置）で均衡状態となるので、遊技者により操作部４１が操作されない限り、球抜き孔５１ｃは開閉部材３３の閉鎖部３３ｂ（開口３３ａ以外の部位）で閉鎖される。これにより遊技球は受皿３０に貯留される。
【００７９】
また、受皿３０の開閉部材３３は、上面３３ｄが底部３１に露呈されており（図６（ｂ）参照）、受皿３０に貯留される遊技球に接触するので、開口３３ａと球抜き孔５１ｃとを連通させるために開閉部材３３が円運動されることにより、受皿５０に貯留された遊技球のうち開閉部材３３に接触するもの（特に開口３３ａ付近の遊技球）が転動される。これにより、貯留された遊技球の配列を崩しブリッジ配列を解消できる。その結果、連通させた開口３３ａ及び球抜き孔５１ｃから遊技球を落下させることができる。即ち、遊技者が球抜き作業を行うために操作部４１（図６（ａ）参照）を操作することにより、受皿５０に貯留された遊技球が開口３３ａの上方で均衡するブリッジ配列を崩すことができると共に、開口３３ａと球抜き孔５１ｃとを複数位置（本実施の形態では突縁部３１ｂとセクターギヤ５３との間の広範囲）で連通させ、遊技球を球抜き孔５１ｃの左右に分散させて落下させることができる。
【００８０】
次に図７を参照して、第４実施の形態について説明する。第１実施の形態から第３実施の形態では、第１開閉部材１７や開閉部材３３が円運動される場合について説明した。これに対し第４実施の形態では、受皿６０の底部６１に配設された開閉部材６３が直線運動可能に構成される場合について説明する。なお、第１実施の形態と同一の部分については、同一の符号を付して以下の説明を省略する。図７（ａ）は第４実施の形態における受皿６０の平面図であり、図７（ｂ）は図７（ａ）の矢印ＶＩＩｂ−ＶＩＩｂ線における受皿６０の断面図であり、図７（ｃ）は図７（ａ）の矢印ＶＩＩｃ−ＶＩＩｃ線における受皿６０の断面図である。
【００８１】
図７（ａ）に示すように受皿６０は、前扉枠５の前面に突設される底部６１と、その底部６１の周囲（前扉枠５の前面を除く）に立設される側壁部６２とを備えている。受皿６０の底部６１の前後方向（図７（ａ）上下方向）の略中央には平面視して矩形状の横長の凹部６１ａが形成されている。
【００８２】
凹部６１ａは、開閉部材６３が収装される部位であり、凹部６１ａの深さ（底部６１の上面６１ｃと凹部６１ａの底面との距離）は開閉部材６３の厚さより少し大きめに形成されている（図７（ｂ）参照）。これにより凹部６１ａに収装された開閉部材６３の上面６３ｄと、底部６１の上面６１ｃとを同一面に位置させることができる。凹部６１ａに収装された開閉部材６３の上面６３ｄが底部６１の上面６１ｃより高い位置にあると、受皿６０に貯留された遊技球の円滑な移動（底部６１から開閉部材６３への移動）が妨げられるからである。
【００８３】
凹部６１ａは、底部６１を貫通する球抜き孔６１ｂが間隔をあけて左右の２箇所に形成されている。球抜き孔６１ｂは遊技球を抜き出すための孔であり、遊技球の外径より大きい内径を有する円形状に形成されている。２つの球抜き孔６１ｂは、平面視して凹部６１ａの左右方向（図７（ａ）左右方向）の中心を挟んで対称状に配置されている。これにより、２つの球抜き孔６１ｂから落下される遊技球を、受皿の左右に散らすことができる。
【００８４】
開閉部材６３は、凹部６１ａの幅（図７（ａ）上下方向）よりわずかに小さい幅を有すると共に、左右の球抜き孔６１ｂを閉鎖可能な長さに設定された横長の矩形状の部材であり、凹部６１ａに直線（往復）運動可能に配設されている。開閉部材６３は、長手方向（図７（ａ）左右方向）の略中央に円形状の開口６３ａが厚さ方向に貫通形成されている。開口６３ａは、遊技球を抜き出すための部位であり、遊技球の外径より大きい内径を有している。これにより球抜き孔６１ｂと開口６３ａとが連通し球抜き孔６１ｂが開放されることにより、球抜き孔６１ｂから遊技球を抜き出すことができ、球抜き孔６１ｂの上方に開口６３ａ以外の部位（開閉部材６１の閉鎖部）が位置して球抜き孔６１ｂが閉鎖されることにより、球抜き孔６１ｂからの遊技球の落下が阻止され受皿６０への遊技球の貯留が可能となる。
【００８５】
図７（ｂ）に示すように、開閉部材６３は、開口６３ａの縁端から上昇傾斜する上昇傾斜部６３ｂを備えている。上昇傾斜部６３ｂは、開閉部材６３の直線運動時の抵抗（受皿６０に貯留された遊技球の中を移動することによる抵抗）を低減するための部位であり、開口６３ａの移動方向（図７（ａ）左右方向）に向かって開口６３ａの縁端から上昇傾斜している。
【００８６】
また、開閉部材６３は、長手方向の両端部にも縁端から上昇傾斜する上昇傾斜部６３ｃが形成されている。上昇傾斜部６３ｃは、開閉部材６３の直線運動時の抵抗（受皿６０に貯留された遊技球の中を移動することによる抵抗）を低減するための部位であり、開閉部材６３の移動方向（図７（ａ）左右方向）に向かって縁端から上昇傾斜している。
【００８７】
なお、図７（ｃ）に示すように、凹部６１ａは、幅方向（図７（ｃ）左右方向）において、内壁６１ａ１が上端に向かうにつれて内側（開閉部材６３側）に向かってテーパー状に迫り出しているので、開閉部材６３が凹部６１ａから離脱することが防止される。
【００８８】
図７（ａ）に戻って説明する。開閉部材６３は、前方に延設された連結部６４を介して、遊技者により操作される操作部６５に直結されている。連結部６４は、下皿６０の前面の水平方向（図７（ａ）左右方向）に形成されたスライド孔６２ａに貫設される部材であり、その連結部６４に連結された操作部６５がスライド孔６２ａから露呈している。これによりスライド孔６２ａに沿って操作部６５を左右にスライドさせることにより、連結部６５を介して開閉部材６３を左右に往復動（直線運動）させることができる。
【００８９】
連結部６４は、左右に付勢手段６６（コイルばね）が連結されている。付勢手段６６の一端は受皿６０に固定された被係止部６７に固着されているので、連結部６４は付勢手段６６により被係止部６７の中間位置（初期位置）で均衡状態となる。このときは図７（ｂ）に示すように、開閉部材６３に形成された開口６３ａは底部６１で閉鎖され、底部６１に形成された球抜き孔６１ｂは開閉部材６３で閉鎖される。これにより受皿６０に遊技球が貯留される。
【００９０】
一方、操作部６５を操作して連結部６４を左右方向（図７（ａ）左右方向）にスライドさせると、操作部６５に直結された開閉部材６３は左右に往復動（直線運動）される。その結果、開口６３ａと球抜き孔６１ｂとが連通すると、開口６３ａ及び球抜き孔６１ｂを通過して遊技球が底部６１の左右から落下する。開閉部材６３が左または右にスライドされ開口６３ａと球抜き孔６１ｂとが連通するときは、連結部６４に突設された係止部（図示せず）が被係止部６７に係止され、付勢手段６６の付勢力による連結部６４の移動が阻止される。これにより、遊技球が落下される間、遊技者が操作部６５を押さえ続ける必要がなく、遊技者の負担を軽減することができる。
【００９１】
球抜き孔６１ｂからの遊技球の落下を停止するには、操作部６５を操作して、被係止部６７から係止部（図示せず）を離脱させる。そうすると付勢手段６６の付勢力により連結部６４及び開閉部材６３は初期位置（均衡状態）に移動され（図７（ａ）参照）、その結果、開口６３ａと球抜き孔６１ｂとの連通が解除される。受皿６０は、以上のような簡易な機構で、遊技球を左右に振り分けて収容箱（図示せず）に排出することが可能となる。
【００９２】
なお、上面６３ｄが底部６１に露呈し遊技球に接触する開閉部材６３は、開閉部材６３（開口６３ａ）の移動方向の後方（図７（ａ）左右方向）に向かって開口６３ａの縁端から上昇傾斜する上昇傾斜部６３ｂを備えている。これにより操作部６５を操作すると、受皿６０に貯留された遊技球の下側を擦るように上昇傾斜部６３ｂを移動させることができ、開閉部材６３を直線運動させるときの抵抗を小さくできる。その結果、開閉部材６３を直線運動させるときの操作部６５の操作力を低く抑えることができる。
【００９３】
また、開閉部材６３は、開閉部材６３（開口６３ａ）の移動方向の後方（図７（ａ）左右方向）に向かって長手方向両端部の縁端から上昇傾斜する上昇傾斜部６３ｃを備えている。これにより操作部６５を操作すると、受皿６０に貯留された遊技球の下側を擦るように上昇傾斜部６３ｃを移動させることができ、開閉部材６３を直線運動させるときの抵抗を小さくできる。その結果、開閉部材６３を直線運動させるときの操作部６５の操作力をさらに低く抑えることができる。
【００９４】
また、開閉部材６３は、上面６３ｄが底部６１に露呈されており（図７（ｂ）参照）、受皿６０に貯留される遊技球に接触するので、開口６３ａと球抜き孔６１ｂとを連通させるために開閉部材６３が直線運動されることにより、受皿６０に貯留された遊技球のうち開閉部材６３に接触するもの（特に開口６３ａ付近の遊技球）が転動される。これにより、貯留された遊技球の配列を崩しブリッジ配列を解消できる。その結果、連通させた開口６３ａ及び球抜き孔６１ｂから遊技球を落下させることができる。即ち、遊技者が球抜き作業を行うために操作部６５（図７（ａ）参照）を操作することにより、受皿６０に貯留された遊技球が開口６３ａの上方で均衡するブリッジ配列を崩すことができると共に、開口６３ａと球抜き孔６１ｂとを複数位置（本実施の形態では２箇所）で連通させ、遊技球を分散させて落下させることができる。
【００９５】
次に図８を参照して、第５実施の形態について説明する。第４実施の形態では開閉部材６３が直線運動される場合について説明した。第５実施の形態では、第４実施の形態と比較して小さな操作力で開閉部材６３を直線運動できる受皿７０について説明する。なお、第４実施の形態と同一の部分については、同一の符号を付して以下の説明を省略する。図８（ａ）は第５実施の形態における受皿７０の平面図であり、図８（ｂ）は図８（ａ）の矢印ＶＩＩＩｂ−ＶＩＩＩｂ線における受皿７０の断面図である。
【００９６】
図８（ａ）及び図８（ｂ）に示すように、受皿７０は底部６１に形成された凹部６１ａの左右方向両端部の上方に覆設された薄板状のカバー部７１を備えている。カバー部７１は、開閉部材６３と凹部６１ａとの間に遊技球が侵入することを防止するための部材であり、凹部６１ａが形成された底部６１の前後に跨って配置されている。これにより、開閉部材６３の直線運動時の抵抗（受皿７０に貯留された遊技球の中を移動することによる抵抗）を低減することができ、遊技者による操作部６５の操作力を小さくできる。また、凹部６１ａの左右方向両端部の上方にカバー部７１が覆設されることにより、第４実施の形態で説明した上昇傾斜部６３ｃ（図７（ａ）及び図７（ｂ）参照）を不要にできる。
【００９７】
なお、カバー部７１は、内側端部７１ａが初期位置（均衡状態）にある開閉部材６３の両端部の上方に位置する（カバー部７１と開閉部材６３とが一部重なり合う）ので、ゴミや埃等を凹部６１ａ内に侵入し難くできる。これにより、侵入したゴミや埃等により開閉部材６３がスムーズに直線運動できなくなることを防止できる。
【００９８】
付勢手段７２は、開閉部材６３を初期位置（均衡状態）に定置させるための手段であり、板ばねにより形成されている。付勢手段７２は、開閉部材６３の移動方向端部に一端が連結され他端が凹部６１ａの長手方向内側端部に固定されている。カバー部７１で覆われた凹部６１ａ内の空間に付勢手段７２が配設されているので、空間を有効活用することができ、開閉部材６３の移動機構を小型化できる。
【００９９】
次に図９を参照して、第６実施の形態について説明する。第４実施の形態および第５実施の形態では、複数の球抜き孔６１ｂが左右方向の同一直線上に位置する場合について説明した。これに対し第６実施の形態では、球抜き孔８１ａ，８１ｂと前扉枠５の前面との水平距離を異ならせた場合について説明する。なお、第１実施の形態と同一の部分については、同一の符号を付して以下の説明を省略する。図９（ａ）は第６実施の形態における受皿８０の平面図であり、図９（ｂ）は図９（ａ）の矢印ＩＸｂ−ＩＸｂ線における受皿８０の断面図である。
【０１００】
図９（ａ）に示すように受皿８０は、前扉枠５の前面に突設される底部８１（図９（ｂ）参照）と、その底部８１の周囲（前扉枠５の前面を除く）に立設される側壁部８２とを備えている。受皿８０の底部８１には、遊技者側（手前側）及び前扉枠５側（奥側）に球抜き孔８１ａ，８１ｂが厚さ方向に貫通形成されている。遊技者側（手前側）の球抜き孔８１ａは、前扉枠５側（奥側）の球抜き孔８１ｂに比べて開口面積が大きくなるように設定されている。また、球抜き孔８１ａ，８１ｂは底部８１の左右方向の中心に対して左右両側に位置するように形成されている。
【０１０１】
開閉部材８３は、底部８１の幅（図９（ａ）上下方向）よりわずかに大きい幅を有すると共に、左右の球抜き孔８１ａ，８１ｂを閉鎖可能な長さに設定された横長の矩形状の部材であり、底部８１の上に配設される。開閉部材８３は、幅方向端部８３ｅが、側壁部８２の内面および前扉枠５の前面にそれぞれ形成された案内溝（図示せず）に遊嵌されている。これにより、案内溝に沿って底部８１の上を直線（往復）運動することができる。
【０１０２】
開閉部材８３は、長手方向（図９（ａ）左右方向）の略中央に円形状の開口８３ａ，８３ｃが厚さ方向に貫通形成されている。開口８３ａ，８３ｃは、遊技球を抜き出すための部位であり、遊技球の外径より大きい内径を有している。また、遊技者側（手前側）の開口８３ａは、前扉枠５側（奥側）の開口８３ｃに比べて開口面積が大きくなるように設定されている。球抜き孔８１ａ，８１ｂと開口８３ａ，８３ｃとが交互に連通し球抜き孔８１ａ，８１ｂが開放されることにより、球抜き孔８１ａ，８１ｂから遊技球を抜き出すことができる。また、球抜き孔８１ａ，８１ｂの上方に開口８３ａ，８３ｃ以外の部位（開閉部材８３の閉鎖部）が位置して球抜き孔８１ａ，８１ｂが閉鎖されることにより、球抜き孔８１ａ，８１ｂからの遊技球の落下が阻止され受皿８０への遊技球の貯留が可能となる。
【０１０３】
また、遊技者側（手前側）の開口８３ａ及び球抜き孔８１ａは、前扉枠５側（奥側）の開口８３ｃ及び球抜き孔８１ｂに比べて開口面積が大きくなるように設定されているので、２つの球抜き孔８１ａ，８１ｂが開放される時間が同一であれば、遊技者側（手前側）の開口８３ａ及び球抜き孔８１ａからの遊技球の抜出量を多くすることができる。一般に、受皿８０（底部８１）の奥行きに対して遊技球の収容箱の奥行き（幅）は大きく設定されているので、受皿８０の下方に収容箱を載置すると、受皿８０から収容箱が遊技者側（手前側）に突出する。受皿８０によれば、遊技者側（手前側）の開口８３ａ及び球抜き孔８１ａからの遊技球の抜出量を多くすることができるので、収容箱の奥行き（幅）を利用して遊技球を均すことができる。
【０１０４】
図９（ｂ）に示すように、開閉部材８３は、開口８３ａ，８３ｃの縁端から上昇傾斜する上昇傾斜部８３ｂ，８３ｄを備えている。上昇傾斜部８３ｂ，８３ｄは、開閉部材８３の直線運動時の抵抗（受皿８０に貯留された遊技球の中を移動することによる抵抗）を低減するための部位であり、開口８３ａ，８３ｃの移動方向（図９（ａ）左右方向）に向かって開口８３ａ，８３ｃの縁端から上昇傾斜している。
【０１０５】
図９（ａ）に戻って説明する。開閉部材８３は、前方に延設された連結部８４を介して、遊技者により操作される操作部８５に直結されている。連結部８４は、パチンコ機１（図１参照）の前面に形成されるスライド孔（図示せず）に貫設される部材であり、その連結部８４に連結された操作部８５がスライド孔から露呈している。これによりスライド孔に沿って操作部８４を左右にスライドさせることにより、連結部８４を介して開閉部材８３を左右に往復動（直線運動）させることができる。
【０１０６】
受皿８０は、開閉部材８３の直線運動を妨げない位置であって底部８１の左右方向端部に覆設された薄板状のカバー部８６を備えている。カバー部８６は、開閉部材６３の左右方向端面８３ｆと側壁部８２との間に遊技球が侵入することを防止するための部材であり、底部８１の前後の前扉枠５と側壁部８２との間に跨って配置されている。これにより、開閉部材８３の左右方向端面８３ｆと側壁部８２との間に遊技球が侵入して開閉部材８３が移動不能になることを防止することができる。
【０１０７】
付勢手段８７は、開閉部材８３を初期位置（均衡状態）（図９（ａ）参照）に定置させるための手段であり、板ばねにより形成されている。付勢手段８７は、開閉部材７３の左右方向端面８３ｆに一端が連結され他端が側壁部８２に固定されている。カバー部８６と底部８１との間に付勢手段８７が配設されているので、空間を有効活用することができ、開閉部材８３の移動機構を小型化できる。
【０１０８】
次に図１０を参照して、第７実施の形態について説明する。第１実施の形態から第６実施の形態では、底部１４，３１，５１，６１，８１に複数若しくは大径の球抜き孔３１ｂ，５１ｃ，６１ｂ，８１ａ，８１ｂ（開口１７ａ，１８ａ）が形成され、その複数の球抜き孔（開口）を交互に開閉したり開口の位置を変えたりすることにより遊技球を分散して落下させる場合について説明した。これに対し第７実施の形態では、球抜き孔９１ａが複数の閉鎖部材９３，９４で閉鎖され、その複数の閉鎖部材９３，９４を交互に移動させることにより球抜き孔９１ａを部分的に開閉する場合について説明する。なお、第１実施の形態と同一の部分については、同一の符号を付して以下の説明を省略する。図１０（ａ）は第７実施の形態における受皿９０の平面図であり、図１０（ｂ）は図１０（ａ）の矢印Ｘｂ−Ｘｂ線における受皿９０の断面図である。
【０１０９】
図１０（ａ）に示すように受皿９０は、前扉枠５の前面に突設される底部９１と、その底部９１の周囲（前扉枠５の前面を除く）に立設される側壁部９２とを備えている。受皿９０の底部９１の略中央には、前後方向（図１０（ａ）上下方向）の内径に比べて左右方向の内径が大きな平面視して長円状の球抜き孔９１ａが貫通形成されている。球抜き孔９１ａは周縁がテーパー状に縮径し下降傾斜する縮径部９１ｂを備えている。縮径部９１ｂにより、球抜き孔９１ａからの遊技球の抜き出しをスムーズに行うことができる。
【０１１０】
閉鎖部材９３，９４は、球抜き孔９１ａを開閉するための部材であり、球抜き孔９１ａを閉鎖するときに互いに突き合わされる２つの部材により構成されている。閉鎖部材９３，９４は、それぞれが平面視して矩形の板状に形成されており、球抜き孔９１ａの短径（図１０（ａ）上下方向）より大きい幅に形成されると共に、２つを互いに突き合わせたときに球抜き孔９１ａの長径（図１０（ａ）左右方向）より大きい長さになるように大きさが設定されている。閉鎖部材９３，９４は、底部９１の下面（球抜き孔９１ａの下方）に密着して配設されており、閉鎖部材９３，９４を互いに突き合わせた初期位置では（図１０（ａ）参照）、球抜き孔９１ａが閉鎖される（閉鎖状態）。閉鎖部材９３，９４は、付勢手段９５により、初期位置を維持し球抜き孔９１ａを閉鎖する向きに付勢されている。
【０１１１】
図１０（ｂ）に示すように、閉鎖部材９３，９４は、底部９１の下方にレール９６が水平に配設されており、そのレール９６に閉鎖部材９３，９４の前後方向端部が案内されることにより底部９１の下方を左右に直線（往復）運動できるように構成されている。なお、レール９６の左右方向の中心には、閉鎖部材９３，９４の移動を規制するストッパ（図示せず）が配設されている。ストッパは、各閉鎖部材９３，９４が、付勢手段９５の付勢力によって初期位置を越えて移動しないようにするための部材である。
【０１１２】
これにより、閉鎖部材９３，９４は底部９１に対する傾斜角度を略一定に維持した状態でスライドされる。その結果、水平方向に配置された軸を中心に閉鎖部材が回動される場合と比較して、収容箱が載置される閉鎖部材９３，９４の下方空間を小さくできる。
【０１１３】
また、水平方向に配置された軸を中心に閉鎖部材が回動される場合は、収容箱に遊技球が高く積もってしまうと、遊技球に妨げられて閉鎖部材を開閉できなくなるおそれがある。これに対し、底部９１に対する傾斜角度を略一定に維持した状態で閉鎖部材９３，９４がスライドされる構成とすることで、収容箱に収容された遊技球の量（盛り上がって収容箱に積まれた遊技球の高さ）に関わらず、閉鎖部材９３，９４を開閉し球抜き孔９１ａから遊技球を落下できる。
【０１１４】
ここで、受皿９０の前面には、遊技者が操作することにより閉鎖部材９３，９４を左右に移動させることのできる操作部９７（図１０（ａ）参照）が、左右にスライド可能に配設されている。操作部９７から棒状の連結部９８が前扉枠５方向に延設されており、その連結部９８の前扉枠５側の端部もレール９６に案内されている。これにより、操作部９７及び連結部９８を安定して左右にスライドさせることが可能である。
【０１１５】
閉鎖部材９３，９４は、突合せ部９３ａ，９４ａ寄りの下面から下方に向けて前後方向（図１０（ｂ）紙面垂直方向）に亘って突条状に形成された突起９３ｂ，９４ｂが突設されている。閉鎖部材９３，９４が突き合わされた状態で、左右の突起９３ｂ，９４ｂの間に連結部９８が位置するように構成されている。これにより、操作部９７が左方向にスライドされると、連結部９８が突起９３ｂを押動し閉鎖部材９３が左方向に移動される。その結果、球抜き孔９１ａの左半分が開放された状態となる。一方、突起９４ｂは連結部９８に押動されないので、閉鎖部材９４は付勢手段９５により付勢されるもののストッパ（図示せず）により初期位置が維持される。これにより受皿９０に貯留された遊技球は、球抜き孔９１ａの左半分から落下する（第１開放状態）。
【０１１６】
一方、操作部９７が右方向にスライドされると、連結部９８が突起９４ｂを押動し閉鎖部材９４が右方向に移動される。その結果、球抜き孔９１ａの右半分が開放された状態となる。一方、突起９３ｂは連結部９８に押動されないので、閉鎖部材９３は付勢手段９５により付勢されるもののストッパ（図示せず）により初期位置が維持される。これにより受皿９０に貯留された遊技球は、球抜き孔９１ａの右半分から落下する（第２開放状態）。
【０１１７】
以上のように操作部９７を左右にスライドさせることにより各閉鎖部材９３，９４を押動し、球抜き孔９１ａの異なる部分を開放させ、遊技球を異なるところに落下させることができる。このような簡易な機構で受皿９０の下方に載置した収容箱の一箇所に遊技球が高く積もらないようにできる。
【０１１８】
また、底部９１（球抜き孔９１ａ）の下方には、前扉枠５の前面から手前側（遊技者側）に向かって板状の誘導部材９９が突設されている。誘導部材９９は、球抜き孔９１ａから落下した遊技球を分散するように誘導するための部材であり、平面視して球抜き孔９１ａと重なり合うように配置されている。誘導部材９９は、上面９９ａが遊技者側に下降傾斜するように形成されている。これにより、球抜き孔９１ａから落下した遊技球は誘導部材９９の上面９９ａに衝突し、上面９９ａの傾斜に沿って遊技者側に誘導される。その結果、遊技球の抜き出し作業のときには、球抜き孔９１ａの下方に載置された収容箱（図示せず）の手前側にも広範囲に遊技球を散布することができる。これにより収容箱の一箇所（特に収容箱の奥側）に遊技球が高く積もることが防止される。
【０１１９】
次に図１１を参照して、第８実施の形態について説明する。第７実施の形態では、球抜き孔９１ａが底部９１の略中央に形成される場合について説明した。これに対し第８実施の形態では、球抜き孔１０１ａが底部１０１の遊技者寄り（側壁部１０２近傍）に形成される場合について説明する。なお、第１実施の形態と同一の部分については、同一の符号を付して以下の説明を省略する。図１１（ａ）は第８実施の形態における受皿１００の平面図であり、図１１（ｂ）は図１１（ａ）の矢印ＸＩｂ−ＸＩｂ線における受皿１００の断面図であり、図１１（ｃ）は図１１（ａ）の矢印ＸＩｃ−ＸＩｃ線における受皿１００の断面図である。
【０１２０】
図１１（ａ）に示すように受皿１００は、前扉枠５の前面に突設される底部１０１と、その底部１０１の周囲（前扉枠５の前面を除く）に立設される側壁部１０２とを備えている。受皿１００の底部１０１の遊技者寄り（側壁部近傍）であって左右方向の略中心には、前後方向（図１１（ａ）上下方向）の内径に比べて左右方向の内径が大きな平面視して長円状の球抜き孔１０１ａが貫通形成されている。球抜き孔１０１ａは周縁がテーパー状に縮径し下降傾斜する縮径部１０１ｂを備えている。縮径部１０１ｂにより、球抜き孔１０１ａからの遊技球の抜き出しをスムーズに行うことができる。
【０１２１】
図１１（ｂ）に示すように、底部１０１は、左右の側壁部１０２から左右方向の中心に向かって上面が下降傾斜して形成されている。これにより球抜き孔１０１ａへの遊技球の流下をスムーズに行うことができる。また、底部１０１を転動する遊技球の移動速度を傾斜によって大きくすることができ、球抜き孔１０１ａが開放された場合には、球抜き孔１０ａから放り出される遊技球の初速の水平方向（左右方向）成分を大きくすることができる。
【０１２２】
図１１（ｃ）に示すように、底部１０１は、前扉枠５から遊技者側（図１１（ｃ）左側）に向かって上面が下降傾斜して形成されている。これにより球抜き孔１０１ａへの遊技球の流下をスムーズに行うことができる。また、底部１０１を転動する遊技球の移動速度を傾斜によって大きくすることができ、球抜き孔１０１ａが開放された場合には、球抜き孔１０１ａから放り出される遊技球の初速の水平方向（前後方向）成分を大きくすることができる。
【０１２３】
図１１（ａ）に戻って説明する。閉鎖部材１０３，１０４は、球抜き孔１０１ａを開閉するための部材であり、球抜き孔１０１ａを閉鎖するときに互いに突き合わされる２つの部材により構成されている。閉鎖部材１０３，１０４は、それぞれが平面視して矩形の板状に形成されており、球抜き孔１０１ａの短径（図１１（ａ）上下方向）より大きい幅に形成されると共に、２つを互いに突き合わせたときに球抜き孔１０１ａの長径（図１１（ａ）左右方向）より大きい長さになるように大きさが設定されている。閉鎖部材１０３，１０４は、底部１０１の下面（球抜き孔１０１ａの下方）に密着して配設されており、閉鎖部材１０３，１０４を互いに突き合わせた初期位置では（図１１（ａ）参照）、球抜き孔１０１ａが閉鎖される（閉鎖状態）。閉鎖部材１０３，１０４は、付勢手段１０５により、初期位置を維持し球抜き孔１０１ａを閉鎖する向きに付勢されている。
【０１２４】
図１１（ｂ）に示すように、閉鎖部材１０３，１０４は、底部１０１の傾斜に合わせて中央から外側に向かって漸次厚くなるように形成されている。これにより各閉鎖部材１０３，１０４は、底部１０１と同様に、左右の外側から中央に向かって上面が下降傾斜する。また、閉鎖部材１０３，１０４は、底部１０１の下方にレール１０６が水平に配設されており、そのレール１０６に閉鎖部材１０３，１０４の前後方向端部が案内されることにより底部１０１の下方を左右に直線（往復）運動できるように構成されている。なお、レール１０６の左右方向の中心には、閉鎖部材１０３，１０４の移動を規制するストッパ（図示せず）が配設されている。ストッパは、各閉鎖部材１０３，１０４が、付勢手段１０５の付勢力によって初期位置を越えて移動しないようにするための部材である。
【０１２５】
受皿１００の前面には、遊技者が操作することにより閉鎖部材１０３，１０４を左右に移動させることのできる操作部１０７（図１１（ａ）参照）が、左右にスライド可能に配設されている。操作部１０７から棒状の連結部１０８が前扉枠５方向に延設されており、その連結部１０８の前扉枠５側の端部もレール１０６に案内されている。これにより、操作部１０７及び連結部１０８を安定して左右にスライドさせることが可能である。
【０１２６】
閉鎖部材１０３，１０４は、突合せ部１０３ａ，１０４ａ寄りの下面から下方に向けて前後方向（図１１（ｂ）紙面垂直方向）に亘って突条状に形成された突起１０３ｂ，１０４ｂが突設されている。閉鎖部材１０３，１０４が突き合わされた状態で、左右の突起１０３ｂ，１０４ｂの間に連結部１０８が位置するように構成されている。これにより、操作部１０７が左方向にスライドされると、連結部１０８が突起１０３ｂを押動し閉鎖部材１０３が左方向に移動される。その結果、球抜き孔１０１ａの左半分が開放された状態となる。一方、突起１０４ｂは連結部１０８に押動されないので、閉鎖部材１０４は付勢手段１０５により付勢されるもののストッパ（図示せず）により初期位置が維持される。これにより受皿１００に貯留された遊技球は、球抜き孔１０１ａの左半分から落下する（第１開放状態）。
【０１２７】
この第１開放状態では閉鎖部材１０３が移動する結果、図１１（ｂ）に示すように、底部１０１（図１１（ｂ）右側）及び閉鎖部材１０４から球抜き孔１０１ａに流下する遊技球の量を、底部１０１（図１１（ｂ）左側）から球抜き孔１０１ａに流下する遊技球の量より多くできる。また、底部１０１（図１１（ｂ）右側）及び閉鎖部材１０４は球抜き孔１０１ａに向かって下降傾斜しているので、底部１０１（図１１（ｂ）右側）及び閉鎖部材１０４を移動して球抜き孔１０１ａに到達する遊技球の速度（水平方向成分）を、底部１０１（図１１（ｂ）左側）を移動して球抜き孔１０１ａに到達する遊技球の速度（水平方向成分）より大きくできる。
【０１２８】
即ち、閉鎖部材１０４を通って球抜き孔１０１ａから落下する遊技球（遊技球群）のエネルギーを、閉鎖部材１０４を通らずに球抜き孔１０１ａから落下する遊技球（遊技球群）のエネルギーより大きくできる。これにより、球抜き孔１０１ａから図１１（ｂ）左側に落下する遊技球の落下点の水平距離（落下点と球抜き孔１０１ａとの水平距離）を大きくできる（遊技球の軌跡を変えることができる）。その結果、遊技球が落下して到達できる範囲を広くし、収容箱に遊技球が一箇所に高く積もることを防止できる。
【０１２９】
一方、操作部１０７が右方向にスライドされると、連結部１０８が突起１０４ｂを押動し閉鎖部材１０４が右方向に移動される。その結果、球抜き孔１０１ａの右半分が開放された状態となる。一方、突起１０３ｂは連結部１０８に押動されないので、閉鎖部材１０３は付勢手段１０５により付勢されるもののストッパ（図示せず）により初期位置が維持される。これにより受皿１００に貯留された遊技球は、球抜き孔１０１ａの右半分から落下する（第２開放状態）。
【０１３０】
この第２開放状態では閉鎖部材１０４が移動する結果、図１１（ｂ）に示すように、底部１０１（図１１（ｂ）左側）及び閉鎖部材１０３から球抜き孔１０１ａに流下する遊技球の量を、底部１０１（図１１（ｂ）右側）から球抜き孔１０１ａに流下する遊技球の量より多くできる。また、底部１０１（図１１（ｂ）左側）及び閉鎖部材１０３は球抜き孔１０１ａに向かって下降傾斜しているので、底部１０１（図１１（ｂ）左側）及び閉鎖部材１０３を移動して球抜き孔１０１ａに到達する遊技球の速度（水平方向成分）を、底部１０１（図１１（ｂ）右側）を移動して球抜き孔１０１ａに到達する遊技球の速度（水平方向成分）より大きくできる。
【０１３１】
即ち、閉鎖部材１０３を通って球抜き孔１０１ａから落下する遊技球（遊技球群）のエネルギーを、閉鎖部材１０３を通らずに球抜き孔１０１ａから落下する遊技球（遊技球群）のエネルギーより大きくできる。これにより、球抜き孔１０１ａから図１１（ｂ）右側に落下する遊技球の落下点の水平距離（落下点と球抜き孔１０１ａとの水平距離）を大きくできる。その結果、遊技球が落下して到達できる範囲を広くし、収容箱に遊技球が一箇所に高く積もることを防止できる。
【０１３２】
また、第１開放状態および第２開放状態では、図１１（ｃ）に示すように球抜き孔１０１ａが側壁部（移動規制手段）１０２に近接されているので、底部１０１（図１１（ｃ）右側）から閉鎖部材１０３，１０４を通って球抜き孔１０１ａに流下する遊技球の量を、底部１０１（図１１（ｂ）左側）から球抜き孔１０１ａに流下する遊技球の量より多くできる。また、底部１０１及び閉鎖部材１０３，１０４は球抜き孔１０１ａに向かって側壁部１０２側（遊技者側）に下降傾斜しているので、底部１０１及び閉鎖部材１０３，１０４を移動して球抜き孔１０１ａに到達する遊技球の速度（前後方向成分）を大きくできる。
【０１３３】
即ち、底部１０１及び閉鎖部材１０３，１０４を通って球抜き孔１０１ａから落下する遊技球（遊技球群）のエネルギーを大きくできる。これにより、球抜き孔１０１ａから図１１（ｃ）左側（遊技者側）に落下する遊技球の落下点の水平距離（落下点と球抜き孔１０１ａとの水平距離）を大きくできる（遊技球の軌跡を変えることができる）。その結果、収容箱の手前側に遊技球を誘導しつつ遊技球が落下して到達できる範囲を広くし、収容箱に遊技球が一箇所に高く積もることを防止できる。
【０１３４】
次に図１２を参照して、第９実施の形態について説明する。第８実施の形態では、球抜き孔１０１ａが底部１０１の遊技者寄り（側壁部１０２近傍）に形成される場合（側壁部１０２を利用して遊技球の移動を規制する場合）について説明した。これに対し第９実施の形態では、底部１０１に突条１１２を立設して遊技球の移動を規制する場合について説明する。なお、第８実施の形態と同一の部分については、同一の符号を付して以下の説明を省略する。図１２（ａ）は第９実施の形態における受皿１１０の平面図であり、図１２（ｂ）は図１２（ａ）の矢印ＸＩＩｂ−ＸＩＩｂ線における受皿１１０の断面図である。
【０１３５】
図１２（ａ）に示すように受皿１１０は、底部１０１の略中央に前後方向（図１２（ａ）上下方向）の内径に比べて左右方向の内径が大きな平面視して長円状の球抜き孔１１１ａが貫通形成されている。球抜き孔１１１ａは周縁がテーパー状に縮径し下降傾斜する縮径部１１１ｂを備えている。縮径部１１１ｂにより、球抜き孔１１１ａからの遊技球の抜き出しをスムーズに行うことができる。
【０１３６】
底部１０１には、側壁部１０２（遊技者側、図１２（ａ）下側）と球抜き孔１１１ａとの間に平面視して略円弧状に形成された突条１１２が立設されている。突条１１２は、遊技球の移動を規制するための部材（移動規制手段）であり、突条１１２により、突条１１２の背部である球抜き孔１１１ａの前部１１１ａ１から遊技球を流下し難くできる。さらに、突条１１２により、突条１１２と側壁部１０２との間にある遊技球を突条１１２に沿って底部１０１の左右に誘導することができる。突条１１２は、図１２（ｂ）に示すように、遊技球の転動（移動）を妨げることができると共に、突条１１２と側壁部１０２との間に遊技球が詰まらない程度の高さに設定されている。
【０１３７】
これにより、突条１１２と側壁部１０２との間にある遊技球は、突条１１２に沿って球抜き孔１１１ａを迂回して底部１０１の左右方向に移動される。底部１０１の左右方向に移動した遊技球は、閉鎖部材１０３，１０４の開閉に伴い、球抜き孔１１１ａの左右に大きく放出され落下する。
【０１３８】
また、遊技球は、球抜き孔１１１ａの前部１１１ａ１からは突条１１２により流下し難くなるので、突条１１２に沿って迂回する。突条１１２を迂回して球抜き孔１１１ａに流下した遊技球は、底部１０１の前扉枠５から側壁部１０２への下降傾斜（手前側への下降傾斜）によって、球抜き孔１１１ａの手前側に大きく放出される。その結果、遊技球を収容箱の手前側に落下させることができ、遊技球が落下して到達できる範囲を広くし、収容箱に遊技球が一箇所に高く積もることを防止できる。
【０１３９】
次に図１３を参照して、第１０実施の形態について説明する。第７実施の形態から第９実施の形態では、球抜き孔９１ａ，１０１ａ，１１１ａが複数の閉鎖部材９３，９４，１０３，１０４によって左右に分割して開閉される場合について説明した。これに対し第１０実施の形態では、球抜き孔１２１ａが複数の閉鎖部材１２３，１２４により前後に分割して開閉される場合について説明する。なお、第１実施の形態と同一の部分については、同一の符号を付して以下の説明を省略する。図１３（ａ）は第１０実施の形態における受皿１２０の平面図であり、図１３（ｂ）は図１３（ａ）の矢印ＸＩＩＩｂ−ＸＩＩＩｂ線における受皿１２０の断面図であり、図１３（ｃ）は図１３（ａ）の矢印ＸＩＩＩｃ−ＸＩＩＩｃ線における受皿１２０の断面図である。
【０１４０】
図１３（ａ）に示すように受皿１２０は、前扉枠５の前面に突設される底部１２１と、その底部１２１の周囲（前扉枠５の前面を除く）に立設される側壁部１２２とを備えている。受皿１２０の底部１２１の略中央には前後方向（図１３（ａ）上下方向）の内径に比べて左右方向の内径が小さな平面視して長円状の球抜き孔１２１ａが貫通形成されている。
【０１４１】
図１３（ｂ）に示すように、底部１２１は、左右の側壁部１２２から左右方向の中心に向かって上面がわずかに下降傾斜乃至は略水平に形成されている。球抜き孔１２１ａへ向かって底部１２１を下降傾斜させることにより球抜き孔１２１ａへの遊技球の流下をスムーズに行うことができる。また、図１３（ｃ）に示すように、底部１２１は、前扉枠５から底部１２１の略中心に向かって上面が下降傾斜する傾斜領域１２１ｂと、底部１２１の略中心から手前側に向かって略水平に形成される水平領域１２１ｃとを備えている。これにより底部１２１の傾斜領域１２１ｂからの球抜き孔１２１ａへの遊技球の流下をスムーズに行うことができる。
【０１４２】
図１３（ａ）に戻って説明する。閉鎖部材１２３，１２４は、球抜き孔１２１ａを開閉するための部材であり、前扉枠５の前面に沿って平行方向に移動可能に形成される２つの部材により構成されている。閉鎖部材１２３，１２４は、それぞれが平面視して矩形の板状に形成されており、平面視して球抜き孔１２１ａの短径（図１３（ａ）左右方向）より大きい幅に形成されると共に、２つを密接させて並べたときに球抜き孔１２１ａの長径（図１３（ａ）上下方向）より大きい長さになるように大きさが設定されている。閉鎖部材１２３，１２４は、底部１２１の下面（球抜き孔１２１ａの下方）に密着して配設されており、閉鎖部材１２３，１２４を密接させて並べた初期位置では（図１３（ａ）参照）、球抜き孔１２１ａが閉鎖される（閉鎖状態）。
【０１４３】
閉鎖部材１２３，１２４は、付勢手段１２５により、底部１２１の中心に向かって初期位置を維持するように付勢されている。閉鎖部材１２３，１２４はガイド部１２６により位置が規制されている。ガイド部１２６は、閉鎖部材１２３，１２４を左右方向に移動できるように案内し、閉鎖部材１２３，１２４により球抜き孔１２１ａを開閉できるようにすると共に、球抜き孔１２１ａを超えて付勢手段１２５の反対側に移動できないように閉鎖部材１２３，１２４の位置を規制するための部材である。
【０１４４】
図１３（ｃ）に示すように、閉鎖部材１２３，１２４は、底部１２１の傾斜に沿って配置されている。これにより底部１２１の傾斜領域１２１ｂに配設された閉鎖部材１２３は、底部１２１と同様に前方（図１３（ｃ）左側）に向かって上面が下降傾斜する。
【０１４５】
図１３（ａ）に示すように、受皿１２０の前面には、遊技者が操作することにより閉鎖部材１２３，１２４を左右に移動させることのできる操作部１２７が、左右にスライド可能に配設されている。操作部１２７から棒状の連結部１２８が前扉枠５方向に延設されている。連結部１２８は、閉鎖部材１２３，１２４の下面に沿うように後部側（傾斜領域１２１ｂ側）が上向きに屈曲形成されている。連結部１２８の前扉枠５側の後端部は、前扉枠５の前面に形成されたガイド部（図示せず）に移動可能に支持されている。これにより、操作部１２７及び連結部１２８を安定して左右にスライドさせることが可能である。
【０１４６】
閉鎖部材１２３，１２４は、底部１２１の中心側の下面から下方に向けて前後方向（図１３（ａ）上下方向）に亘って突条状に形成された突起１２３ａ，１２４ａが突設されている。閉鎖部材１２３ａ，１２４ａを並べた状態で、左右の突起１２３ａ，１２４ａの間に連結部１２８が位置するように構成されている。これにより、操作部１２７が左方向にスライドされると、連結部１２８が突起１２３ａを押動し閉鎖部材１２３がガイド部１２６に沿って左方向に移動される。その結果、球抜き孔１２１ａの傾斜領域１２１ｂ側が開放された状態となる。一方、突起１２４ａは連結部１２８に押動されないので、閉鎖部材１２４は付勢手段１２５により付勢されるもののガイド部１２６により初期位置が維持される。これにより受皿１２０に貯留された遊技球は、球抜き孔１２１ａの奥側（傾斜領域１２１ｂ）から落下する（第１開放状態）。
【０１４７】
この第１開放状態では、底部１２１の水平領域１２１ｃ側から球抜き孔１２１ａに流下する遊技球の量を、底部１２１の傾斜領域１２１ｂ側から球抜き孔１２１ａに流下する遊技球の量より多くできる。これにより、球抜き孔１２１ａから落下する遊技球の落下点を、主に傾斜領域１２１ｂに位置する球抜き孔１２１ａの下方にすることができる。
【０１４８】
一方、操作部１２７が右方向にスライドされると、連結部１２８が突起１２４ａを押動し閉鎖部材１２４がガイド部１２６に沿って右方向に移動される。その結果、球抜き孔１２１ａの水平領域１２１ｃ側が開放された状態となる。一方、突起１２３ａは連結部１２８に押動されないので、閉鎖部材１２３は付勢手段１２５により付勢されるもののガイド部１２６により初期位置が維持される。これにより受皿１２０に貯留された遊技球は、球抜き孔１１１ａの手前側（水平領域１２１ｃ）から落下する（第２開放状態）。
【０１４９】
この第２開放状態では、底部１２１の傾斜領域１２１ｂ側から球抜き孔１２１ａに流下する遊技球の量を、底部１２１の水平領域１２１ｃ側から球抜き孔１２１ａに流下する遊技球の量より多くできる。さらに、底部１２１の傾斜領域１２１ｂ側から球抜き孔１２１ａに流下する遊技球は、傾斜領域１２１ｂ側の上面が下降傾斜する閉鎖部材１２３に沿って流下するので、球抜き孔１２１ａから放出される遊技球の速度（前後方向の水平速度成分）を大きくできる。これにより、球抜き孔１２１ａから落下する遊技球の落下点を、水平領域１２１ｃに位置する球抜き孔１２１ａの下方より手前側にすることができる（球抜き孔１２１ａと遊技球の落下点との水平距離を大きくできる）。その結果、収容箱の手前側に遊技球を誘導しつつ遊技球が落下して到達できる範囲を広くし、遊技球が収容箱の一箇所に高く積もることを防止できる。
【０１５０】
次に図１４を参照して、第１１実施の形態について説明する。第１実施の形態から第１０実施の形態では、受皿１０，３０，５０，６０，７０，８０，９０，１００，１１０，１２０の底部１４，３１，５１，６１，７１，８１，９１，１０１，１１１，１２１の傾斜が予め設定されている場合について説明した。これに対し第１１実施の形態では、受皿の底部の傾斜を遊技者が変更できる場合について説明する。なお、第１実施の形態と同一の部分については、同一の符号を付して以下の説明を省略する。図１４（ａ）は第１１実施の形態における受皿１３０の平面図であり、図１４（ｂ）は図１４（ａ）の矢印ＸＩＶｂ方向から見た受皿１３０の正面図である。
【０１５１】
図１４（ａ）に示すように受皿１３０は、前扉枠５の前面に突設される底部１３１と、その底部１３１の周囲に立設される側壁部１３２とを備えている。受皿１３０の背面（側壁部１３２）に形成された流入口１１には、後方に向けて流入筒１１ａが接続されており、受皿１３０は流入筒１１ａを通って流入口１１から流入する遊技球を貯留できる。流入口１１と流入筒１１ａとの間にはフレキシブルチューブ（図示せず）が接続されている。
【０１５２】
受皿１３０の底部１３１の略中央には平面視して略円形状の球抜き孔１３１ａが厚さ方向に貫通形成されている。球抜き孔１３１ａは、下方に向かって拡径形成されている（図１４（ｂ）参照）。閉鎖部材１３３は球抜き孔１３１ａを開閉するための部材であり、板状に形成され球抜き孔１３１ａの下方に配設されている。連結部１３４は、閉鎖部材１３３から前方に向かって延設される部位であり、遊技者が操作するための操作部１３５が先端に固定されている。
【０１５３】
図１４（ｂ）に示すように、受皿１３０の前面には左右方向に横長のスライド孔１３２ａが形成されている。スライド孔１３２ａは連結部１３４が貫設される部位であり、操作部１３５はスライド孔１３２ａに露呈されている。これにより、遊技者は操作部１３５を摘んでスライド孔１３２ａに沿って操作部１３５を移動させることにより、閉鎖部材１３３を水平移動させて球抜き孔１３１ａを開閉できる。なお、閉鎖部材１３３は付勢手段１３６（板ばね等）により球抜き孔１３１ａを閉鎖する方向に付勢されている。
【０１５４】
受皿１３０は、底部１３１の複数箇所（本実施の形態では５箇所）から下方に向けて支脚１３７及び補助脚１３８が突設されている。支脚１３７及び補助脚１３８は受皿１３０を支持するための部位であり、前扉枠５の前面から前方に向かって突設される主支持部１３９及び補助支持部１４０によって支持される。支脚１３７は、底部１３１の略中心から突設される脚であり、主支持部１３９によって揺動可能に支持される。補助脚１３８は、底部１３１の周部（本実施の形態では４つの角部近傍）から突設される脚であり、補助支持部１４０に当接することによって支持される。
【０１５５】
ここで、主支持部１３９は、補助支持部１４０よりも高い位置に配置され、それら補助支持部１４０は同一の高さに配置されている。そのため、左右（又は前後）の補助脚部１３８を左右（又は前後）の補助支持部１４０に交互に当接させることにより、主支持部１３７を中心にして受皿１３０を左右（又は前後）に揺動させ、その結果、底部１３１の左右（又は前後）の傾きを変化させることができる。
【０１５６】
遊技者は、操作部１３５を摘んでスライドさせて球抜き孔１３１ａを開放した後、受皿１３０を揺動させて底部１３１の左右（又は前後）の傾きを変えることにより、球抜き孔１３１ａから抜き出される遊技球の排出方向（放出方向）を、底部１３１を傾ける向きに応じて変えることができる。これにより、球抜き孔１３１ａから遊技球を広範囲に散らして落下させることができ、遊技球が収容箱（図示せず）の一箇所に高く積もることを防止できる。さらに、球抜き孔１３１ａの内面が下方に向かって拡径形成（拡開）されているので、遊技球の排出（放出）が球抜き孔１３１ａの内周に遮られることを抑制して、遊技球を広範囲に撒き散らすことができる。なお、受皿１３０の前面には、正面視して右側に摘み部１４１が突設されているので、操作部１３５だけでなく摘み部１４１も掴んで受皿１３０を揺動させることが可能である。
【０１５７】
次に図１５を参照して、第１２実施の形態について説明する。第８実施の形態では、球抜き孔１０１ａを開閉する閉鎖部材１０３，１０４及び底面１０１に傾斜が設けられ、その傾斜によって球抜き孔１０１ａから抜き出される遊技球の放出距離（球抜き孔１０１ａと落下点との水平距離）を大きくする場合について説明した。第１２実施の形態では、さらに底部１０１における遊技球の移動を規制する移動規制手段が配置される場合について説明する。なお、第８実施の形態と同一の部分については、同一の符号を付して以下の説明を省略する。図１５（ａ）は第１２実施の形態における受皿１５０の平面図であり、図１５（ｂ）は図１５（ａ）の矢印ＸＶｂ−ＸＶｂ線における受皿１５０の断面図である。
【０１５８】
図１５（ａ）に示すように受皿１５０は、球抜き孔１０１ａの両側（図１５（ａ）左右方向）に、受皿１５０に貯留された遊技球を吸着する電磁石１５１，１５２（移動規制手段）が配置されている。電磁石１５１，１５２は閉鎖部材１０３，１０４の移動、即ち球抜き孔１０１ａの開閉に基づいて磁力を発生するように構成されている。各閉鎖部材１０３，１０４の移動可能な範囲から少しはずれた位置に、各閉鎖部材１０３，１０４の移動を検出する閉鎖部材検出センサ１５３，１５４が配置されている。閉鎖部材検出センサ１５３，１５４は、例えば磁気センサのような近接センサであり、その検出信号を制御装置（図示せず）に出力し、制御装置は電磁石１５１，１５２を駆動制御する。閉鎖部材検出センサ１５３の出力に基づいて電磁石１５１が駆動制御され、閉鎖部材検出センサ１５４の出力に基づいて電磁石１５２が駆動制御される。
【０１５９】
図１５（ｂ）に示すように、電磁石１５１，１５２は底部１０１の下方であって、水平方向にスライドされる閉鎖部材１０３，１０４の軌道（レール１０６）の上方に配置されている。これにより電磁石１５１，１５２が閉鎖部材１０３，１０４の移動の妨げになることが防止される。
【０１６０】
以上のように構成された受皿１５０は、閉鎖部材１０３を閉鎖部材検出センサ１５３側に移動させて球抜き孔１０１ａの一部（平面視して左側）を開放すると、制御装置は、閉鎖部材検出センサ１５３からの検出信号を受けて電磁石１５１を磁化する。そうすると、底部１０１（図１５（ａ）左側）から球抜き孔１０１ａに流下する遊技球の移動が規制される。その結果、底部１０１（図１５（ａ）右側）及び閉鎖部材１０４から球抜き孔１０１ａに移動し流下する遊技球が支配的となるため、底部１０１及び閉鎖部材１０４を移動して球抜き孔１０１ａから落下する遊技球の速度（水平方向成分）を大きくできる。これにより、球抜き孔１０１ａから図１５（ａ）左側に落下する遊技球の落下点の水平距離（落下点と球抜き孔１０１ａとの水平距離）を大きくでき（遊技球の軌跡を変えることができ）、遊技球が落下して到達できる範囲を広くし、収容箱に遊技球が一箇所に高く積もることを防止できる。
【０１６１】
また、閉鎖部材１０４を閉鎖部材検出センサ１５４側に移動させて球抜き孔１０１ａの一部（平面視して右側）を開放すると、制御装置は、閉鎖部材検出センサ１５４からの検出信号を受けて電磁石１５２を磁化する。一方、閉鎖部材１０３は付勢手段１０５により閉鎖部材検出センサ１５３から離れる方向に移動されるので、制御装置は、閉鎖部材検出センサ１５３からの検出信号を受けて電磁石１５１の吸着力を失わせる。これにより、底部１０１（図１５（ａ）右側）から球抜き孔１０１ａに流下する遊技球の移動が規制される一方、底部１０１（図１５（ａ）左側）及び閉鎖部材１０３から球抜き孔１０１ａに流下する遊技球をスムーズに移動させる。
【０１６２】
その結果、底部１０１（図１５（ａ）左側）及び閉鎖部材１０３から球抜き孔１０１ａに移動し流下する遊技球が支配的となるため、底部１０１及び閉鎖部材１０３を移動して球抜き孔１０１ａから落下する遊技球の速度（水平方向成分）を大きくできる。これにより、球抜き孔１０１ａから図１５（ａ）右側に落下する遊技球の落下点の水平距離（落下点と球抜き孔１０１ａとの水平距離）を大きくでき（遊技球の軌跡を変えることができ）、遊技球が落下して到達できる範囲を広くし、収容箱に遊技球が一箇所に高く積もることを防止できる。
【０１６３】
以上、実施形態に基づき本発明を説明したが、本発明は上記実施形態に何ら限定されるものではなく、本発明の趣旨を逸脱しない範囲内で種々の変形改良が可能であることは容易に推察できるものである。また、上記実施形態で挙げた数値や形状は一例であり、他の数値や形状を採用することは当然可能である。例えば、球抜き孔や開口の数、球抜き孔や開口の形状、底部の傾斜の角度等は適宜設定することが可能である。
【０１６４】
上記各実施の形態では、上皿９及び下皿１０が上下に並設されるパチンコ機１（遊技機）について説明したが（図１参照）、必ずしもこれに限られるものではなく、上皿と下皿とが一体に形成されたパチンコ機（上皿が省略されたパチンコ機）に適用することは当然可能である。
【０１６５】
第１実施の形態では、第１開閉部材１７及び第２開閉部材１８が相対的に円運動をする機構について説明したが、必ずしもこれに限られるものではなく、第１開閉部材および第２開閉部材が相対的に直線運動する機構にすることは当然可能である。この場合は、第１開閉部材および第２開閉部材を平面視して矩形の板状に形成し、それぞれにラックを配置する。そして、第３ピニオン２１を除去し、軸部１６、第１ピニオン１９及び第２ピニオン２０を第３ピニオン２１の位置に配設する。次いで、第３ピニオン２１の位置に配設した第１ピニオン１９及び第２ピニオン２０とラック２２及び第１開閉部材および第２開閉部材のラックとを係合する。これにより、操作部１３を操作することによって第１開閉部材および第２開閉部材を直線運動させ第１開口１７ａ及び第２開口１８ａの連通および連通解除を切り替えることができる。
【０１６６】
第１実施の形態では、第１開閉部材１７及び第２開閉部材１８に第１開口１７ａ及び第２開口１８ａが一つずつ形成される場合について説明したが、必ずしもこれに限られるものではなく、第１開口１７ａ及び第２開口１８ａを複数設けることは当然可能である。
【０１６７】
第１実施の形態では、第１開閉部材１７の上面１７ｃが底部１４に完全に露呈される場合について説明したが、必ずしもこれに限られるものではなく、第１開口１７ａが位置する範囲を除いて、第１開閉部材１７の一部を覆うカバーを設けることは当然可能である。第１開閉部材１７の一部をカバーで覆うことで、第１開閉部材１７に傷等を付き難くできる。
【０１６８】
第１実施の形態では、第１開口１７ａ及び第２開口１８ａが受皿１０の左右で連通する（左右に遊技球を振り分ける）場合について説明したが、必ずしもこれに限られるものではなく、第１開口１７ａ及び第２開口１８ａが受皿１０の前後で連通する（前後に遊技球を振り分ける）ように設定することは当然可能である。
【０１６９】
第７実施の形態では（図１０参照）、前方に向けて上面９９ａが下降傾斜する誘導部材９９を設けることで遊技球を前方に誘導する場合について説明したが、必ずしもこれに限られるものではなく、誘導部材９９の上面９９ａを中心から左方または右方に下降傾斜するように設けることは当然可能である。誘導部材９９の上面９９ａの向きを左方または右方に設定することにより、遊技球を左右に広く散らすことが可能となる。
【０１７０】
また、第７実施の形態で説明した誘導部材９９を反発係数の大きな部材で形成したり、誘導部材の上面９９ａに反発係数の大きな部材を固定したりすることにより、誘導部材に衝突した遊技球が、受皿９０の下に載置した収容箱に入らずに大きく跳ね返ってしまうことを防止できる。
【０１７１】
第４実施の形態から第６実施の形態では説明を省略したが、球抜き孔６１ｂ，８１ａ，８１ｂの下方に、第７実施の形態で説明した誘導部材９９を設けることは当然可能である。これにより、球抜き孔６１ｂ，８１ａ，８１ｂの下方からさらに遊技球を広く散らすことが可能となる。
【０１７２】
第１１実施の形態では（図１４参照）、受皿１３０の底部１３１から突設された支脚１３７及び補助脚１３８の長さと、主支持部１３９及び補助支持部１４０の高さとを利用して受皿１３０を揺動可能にする場合について説明したが、必ずしもこれに限られるものではなく、他の手段により受皿１３０を揺動可能にすることは当然可能である。他の手段としては、例えば、コイルばねのような可撓性を有する部材により前扉枠５に対して受皿１３０を支持するものが挙げられる。この場合、可撓性を有する部材を曲げ変形させることによって、受皿１３０を揺動させることが可能となる。
【０１７３】
第１２実施の形態では（図１５参照）、移動規制手段として電磁石１５１，１５２を配置する場合について説明したが、必ずしもこれに限られるものではなく、閉鎖部材１０３，１０４の開閉に連動する他の移動規制手段を設けることは当然可能である。他の移動規制手段としては、閉鎖部材１０３，１０４の開閉に連動して球抜き孔１０１ａの周りの一部に底部１０１から突出するように設けられた突起や突条等を挙げることができる。球抜き孔１０１ａの周りの一部に底部１０１から突起や突条等が突出することによって、遊技球のスムーズな移動を妨げることができる。これにより、第１２実施の形態と同様の効果を実現できる。
【０１７４】
なお、上記の各実施形態は、それぞれ、他の実施形態が有する構成の一部または複数部分を、その実施形態に追加し或いはその実施形態の構成の一部または複数部分と交換等することにより、その実施形態を変形して構成するようにしても良い。
【０１７５】
以下に、本発明の遊技機に加えて、上記実施形態に含まれる各種発明の概念を示す。
【０１７６】
遊技球が落下する球抜き孔が底部に形成された受皿が前面に配設された遊技機において、遊技者に操作される操作部と、その操作部に係合される部材を介して又は前記操作部に直結され前記受皿の底部に円運動または直線運動可能に配設されると共に前記球抜き孔の上方に位置し前記球抜き孔と連通する開口が形成された開閉部材とを備え、前記底部は、前記開閉部材の円運動または直線運動の初期位置で前記開口を閉鎖する閉鎖部を備え、前記球抜き孔は、前記開閉部材の円運動または直線運動の初期位置とは異なる複数位置で前記開口と連通することを特徴とする遊技機１。
【０１７７】
遊技機１によれば、操作部が遊技者に操作されることにより、操作部に直結または係合される開閉部材が受皿の底部を円運動または直線運動する。開閉部材の円運動または直線運動の初期位置では、開閉部材に形成された開口は、底部に形成された閉鎖部により閉鎖される。これにより開閉部材の初期位置では、閉鎖部により遊技球の開口からの落下が阻止されるので、受皿内に遊技球が貯留された状態が維持される。
【０１７８】
一方、開閉部材が円運動または直線運動されると、底部に形成された球抜き孔が、開閉部材の初期位置とは異なる複数位置で開口と連通される。これにより受皿内の遊技球は、開口を通過して球抜き孔の複数位置から落下する。その結果、受皿に貯留された遊技球を複数位置に散らして落下させることができるので、受皿の下方に載置した収容箱の一箇所に遊技球が高く積もらないようにできる。開閉部材は、操作部に係合される部材を介して又は操作部に直結されているので、操作部の操作により開閉部材が円運動または直線運動される機構を簡易にできる効果がある。
【０１７９】
また、受皿の底部に配設された開閉部材は球抜き孔の上方に位置するので、開閉部材の上面が受皿に貯留された遊技球と接触する。その結果、開閉部材が円運動または直線運動されることにより、受皿の底部付近に位置し開閉部材に接触する遊技球（特に開口付近の遊技球）が転動される。これにより、受皿に貯留された遊技球がドーム状になって開口の上方で均衡し（所謂「ブリッジ配列」が形成され）、重力に抗して落下できない状態になっても、遊技球の配列を崩しブリッジ配列を解消できる。その結果、遊技球を球抜き孔から落下させることができる効果がある。
【０１８０】
以上のように遊技機１によれば、遊技者が操作部を操作することにより、簡易な機構で、受皿に貯留された遊技球が開口の上方で均衡する配列を崩し、球抜き孔から遊技球を散らして落下させることができる効果がある。
【０１８１】
遊技機１において、前記開閉部材は、前記開閉部材の移動方向の後方に向かって前記開口の縁端から上昇傾斜する上昇傾斜部を備えていることを特徴とする遊技機２。
【０１８２】
遊技機２によれば、遊技機１の奏する効果に加え、上昇傾斜部は開閉部材の移動方向の後方に向かって開口の縁端から上昇傾斜しているので、操作部を操作すると、受皿に貯留された遊技球の下側を擦るように上昇傾斜部を移動させ、開閉部材を円運動または直線運動させることができる。その結果、開閉部材を円運動または直線運動させるときの操作部の操作力を低く抑えることができる効果がある。
【０１８３】
遊技機１又は２において、前記開閉部材は、前後方向または左右方向に往復動可能に構成されるものであり、前記開口は、遊技者からの距離を異ならせて前記開閉部材の複数箇所に形成されており、遊技者に近い位置に形成された開口の面積は、遊技者から離れた位置に形成された開口の面積より大きく設定されていることを特徴とする遊技機３。
【０１８４】
遊技機３によれば、遊技機１又は２の奏する効果に加え、前後方向または左右方向に往復動可能に構成される開閉部材に複数の開口が形成されているので、開閉部材が往復動した場合の各開口と遊技者との相対距離を変えないようにできる。遊技者に近い位置に形成された開口の面積は、遊技者から離れた位置に形成された開口の面積より大きく設定されているので、遊技者に近い位置に形成された開口から遊技球を落下させることができる。これにより、受皿の下方に載置された収容箱の手前側に多くの遊技球を落下させることができ、受皿の下方に載置した収容箱の奥側に遊技球が高く積もらないようにできる効果がある。
【０１８５】
遊技機１から３のいずれかにおいて、前記球抜き孔の下方に配設されると共に落下する前記遊技球が衝突する誘導部材を備え、その誘導部材は、前方または側方に向かって下降傾斜する下降傾斜部を備えていることを特徴とする遊技機４。
【０１８６】
遊技球４によれば、遊技球１から３のいずれかの奏する効果に加え、球抜き孔から落下する遊技球を、誘導部材の下降傾斜部により前方または側方に向かって分散させることができる。その結果、受皿の下方に載置した収容箱に、より均等に遊技球を収容できる効果がある。
【０１８７】
遊技球が貯留される受皿が前面に配設された遊技機において、遊技者に操作される操作部と、その操作部に連係して前記受皿の底部に円運動または直線運動可能に配設される第１開閉部材と、その第１開閉部材の下方に配設されると共に、前記操作部または前記第１開閉部材に連係して円運動または直線運動可能に配設される第２開閉部材とを備え、前記第１開閉部材は、前記遊技球が落下して通過する第１開口を備え、前記第２開閉部材は、前記第１開閉部材の円運動または直線運動の初期位置で前記第１開口を閉鎖する閉鎖部と、前記第１開閉部材に対する相対移動により前記第１開口を複数位置で開放する第２開口とを備えていることを特徴とする遊技機５。
【０１８８】
遊技機５によれば、操作部が遊技者に操作されることにより、操作部に連係して第１開閉部材および第２開閉部材が受皿の底部を円運動または直線運動する。第１開閉部材の円運動または直線運動の初期位置では、第１開閉部材に形成された第１開口は、第２開閉部材に形成された閉鎖部により閉鎖される。これにより第１開閉部材の初期位置では、閉鎖部により遊技球の第１開口からの落下が阻止されるので、受皿内に遊技球が貯留された状態が維持される。
【０１８９】
一方、第１開閉部材に対する第２開閉部材の相対移動により、第１開閉部材の第１開口が第２開閉部材の第２開口により複数位置で開放される。これにより受皿内の遊技球は、第１開口および第２開口を通過して複数位置から落下する。その結果、受皿に貯留された遊技球を複数位置に散らして落下させることができるので、簡易な機構で、受皿の下方に載置した収容箱の一箇所に遊技球が高く積もらないようにできる効果がある。
【０１９０】
遊技機５において、前記操作部は往復動可能に構成され、前記第１開閉部材は、前記操作部が一方向に移動される操作力を伝達すると共に他方向に移動される操作力を遮断する第１の一方向クラッチを介して前記操作部に連係されており、前記第２開閉部材は、前記操作部が一方向に移動される操作力を遮断すると共に他方向に移動される操作力を伝達する第２の一方向クラッチを介して前記操作部に連係されていることを特徴とする遊技機６。
【０１９１】
遊技機６によれば、遊技機５の奏する効果に加え、往復動可能に構成される操作部が一方向に移動される操作力は、第１の一方向クラッチにより第１開閉部材に伝達される一方、第２の一方向クラッチにより第２開閉部材への伝達が遮断される。また、操作部が他方向に移動される操作力は、第１の一方向クラッチにより第１開閉部材への伝達が遮断される一方、第２の一方向クラッチにより第２開閉部材に伝達される。以上のように、簡易な操作部の往復動により第１開閉部材および第２開閉部材を交互に移動させ、遊技球を複数位置から落下させることができる効果がある。
【０１９２】
遊技機５又は６において、前記第１開閉部材は、上面が、前記受皿に貯留される遊技球に接触していることを特徴とする遊技機７。
【０１９３】
遊技機７によれば、遊技機５又は６の奏する効果に加え、第１開閉部材の上面が受皿に貯留された遊技球と接触しているので、第１開閉部材が円運動または直線運動されることにより、受皿の底部付近に位置し第１開閉部材に接触する遊技球（特に第１開口付近の遊技球）が転動される。これにより、受皿に貯留された遊技球がドーム状になって第１開口の上方で均衡し（所謂「ブリッジ配列」が形成され）、重力に抗して落下できない状態になっても、遊技球の配列を崩しブリッジ配列を解消できる。その結果、連通させた第１開口および第２開口から遊技球を落下させることができる。即ち、遊技者が操作部を操作することにより、受皿に貯留された遊技球が第１開口の上方で均衡する配列を崩し、遊技球を散らして落下させることができる効果がある。
【０１９４】
遊技機７において、前記遊技球に接触する前記第１開閉部材は、前記第１開閉部材の移動方向の後方に向かって前記第１開口の縁端から上昇傾斜する上昇傾斜部を備えていることを特徴とする遊技機８。
【０１９５】
遊技機８によれば、遊技機７の奏する効果に加え、上昇傾斜部は第１開閉部材の移動方向の後方に向かって第１開口の縁端から上昇傾斜しているので、操作部を操作すると、受皿に貯留された遊技球の下側を擦るように上昇傾斜部を移動させ、第１開閉部材を円運動または直線運動させることができる。その結果、第１開閉部材を円運動または直線運動させるときの操作部の操作力を低く抑えることができる効果がある。
【０１９６】
遊技球が落下する球抜き孔が底部に形成された受皿が前面に配設された遊技機において、遊技者に操作される操作部と、その操作部に連係して前記球抜き孔を開閉する複数の閉鎖部材と、その閉鎖部材により前記球抜き孔の閉鎖の状態を切り換える切換手段とを備え、その切換手段により前記球抜き孔の閉鎖の状態は、前記閉鎖部材により前記遊技球を落下不能に前記球抜き孔が閉鎖される閉鎖状態と、その閉鎖状態に対し前記遊技球を落下可能に前記球抜き孔の一部が開放される第１開放状態と、その第１開放状態により開放される前記球抜き孔の一部とは異なる部分が前記遊技球を落下可能に開放される第２開放状態とに少なくとも切り換えられることを特徴とする遊技機９。
【０１９７】
遊技機９によれば、遊技者に操作部が操作されることにより、複数の閉鎖部材により球抜き孔が開閉され、切換手段により、閉鎖部材による球抜き孔の閉鎖の状態が切り換えられる。球抜き孔の閉鎖の状態が、閉鎖部材により遊技球を落下不能に球抜き孔が閉鎖される閉鎖状態にあるときは、球抜き孔からの遊技球の落下が阻止され、受皿に遊技球が貯留された状態が維持される。また、閉鎖状態に対し遊技球を落下可能に球抜き孔の一部が開放される第１開放状態にあるときは、受皿内に貯留された遊技球は、開放された球抜き孔の一部から落下する。
【０１９８】
一方、第１開放状態により開放される球抜き孔の一部とは異なる部分が開放される第２開放状態にあるときは、受皿内に貯留された遊技球は、第１開放状態とは異なる部分から落下する。その結果、切換手段により第１開放状態と第２開放状態とを切り換えることによって、球抜き孔の異なる部分から遊技球を落下させることができる。受皿に貯留された遊技球を球抜き孔の異なる部分から落下させることで、簡易な機構で、受皿の下方に載置した収容箱の一箇所に遊技球が高く積もらないようにできる効果がある。
【０１９９】
遊技機９において、前記閉鎖部材は、上面が、前記球抜き孔の開放された一部に向かって前記球抜き孔の縁部から下降傾斜していることを特徴とする遊技機１０。
【０２００】
遊技機１０によれば、遊技機９の奏する効果に加え、閉鎖部材により球抜き孔の一部が開放されると、閉鎖部材の上面に沿って遊技球が流下する。閉鎖部材は、球抜き孔の縁部から球抜き孔の開放された一部に向かって上面が下降傾斜しているので、閉鎖部材の下降傾斜する方向に遊技球が放り出される。これにより、遊技球の落下点と球抜き孔との水平距離を大きくできるので、受皿の下方に載置した収容箱の広範囲に遊技球を散らすことができる効果がある。
【０２０１】
遊技機９又は１０において、前記底部は、上面が、前記球抜き孔の縁部に向かって下降傾斜していることを特徴とする遊技機１１。
【０２０２】
遊技機１１によれば、遊技機９又は１０の奏する効果に加え、閉鎖部材により球抜き孔の一部が開放されると、底部の上面に沿って遊技球が流下する。底部は、球抜き孔の縁部に向かって上面が下降傾斜しているので、底部の上面が水平に形成されている場合と比較して、球抜き孔を通過する遊技球の速度を大きくできる。これにより、遊技球の落下点と球抜き孔との水平距離を大きくできるので、受皿の下方に載置した収容箱の広範囲に遊技球を散らすことができる効果がある。
【０２０３】
遊技機１１において、前記底部は、前記球抜き孔に至るまで奥から手前に向かって下降傾斜していることを特徴とする遊技機１２。
【０２０４】
遊技機１２によれば、遊技機１１の奏する効果に加え、球抜き孔に至るまで奥から手前に向かって下降傾斜する底部により、球抜き孔から手前に遊技球が放り出されるようにできる。これにより、受皿の下方に載置された収容箱の手前側に多くの遊技球を落下させることができ、受皿の下方に載置した収容箱の奥側に遊技球が高く積もらないようにできる効果がある。
【０２０５】
遊技機９から１２のいずれかにおいて、前記閉鎖部材は、前記底部に対する傾斜角度を略一定に維持した状態でスライドされ前記球抜き孔を開閉することを特徴とする遊技機１３。
【０２０６】
遊技機１３によれば、遊技機９から１２のいずれかの奏する効果に加え、閉鎖部材は底部に対する傾斜角度を略一定に維持した状態でスライドされるので、水平方向に配置された軸を中心に閉鎖部材が回動される場合と比較して、収容箱が載置される閉鎖部材の下方空間を小さくできる効果がある。
【０２０７】
また、水平方向に配置された軸を中心に閉鎖部材が回動される場合は、収容箱に遊技球が高く積もってしまうと、遊技球に妨げられて閉鎖部材を開閉できなくなるおそれがある。これに対し、底部に対する傾斜角度を略一定に維持した状態で閉鎖部材がスライドされる構成とすることで、収容箱に収容された遊技球の量（盛り上がって収容箱に積まれた遊技球の高さ）に関わらず、閉鎖部材を開閉し球抜き孔から遊技球を落下できる効果がある。
【０２０８】
遊技機９から１３のいずれかにおいて、前記閉鎖部材または前記底部は、前記遊技球の所定方向への移動を規制し所定方向から前記球抜き孔へ流下される前記遊技球の移動を規制する移動規制手段を備えていることを特徴とする遊技機１４。
【０２０９】
遊技機１４によれば、遊技機９から１３のいずれかの奏する効果に加え、移動規制手段により遊技球の所定方向への移動が規制され、所定方向から球抜き孔へ流下される遊技球の量が調整される。これにより、所定方向から球抜き孔へ流下される遊技球の量と、その他の方向から球抜き孔へ流下される遊技球の量とを異ならせることができる。その結果、切換手段により第１開放状態と第２開放状態とを切り換えることによって、球抜き孔の異なる部分から放り出される遊技球の軌跡の差異を大きくすることができる。これにより、第１開放状態と第２開放状態とを切り換えることにより、遊技球の落下点の差異を大きくすることができる。その結果、受皿の下方に載置した収容箱の広範囲に遊技球を散らすことができる効果がある。
【０２１０】
遊技球が落下する球抜き孔が底部に形成された受皿が前面に配設された遊技機において、遊技者に操作される操作部と、その操作部に連係して前記球抜き孔を開閉する閉鎖部材と、前記受皿の底部の水平面に対する傾斜角度が変化するように前記受皿を揺動可能に支持する支持部とを備えていることを特徴とする遊技機１５。
【０２１１】
遊技機１５によれば、遊技者に操作される操作部に閉鎖部材が連係して球抜き孔が開閉される。球抜き孔が開放された状態で受皿が揺動されることにより、支持部により揺動可能に支持された受皿の底部の水平面に対する傾斜角度が変化する。これにより、球抜き孔から放り出される遊技球の方向を変化させ、受皿の下方に載置した収容箱の広範囲に遊技球を散らすことができる効果がある。
【０２１２】
遊技機１５において、前記球抜き孔は、前記受皿の底部から下方に向かうにつれて内面が拡開されていることを特徴とする遊技機１６。
【０２１３】
遊技機１６によれば、遊技機１５の奏する効果に加え、球抜き孔の内面が下方に向かうにつれて拡開されているので、遊技球の排出（放出）が球抜き孔の内周に遮られることを抑制して、拡開した球抜き孔から遊技球を広範囲に撒き散らすことができる効果がある。
【０２１４】
遊技球が落下する球抜き孔が底部に形成された受皿が前面に配設された遊技機において、遊技者に操作される操作部と、その操作部に連係して前記球抜き孔を開閉する閉鎖部材と、前記底部に形成され前記操作部の動作に連動して前記遊技球の所定方向の移動を規制し所定方向から前記球抜き孔に流下される前記遊技球の移動を規制する移動規制手段とを備えていることを特徴とする遊技機１７。
【０２１５】
遊技機１７によれば、操作部の動作に連動する移動規制手段により遊技球の所定方向への移動が規制され、所定方向から球抜き孔へ流下される遊技球の量が調整される。これにより、操作部の動作に連動して、所定方向から球抜き孔へ流下される遊技球の量と、その他の方向から球抜き孔へ流下される遊技球の量とを異ならせることができる。その結果、受皿の下方に載置した収容箱に落下する遊技球の落下点を、所定方向から球抜き孔へ流下する場合と、その他の方向から球抜き孔へ流下する場合とで操作部の動作に連動して異ならせることができる。これにより、収容箱の広範囲に遊技球を散らすことができる。
【０２１６】
遊技機１７において、前記底部は、前記球抜き孔に向かって下降傾斜する傾斜領域を備え、前記移動規制手段は、その傾斜領域に形成されていることを特徴とする遊技機１８。
【０２１７】
遊技機１８によれば、球抜き孔に向かって下降傾斜する底部の傾斜領域により、遊技球は球抜き孔に向かって転がっていく。移動規制手段が傾斜領域に形成されることにより、球抜き孔に向かって転がる遊技球の速度を、操作部の動作に連動して異ならせることができる。移動規制手段の有無に連動して球抜き孔に流下する遊技球の速度を異ならせることで、球抜き孔から収容箱に落下する遊技球の落下点と球抜き孔との水平距離を異ならせることができる。これにより遊技機１７の奏する効果に加え、遊技球が収容箱に落下して到達できる範囲を広くし、遊技球が収容箱の一箇所に高く積もることを防止できる効果がある。
＜その他＞
遊技球を使用して遊技を行う遊技機の代表例としてパチンコ機がある。このパチンコ機の前面には、払い出された遊技球を貯留するための受皿が設けられている。受皿の底面には開閉可能な球抜き孔が形成されているので、遊技球で受皿が満杯になった場合には、受皿の下方に遊技球の収容箱を載置して、球抜き孔を開放することで受皿に貯留された遊技球を収容箱に移すことができる。
しかし、球抜き孔から収容箱に落下した遊技球は球抜き孔の下方部分に高く積もることになるので、この状態を放置すると、高く積もった部分から遊技球が収容箱の外に溢れ出てしまう。それを防ぐために、遊技者は手で遊技球を平らに均さなければならず面倒であった。そこで、モータにより球抜き孔を移動させて落下する遊技球を散らし、遊技球が一箇所に高く積もらないようにする技術がある（例えば、特許文献１：特開平１０−１７９８７４号公報）。
しかしながら、上記のようなパチンコ機では、球抜き孔を移動させるためのモータを設ける必要があり、機構が複雑化するという問題点があった。
本技術的思想は、上記例示した問題点等を解決するためになされたものであり、受皿に貯留された遊技球を簡易な機構で散らして落下させることができる遊技機を提供することを目的としている。
＜手段＞
この目的を達成するために技術的思想１記載の遊技機は、遊技球が落下する球抜き孔が底部に形成された受皿が前面に配設されたものにおいて、遊技者に操作される操作部と、その操作部に係合される部材を介して又は前記操作部に直結され前記受皿の底部に円運動または直線運動可能に配設されると共に前記球抜き孔の上方に位置し前記球抜き孔と連通する開口が形成された開閉部材とを備え、前記底部は、前記開閉部材の円運動または直線運動の初期位置で前記開口を閉鎖する閉鎖部を備え、前記球抜き孔は、前記開閉部材の円運動または直線運動の初期位置とは異なる複数位置で前記開口と連通する。
技術的思想２記載の遊技機は、技術的思想１記載の遊技機において、前記開閉部材は、前記開閉部材の移動方向の後方に向かって前記開口の縁端から上昇傾斜する上昇傾斜部を備えている。
技術的思想３記載の遊技機は、技術的思想１又は２に記載の遊技機において、前記開閉部材は、前後方向または左右方向に往復動可能に構成されるものであり、前記開口は、遊技者からの距離を異ならせて前記開閉部材の複数箇所に形成されており、遊技者に近い位置に形成された開口の面積は、遊技者から離れた位置に形成された開口の面積より大きく設定されている。
技術的思想４記載の遊技機は、技術的思想１から３のいずれかに記載の遊技機において、前記球抜き孔の下方に配設されると共に落下する前記遊技球が衝突する誘導部材を備え、その誘導部材は、前方または側方に向かって下降傾斜する下降傾斜部を備えている。
＜効果＞
本技術的思想によれば、受皿に貯留された遊技球を簡易な機構で散らして落下させることができる。
【符号の説明】
【０２１８】
１                                      パチンコ機（遊技機）
３０，５０，６０，７０，８０            受皿
３１，６１，８１                        底部
３１ｂ，５１ｃ，６１ｂ，８１ａ，８１ｂ  球抜き孔
３３，６３，８３                        開閉部材
３３ａ，６３ａ，８３ａ，８３ｃ          開口
３３ｂ                                  閉鎖部
３３ｃ，６３ｂ，８３ｂ，８３ｄ          上昇傾斜部
４１，６５，８５                        操作部
９９                                    誘導部材
９９ａ                                  上面（下降傾斜部）